(57)【特許請求の範囲】
【請求項１】
一般式（１）で表されるオリゴアニリン誘導体またはその酸化体であるキノンジイミン誘導体と、電子受容性ドーパント物質または正孔受容性ドーパント物質と、シラン化合物と、有機溶媒とを含み、
前記シラン化合物が、式（９）で表されるトリアルコキシシラン化合物、式（１０）で表されるジアルコキシシラン化合物、および式（１１）で表されるテトラアルコキシシラン化合物から選ばれる少なくとも１種であって、かつ、そのうち少なくとも１種が、式（９）で表されるトリアルコキシシラン化合物でＹ1がＺで置換されたもの、または式（１０）で表されるジアルコキシシラン化合物でＹ3及びＹ4の少なくとも一方がＺで置換されたものであることを特徴とする電荷輸送性ワニス。
【化１】
0005413369.tif 000012
〔式中、Ｒ1、Ｒ2およびＲ3は、それぞれ独立して、水素原子、ハロゲン原子、ヒドロキシル基、アミノ基、シラノール基、チオール基、カルボキシル基、リン酸基、リン酸エステル基、エステル基、チオエステル基、アミド基、ニトロ基、一価炭化水素基、オルガノオキシ基、オルガノアミノ基、オルガノシリル基、オルガノチオ基、アシル基またはスルホン酸基を示し、ＡおよびＢは、それぞれ独立して、一般式（２）または（３）で表される二価の基を示す。
【化２】
0005413369.tif 000013
（式中、Ｒ4〜Ｒ11は、それぞれ独立して、水素原子、ハロゲン原子、ヒドロキシル基、アミノ基、シラノール基、チオール基、カルボキシル基、リン酸基、リン酸エステル基、エステル基、チオエステル基、アミド基、ニトロ基、一価炭化水素基、オルガノオキシ基、オルガノアミノ基、オルガノシリル基、オルガノチオ基、アシル基またはスルホン酸基を示す。）  ｍおよびｎは、それぞれ独立して、１以上の整数で、ｍ＋ｎ≦２０を満足する。〕
Ｙ1Ｓｉ（ＯＹ2）3          （９）
Ｙ3Ｙ4Ｓｉ（ＯＹ5）2       （１０）
Ｓｉ（ＯＹ6）4             （１１）
（式中、Ｙ1は、Ｚで置換されていてもよい、炭素数１〜１２アルキル基、フェニル基、キシリル基、トリル基、ビフェニル基、またはナフチル基を表し、
Ｙ2は、炭素数１〜１２アルキル基を表し、
Ｙ3およびＹ4は、互いに独立して、Ｚで置換されていてもよい、炭素数１〜１２アルキル基、フェニル基、キシリル基、トリル基、ビフェニル基、またはナフチル基を表し、
Ｙ5は、炭素数１〜１２アルキル基を表し、
Ｙ6は、炭素数１〜１２アルキル基を表し、
Ｚは、フッ素原子、炭素数１〜１２フッ化アルキル基、またはフッ化アリール基を表す。）
【請求項２】
前記Ｚが、フッ素原子である請求項１記載の電荷輸送性ワニス。
【請求項３】
前記Ｙ1、Ｙ3およびＹ4が、Ｚで置換されていてもよい、炭素数１〜１２アルキル基、またはフェニル基である請求項１または２記載の電荷輸送性ワニス。
【請求項４】
前記Ｙ2、Ｙ5およびＹ6が、メチル基、エチル基、またはｎ−プロピル基である請求項１〜３のいずれか１項記載の電荷輸送性ワニス。
【請求項５】
前記シラン化合物が、前記式（９）で表されるトリアルコキシシラン化合物、前記式（１０）で表されるジアルコキシシラン化合物、および前記式（１１）で表されるテトラアルコキシシラン化合物から選ばれる少なくとも２種である請求項１〜４のいずれか１項記載の電荷輸送性ワニス。
【請求項６】
前記オリゴアニリン誘導体またはその酸化体であるキノンジイミン誘導体が、一般式（４）で表されるオリゴアニリン誘導体またはその酸化体であるキノンジイミン誘導体である請求項１〜５のいずれか１項記載の電荷輸送性ワニス。
【化３】
0005413369.tif 000014
（式中、Ｒ1〜Ｒ7、ｍおよびｎは、前記と同じ意味を表す。）
【請求項７】
前記電子受容性ドーパント物質が、式（５）で表されるアリールスルホン酸誘導体である請求項１〜６のいずれか１項記載の電荷輸送性ワニス。
【化４】
0005413369.tif 000015
〔式中、Ｘは、Ｏ、ＳまたはＮＨを表し、Ａは、Ｘおよびｎ個の（ＳＯ3Ｈ）基以外の置換基を有していてもよいナフタレン環またはアントラセン環を表し、Ｂは、非置換もしくは置換の炭化水素基、１，３，５−トリアジン基、または非置換もしくは置換の下記式（６）もしくは（７）
【化５】
0005413369.tif 000016
で示される基（式中、Ｗ1およびＷ2は、それぞれ独立して、Ｏ、Ｓ、Ｓ（Ｏ）基、Ｓ（Ｏ2）基、または非置換もしくは置換基が結合したＮ、Ｓｉ、Ｐ、Ｐ（Ｏ）基を示す。）を表し、ｎは、Ａに結合するスルホン酸基数を表し、１≦ｎ≦４を満たす整数であり、ｑは、ＢとＸとの結合数を示し、１≦ｑを満たす整数である。〕
【請求項８】
前記有機溶媒に対して０．０００１〜１０質量％の水を含む請求項１〜７のいずれか１項記載の電荷輸送性ワニス。
【請求項９】
前記シラン化合物が、前記電荷輸送性ワニスの固形分の総質量に対して、１〜５０質量％含まれる請求項１〜８のいずれか１項記載の電荷輸送性ワニス。
【請求項１０】
請求項１〜９のいずれか１項記載の電荷輸送性ワニスから作製される電荷輸送性薄膜。
【請求項１１】
請求項１０記載の電荷輸送性薄膜を備える有機エレクトロルミネッセンス素子。
【請求項１２】
請求項１〜９のいずれか１項記載の電荷輸送性ワニスを用いる電荷輸送性薄膜の製造方法。
【請求項１３】
請求項１０記載の電荷輸送性薄膜を用いる有機エレクトロルミネッセンス素子の製造方法。
【発明の詳細な説明】
【技術分野】
【０００１】
本発明は、電荷輸送性ワニスに関し、さらに詳述すると、オリゴアニリン誘導体およびシラン化合物を含む電荷輸送性ワニスに関する。
【背景技術】
【０００２】
従来、低分子有機エレクトロルミネッセンス（以下、ＯＬＥＤと略す）素子では、正孔注入層として銅フタロシアニン（ＣｕＰＣ）層を設けることによって、駆動電圧の低下や発光効率向上等の初期特性向上、さらには寿命特性向上を実現し得ることが報告されている（非特許文献１：アプライド・フィジックス・レターズ（Ａｐｐｌｉｅｄ Ｐｈｙｓｉｃｓ Ｌｅｔｔｅｒｓ）、米国、１９９６年、６９巻、ｐ．２１６０−２１６２）。
一方、高分子発光材料を用いた有機エレクトロルミネッセンス（以下、ＰＬＥＤと略す）素子では、ポリアニリン系材料（特許文献１：特開平３−２７３０８７号公報、非特許文献２：ネイチャー（Ｎａｔｕｒｅ）、英国、１９９２年、第３５７巻、ｐ．４７７−４７９）や、ポリチオフェン系材料（非特許文献３：アプライド・フィジックス・レターズ（Ａｐｐｌｉｅｄ Ｐｈｙｓｉｃｓ Ｌｅｔｔｅｒｓ）、米国、１９９８年、７２巻、ｐ．２６６０−２６６２）からなる薄膜を正孔輸送層として用いることで、ＯＬＥＤ素子と同様の効果が得られることが報告されている。【０００３】
近年、高溶解性の低分子オリゴアニリン系材料やオリゴチオフェン系材料を利用し、有機溶媒に完全溶解させた均一系溶液からなる電荷輸送性ワニスが見出された。そして、このワニスから得られる正孔注入層を有機エレクトロルミネッセンス（以下、有機ＥＬという）素子中に挿入することで、下地基板の平坦化効果や、優れたＥＬ素子特性が得られることが報告されている（特許文献２：特開２００２−１５１２７２号公報、特許文献３：国際公開第２００５／０４３９６２号パンフレット）。
当該低分子オリゴマー化合物は、それ自体の粘度が低く、通常の有機溶媒を使用した場合、成膜操作におけるプロセスマージンが狭いため、スピンコート、インクジェット塗布、スプレー塗布等の種々の塗布方式や、種々の焼成条件を用いる場合、高い均一性を有する成膜を行うことは困難であった。
しかし、各種添加溶媒を用いることで、粘度や、沸点および蒸気圧の調整が可能となり、種々の塗布方式に対応して高い均一性を有する成膜面を得ることが可能になってきている（特許文献４：国際公開第２００４／０４３１１７号パンフレット、特許文献５：国際公開第２００５／１０７３３５号パンフレット）。【０００４】
このように、低分子オリゴマー化合物は、近年、有機ＥＬ素子中の正孔注入層として用いられるようになってきている。
しかし、スピンコート、インクジェット塗布、スプレー塗布等の種々の塗布方式に容易に対応し得るように、低分子オリゴマー化合物の溶解性のさらなる改善が求められているとともに、導電性、並びに有機ＥＬ素子に使用したときの発光効率および輝度特性の一層の向上が望まれている。
中でも、発光効率および輝度特性の向上は、ＯＬＥＤ素子およびＰＬＥＤ素子のどちらにとっても重要な課題である。
正孔注入層の特性としては、発光層への正孔注入能、発光層からの電子ブロック能および発光層の励起子の失活抑制能等が挙げられる。これらの機能は、上述した有機ＥＬ素子の発光効率や輝度特性に大きな影響を及ぼすため、正孔注入層として優れた機能を実現し得る低分子オリゴマー化合物が求められている。【０００５】
なお、ポリスチレンスルホン酸やポリアニリン等の導電性ポリマーを含む組成物に、シラン化合物を添加することで、この組成物から作製された薄膜を備える有機ＥＬ素子の寿命が延びることが報告されている（特許文献６：特開２００３−４５６６７号公報）が、低分子オリゴマー化合物を含む電荷輸送性ワニスに、シラン化合物を添加した例は報告されていない。
【先行技術文献】
【特許文献】
【０００６】
【特許文献１】特開平３−２７３０８７号公報
【特許文献２】特開２００２−１５１２７２号公報
【特許文献３】国際公開第２００５／０４３９６２号パンフレット
【特許文献４】国際公開第２００４／０４３１１７号パンフレット
【特許文献５】国際公開第２００５／１０７３３５号パンフレット
【特許文献６】特開２００３−４５６６７号公報
【非特許文献】
【０００７】
【非特許文献１】アプライド・フィジックス・レターズ、米国、１９９６年、６９巻、ｐ．２１６０−２１６２
【非特許文献２】ネイチャー、英国、１９９２年、第３５７巻、ｐ．４７７−４７９
【非特許文献３】アプライド・フィジックス・レターズ、米国、１９９８年、７２巻、ｐ．２６６０−２６６２
【発明の概要】
【発明が解決しようとする課題】
【０００８】
本発明は、このような事情に鑑みてなされたものであり、基板上に構造物を有するＥＬ素子に使用した場合において、良好な薄膜を形成でき、優れた発光効率および輝度特性を発現し得る有機ＥＬ素子を与え得る電荷輸送性ワニスを提供することを目的とする。
【課題を解決するための手段】
【０００９】
本発明者らは、上記目的を達成するために鋭意検討を重ねた結果、所定のオリゴアニリン誘導体またはその酸化体であるキノンジイミン誘導体と、電子受容性ドーパント物質または正孔受容性ドーパント物質と、シラン化合物とを含む電荷輸送性ワニスを用いることで、基板上に構造物を有するＥＬ素子に使用した場合においても良好な薄膜を形成でき、当該薄膜を、有機ＥＬ素子の正孔注入層として用いることで高い発光効率および輝度特性を発現し得ることを見出し、本発明を完成した。【００１０】
すなわち、本発明は、
１．  一般式（１）で表されるオリゴアニリン誘導体またはその酸化体であるキノンジイミン誘導体と、電子受容性ドーパント物質または正孔受容性ドーパント物質と、シラン化合物と、有機溶媒とを含み、
前記シラン化合物が、式（９）で表されるトリアルコキシシラン化合物、式（１０）で表されるジアルコキシシラン化合物、および式（１１）で表されるテトラアルコキシシラン化合物から選ばれる少なくとも１種であって、かつ、そのうち少なくとも１種が、式（９）で表されるトリアルコキシシラン化合物でＹ1がＺで置換されたもの、または式（１０）で表されるジアルコキシシラン化合物でＹ3及びＹ4の少なくとも一方がＺで置換されたものであることを特徴とする電荷輸送性ワニス、
【化１】
0005413369.tif 000002
〔式中、Ｒ1、Ｒ2およびＲ3は、それぞれ独立して、水素原子、ハロゲン原子、ヒドロキシル基、アミノ基、シラノール基、チオール基、カルボキシル基、リン酸基、リン酸エステル基、エステル基、チオエステル基、アミド基、ニトロ基、一価炭化水素基、オルガノオキシ基、オルガノアミノ基、オルガノシリル基、オルガノチオ基、アシル基またはスルホン酸基を示し、ＡおよびＢは、それぞれ独立して、一般式（２）または（３）で表される二価の基を示す。
【化２】
0005413369.tif 000003
（式中、Ｒ4〜Ｒ11は、それぞれ独立して、水素原子、ハロゲン原子、ヒドロキシル基、アミノ基、シラノール基、チオール基、カルボキシル基、リン酸基、リン酸エステル基、エステル基、チオエステル基、アミド基、ニトロ基、一価炭化水素基、オルガノオキシ基、オルガノアミノ基、オルガノシリル基、オルガノチオ基、アシル基またはスルホン酸基を示す。）  ｍおよびｎは、それぞれ独立して、１以上の整数で、ｍ＋ｎ≦２０を満足する。〕
Ｙ1Ｓｉ（ＯＹ2）3          （９）
Ｙ3Ｙ4Ｓｉ（ＯＹ5）2       （１０）
Ｓｉ（ＯＹ6）4             （１１）
（式中、Ｙ1は、Ｚで置換されていてもよい、炭素数１〜１２アルキル基、フェニル基、キシリル基、トリル基、ビフェニル基、またはナフチル基を表し、
Ｙ2は、炭素数１〜１２アルキル基を表し、
Ｙ3およびＹ4は、互いに独立して、Ｚで置換されていてもよい、炭素数１〜１２アルキル基、フェニル基、キシリル基、トリル基、ビフェニル基、またはナフチル基を表し、
Ｙ5は、炭素数１〜１２アルキル基を表し、
Ｙ6は、炭素数１〜１２アルキル基を表し、
Ｚは、フッ素原子、炭素数１〜１２フッ化アルキル基、またはフッ化アリール基を表す。）
２．  前記Ｚが、フッ素原子である１の電荷輸送性ワニス、
３．  前記Ｙ1、Ｙ3およびＹ4が、Ｚで置換されていてもよい、炭素数１〜１２アルキル基、またはフェニル基である１または２の電荷輸送性ワニス、
４．  前記Ｙ2、Ｙ5およびＹ6が、メチル基、エチル基、またはｎ−プロピル基である１〜３のいずれかの電荷輸送性ワニス、
５．  前記シラン化合物が、前記式（９）で表されるトリアルコキシシラン化合物、前記式（１０）で表されるジアルコキシシラン化合物、および前記式（１１）で表されるテトラアルコキシシラン化合物から選ばれる少なくとも２種である１〜４のいずれかの電荷輸送性ワニス、
６．  前記オリゴアニリン誘導体またはその酸化体であるキノンジイミン誘導体が、一般式（４）で表されるオリゴアニリン誘導体またはその酸化体であるキノンジイミン誘導体である１〜５のいずれかの電荷輸送性ワニス、
【化３】
0005413369.tif 000004
（式中、Ｒ1〜Ｒ7、ｍおよびｎは、前記と同じ意味を表す。）
７．  前記電子受容性ドーパント物質が、式（５）で表されるアリールスルホン酸誘導体である１〜６のいずれかの電荷輸送性ワニス、
【化４】
0005413369.tif 000005
〔式中、Ｘは、Ｏ、ＳまたはＮＨを表し、Ａは、Ｘおよびｎ個の（ＳＯ3Ｈ）基以外の置換基を有していてもよいナフタレン環またはアントラセン環を表し、Ｂは、非置換もしくは置換の炭化水素基、１，３，５−トリアジン基、または非置換もしくは置換の下記式（６）もしくは（７）
【化５】
0005413369.tif 000006
で示される基（式中、Ｗ1およびＷ2は、それぞれ独立して、Ｏ、Ｓ、Ｓ（Ｏ）基、Ｓ（Ｏ2）基、または非置換もしくは置換基が結合したＮ、Ｓｉ、Ｐ、Ｐ（Ｏ）基を示す。）を表し、ｎは、Ａに結合するスルホン酸基数を表し、１≦ｎ≦４を満たす整数であり、ｑは、ＢとＸとの結合数を示し、１≦ｑを満たす整数である。〕
８．  前記有機溶媒に対して０．０００１〜１０質量％の水を含む１〜７のいずれかの電荷輸送性ワニス、
９．  前記シラン化合物が、前記電荷輸送性ワニスの固形分の総質量に対して、１〜５０質量％含まれる１〜８のいずれかの電荷輸送性ワニス、
１０．  １〜９のいずれかの電荷輸送性ワニスから作製される電荷輸送性薄膜、
１１．  １０の電荷輸送性薄膜を備える有機エレクトロルミネッセンス素子、
１２．  １〜９のいずれかの電荷輸送性ワニスを用いる電荷輸送性薄膜の製造方法、
１３．  １０の電荷輸送性薄膜を用いる有機エレクトロルミネッセンス素子の製造方法
を提供する。
【発明の効果】
【００１１】
本発明の電荷輸送性ワニスは、シラン化合物を含有しているため、それから得られた薄膜は、シラン化合物を含有しないワニスから得られた薄膜と比較して、基板上に構造物を有するＥＬ素子に使用した場合において、良好な薄膜を形成でき、優れた発光効率および輝度特性を発現する。
また、本発明の電荷輸送性ワニスから得られる薄膜は、高平坦性および高電荷輸送性を有しているため、この特性を利用して、当該薄膜を太陽電池の正孔輸送層、燃料電池用電極、コンデンサ電極保護膜、帯電防止膜へ応用することもできる。
【図面の簡単な説明】
【００１２】
【図１】参考例３で作製した構造物付きＩＴＯ基板の共焦点レーザー顕微鏡写真を示す図である。
【図２】参考例３で作製した構造物付き基材のＩＴＯ部分の測定結果を示す図である。
【図３】参考例３で作製した構造物付き基材のＩＴＯ部分の測定結果を示す図である。
【図４】比較例１で作製した電荷輸送性薄膜の共焦点レーザー顕微鏡の写真を示す図である。
【図５】比較例１で作製した電荷輸送性薄膜の膜厚分布を測定した結果を示す図である。
【図６】比較例１で作製した電荷輸送性薄膜の膜厚分布を測定した結果を示す図である。
【図７】比較例１で作製したＯＬＥＤ素子の発光面を示す図である。
【図８】実施例１で作製した電荷輸送性薄膜の共焦点レーザー顕微鏡の写真を示す図である。
【図９】実施例１で作製した電荷輸送性薄膜の膜厚分布を測定した結果を示す図である。
【図１０】実施例１で作製した電荷輸送性薄膜の膜厚分布を測定した結果を示す図である。
【図１１】実施例１で作製したＯＬＥＤ素子の発光面を示す図である。
【図１２】実施例２および比較例２で作製したＯＬＥＤ素子の電圧−輝度特性を示す図である。
【図１３】実施例２および比較例２で作製したＯＬＥＤ素子の電圧−電流密度特性を示す図である。
【発明を実施するための形態】
【００１３】
以下、本発明についてさらに詳しく説明する。
式（１）および（４）で表されるオリゴアニリン誘導体において、ハロゲン原子としては、フッ素、塩素、臭素、ヨウ素原子が挙げられる。
一価炭化水素基の具体例としては、メチル基、エチル基、ｎ−プロピル基、ｉ−プロピル基、ｎ−ブチル基、ｉ−ブチル基、ｔ−ブチル基、ｎ−ヘキシル基、ｎ−オクチル基、２−エチルヘキシル基、デシル基等のアルキル基；シクロペンチル基、シクロヘキシル基等のシクロアルキル基；ビシクロヘキシル基等のビシクロアルキル基；ビニル基、１−プロペニル基、２−プロペニル基、イソプロペニル基、１−メチル−２−プロペニル基、１または２または３−ブテニル基、ヘキセニル基等のアルケニル基；フェニル基、キシリル基、トリル基、ビフェニル基、ナフチル基等のアリール基；ベンジル基、フェニルエチル基、フェニルシクロヘキシル基等のアラルキル基等や、これらの一価炭化水素基の水素原子の一部または全部がハロゲン原子、ヒドロキシル基、アルコキシ基、スルホン酸基などで置換されたものが挙げられる。
【００１４】
オルガノオキシ基の具体例としては、アルコキシ基、アルケニルオキシ基、アリールオキシ基などが挙げられ、これらのアルキル基、アルケニル基、アリール基としては、先に例示した基と同様のものが挙げられる。
オルガノアミノ基の具体例としては、フェニルアミノ基、メチルアミノ基、エチルアミノ基、プロピルアミノ基、ブチルアミノ基、ペンチルアミノ基、ヘキシルアミノ基、ヘプチルアミノ基、オクチルアミノ基、ノニルアミノ基、デシルアミノ基、ラウリルアミノ基等のアルキルアミノ基；ジメチルアミノ基、ジエチルアミノ基、ジプロピルアミノ基、ジブチルアミノ基、ジペンチルアミノ基、ジヘキシルアミノ基、ジヘプチルアミノ基、ジオクチルアミノ基、ジノニルアミノ基、ジデシルアミノ基等のジアルキルアミノ基；シクロヘキシルアミノ基、モルホリノ基などが挙げられる。
【００１５】
オルガノシリル基の具体例としては、トリメチルシリル基、トリエチルシリル基、トリプロピルシリル基、トリブチルシリル基、トリペンチルシリル基、トリヘキシルシリル基、ペンチルジメチルシリル基、ヘキシルジメチルシリル基、オクチルジメチルシリル基、デシルジメチルシリル基などが挙げられる。
オルガノチオ基の具体例としては、メチルチオ基、エチルチオ基、プロピルチオ基、ブチルチオ基、ペンチルチオ基、ヘキシルチオ基、ヘプチルチオ基、オクチルチオ基、ノニルチオ基、デシルチオ基、ラウリルチオ基などのアルキルチオ基が挙げられる。
【００１６】
アシル基の具体例としては、ホルミル基、アセチル基、プロピオニル基、ブチリル基、イソブチリル基、バレリル基、イソバレリル基、ベンゾイル基等が挙げられる。
リン酸エステル基としては、−Ｐ（Ｏ）（ＯＱ1）（ＯＱ2）が挙げられる。
エステル基としては、−Ｃ（Ｏ）ＯＱ1、−ＯＣ（Ｏ）Ｑ1が挙げられる。
チオエステル基としては、−Ｃ（Ｓ）ＯＱ1、−ＯＣ（Ｓ）Ｑ1が挙げられる。
アミド基としては、−Ｃ（Ｏ）ＮＨＱ1、−ＮＨＣ（Ｏ）Ｑ1、−Ｃ（Ｏ）ＮＱ1Ｑ2、−ＮＱ1Ｃ（Ｏ）Ｑ2が挙げられる。
ここで、上記Ｑ1およびＱ2は、アルキル基、アルケニル基またはアリール基を示し、これらについては、上記一価炭化水素基で例示した基と同様のものが挙げられる。
【００１７】
上記一価炭化水素基、オルガノオキシ基、オルガノアミノ基、オルガノシリル基、オルガノチオ基、アシル基、リン酸エステル基、エステル基、チオエステル基およびアミド基などにおける炭素数は、特に限定されるものではないが、一般に炭素数１〜２０、好ましくは１〜８である。
好ましい置換基としては、フッ素、スルホン酸基、オルガノオキシ基、アルキル基、オルガノシリル基等が挙げられる。
なお、置換基において、置換基同士が連結されて環状である部分を含んでいてもよい。
【００１８】
一般式（１）および（４）において、ｍ＋ｎは、良好な電荷輸送性を発揮させるという点から４以上であることが好ましく、溶媒に対する溶解性を確保するという点から１６以下であることが好ましい。
また、式（１）および（４）のオリゴアニリン誘導体は、溶解性を高めるとともに、電荷輸送性を均一にするということを考慮すると、分子量分布のない、換言すれば、分散度が１のオリゴアニリン誘導体であることが好ましい。
その分子量は、材料の揮発の抑制および電荷輸送性発現のために、下限として通常２００以上、好ましくは４００以上であり、また溶解性向上のために、上限として通常５０００以下、好ましくは３０００以下である。
これらの電荷輸送物質は１種類のみを使用してもよく、また２種類以上の物質を組み合わせて使用してもよい。
このような化合物の具体例としては、フェニルテトラアニリン、フェニルペンタアニリン、テトラアニリン（アニリン４量体）、オクタアニリン（アニリン８量体）等の有機溶媒に可溶なオリゴアニリン誘導体が挙げられる。
【００１９】
なお、これらの電荷輸送性物質の合成法としては、特に限定されないが、オリゴアニリン合成法（ブレティン・オブ・ケミカル・ソサエティ・オブ・ジャパン（Bulletin of Chemical Society of Japan）、１９９４年、第６７巻、ｐ.１７４９−１７５２、シンセティック・メタルズ（Synthetic Metals）、米国、１９９７年、第８４巻、ｐ.１１９−１２０参照）や、オリゴチオフェン合成法（例えば、ヘテロサイクルズ（Heterocycles）、１９８７年、第２６巻、ｐ.９３９−９４２、ヘテロサイクルズ（Heterocycles）、１９８７年、第２６巻、ｐ.１７９３−１７９６参照）などが挙げられる。
【００２０】
本発明に係る電荷輸送性ワニスは、電荷輸送性物質として、上述した式（１）で表されるオリゴアニリン化合物、またはオリゴアニリン化合物の酸化体であるキノンジイミン化合物を含むものである。
ここで、電荷輸送性ワニスとは、電荷輸送機構の本体である本発明のオリゴアニリン化合物からなる電荷輸送物質、またはこの電荷輸送物質および電子もしくは正孔受容性ドーパント物質からなる電荷輸送性有機材料を少なくとも１種の溶媒に溶解または分散してなるものである。
なお、電荷輸送性とは、導電性と同義であり、正孔輸送性、電子輸送性、正孔および電子の両電荷輸送性のいずれかを意味する。本発明の電荷輸送性ワニスは、それ自体に電荷輸送性があるものでもよく、ワニスを使用して得られる固体膜に電荷輸送性があるものでもよい。
【００２１】
本発明の電荷輸送性ワニスの電荷輸送能等を向上させるために、必要に応じて用いられる電荷受容性ドーパント物質としては、正孔輸送性物質に対しては電子受容性ドーパント物質を、電子輸送性物質に対しては正孔受容性ドーパント物質を用いることができるが、いずれも高い電荷受容性を有することが好ましい。電荷受容性ドーパント物質の溶解性に関しては、ワニスに使用する少なくとも１種の溶媒に溶解するものであれば特に限定されない。
【００２２】
電子受容性ドーパント物質の具体例としては、塩化水素、硫酸、硝酸、リン酸等の無機強酸；塩化アルミニウム（ＩＩＩ）（ＡｌＣｌ3）、四塩化チタン（ＩＶ）（ＴｉＣｌ4）、三臭化ホウ素（ＢＢｒ3）、三フッ化ホウ素エーテル錯体（ＢＦ3・ＯＥｔ2）、塩化鉄（ＩＩＩ）（ＦｅＣｌ3）、塩化銅（ＩＩ）（ＣｕＣｌ2）、五塩化アンチモン（Ｖ）（ＳｂＣｌ5）、五フッ化砒素（Ｖ）（ＡｓＦ5）、五フッ化リン（ＰＦ5）、トリス（４−ブロモフェニル）アルミニウムヘキサクロロアンチモナート（ＴＢＰＡＨ）等のルイス酸；ベンゼンスルホン酸、トシル酸、カンファスルホン酸、ヒドロキシベンゼンスルホン酸、５−スルホサリチル酸、ドデシルベンゼンスルホン酸、ポリスチレンスルホン酸、国際公開第２００５／０００８３２号パンフレットに記載されている１，４−ベンゾジオキサンジスルホン酸誘導体、国際公開第２００６／０２５３４２号パンフレットに記載されているアリールスルホン酸誘導体、特開２００５−１０８８２８号公報に記載されているジノニルナフタレンスルホン酸誘導体等の有機強酸；７，７，８，８−テトラシアノキノジメタン（ＴＣＮＱ）、２，３−ジクロロ−５，６−ジシアノ−１，４−ベンゾキノン（ＤＤＱ）、ヨウ素等の有機または無機酸化剤を挙げることができるが、これらに限定されるものではない。
【００２３】
特に好ましい電子受容性ドーパント物質としては、５−スルホサリチル酸、ドデシルベンゼンスルホン酸、ポリスチレンスルホン酸、国際公開第２００５／０００８３２号パンフレットに記載されている１，４−ベンゾジオキサンジスルホン酸誘導体、特開２００５−１０８８２８号公報に記載されているジノニルナフタレンスルホン酸誘導体等の有機強酸である電子受容性ドーパント物質を挙げることができる。
【００２４】
また、式（５）で示されるアリールスルホン酸誘導体も好適に用いることができる。
【００２５】
【化６】
0005413369.tif 000007
〔式中、Ｘは、Ｏ、ＳまたはＮＨを表し、Ａは、Ｘおよびｎ個の（ＳＯ3Ｈ）基以外の置換基を有していてもよいナフタレン環またはアントラセン環を表し、Ｂは、非置換もしくは置換の炭化水素基、１，３，５−トリアジン基、または非置換もしくは置換の下記式（６）もしくは（７）
【化７】
0005413369.tif 000008
で示される基（式中、Ｗ1およびＷ2は、それぞれ独立して、Ｏ、Ｓ、Ｓ（Ｏ）基、Ｓ（Ｏ2）基、または非置換もしくは置換基が結合したＮ、Ｓｉ、Ｐ、Ｐ（Ｏ）基を示す。）を表し、ｎは、Ａに結合するスルホン酸基数を表し、１≦ｎ≦４を満たす整数であり、ｑは、ＢとＸとの結合数を示し、１≦ｑを満たす整数である。〕
【００２６】
Ｂとしては、耐久性向上および電荷輸送性向上を図ることを考慮すると、一つ以上の芳香環を含んでいる２価以上の非置換もしくは置換の炭化水素基、２価もしくは３価の１，３，５−トリアジン基、置換もしくは非置換の２価のジフェニルスルホン基が好ましく、特に、２価もしくは３価の置換もしくは非置換ベンジル基、２価の置換もしくは非置換ｐ−キシリレン基、２価もしくは３価の置換もしくは非置換ナフチル基、２価もしくは３価の１，３，５−トリアジン基、２価の置換もしくは非置換ジフェニルスルホン基、２〜４価のパーフルオロビフェニル基、２価の置換もしくは非置換２，２−ビス（（ヒドロキシプロポキシ）フェニル）プロピル基、置換もしくは非置換ポリビニルベンジル基が好適である。
【００２７】
電荷受容性ドーパント物質と電荷輸送性物質との混合比率は、電荷受容性ドーパントの分子構造、電荷輸送性物質の分子構造、電荷受容性ドーパントの分子量、電荷輸送性物質の分子量、導電性膜の目標導電率により異なるが、電荷輸送性物質中のＮＨ構造に対して、電荷受容性ドーパント中のＳＯ3Ｈが１：０．０１〜２０（モル比）となる量が好ましく、より好ましくはＮＨ：ＳＯ3Ｈ＝１：０．０５〜１０（モル比）である。
特に、本発明の電荷輸送性物質と電荷受容性ドーパント；式（８）で示されるナフタレンジスルホン酸オリゴマー（ＮＳＯ−２）（国際公開第２００６／０２５３４２号パンフレット記載の化合物）との組み合わせでは、透明性（ホスト量が少なくなると透過率が向上する）、ＥＬ特性（ホストは可視領域に吸収を持っており、励起子からのエネルギー移動を引き起こし易いため、混合比が重要となる）の観点から最適混合モル比は、電荷輸送性物質：電荷受容性ドーパント＝１：０．０１〜１０．０であり、より好ましくは電荷輸送性物質：電荷受容性ドーパント＝１：０．０５〜４．０である。
【００２８】
【化８】
0005413369.tif 000009
【００２９】
正孔受容性ドーパントの具体例としては、アルカリ金属（Ｌｉ，Ｎａ，Ｋ，Ｃｓ）、リチウムキノリノラート（Ｌｉｑ）、リチウムアセチルアセトナート（Ｌｉ（ａｃａｃ））等の金属錯体が挙げられるが、これに限定されるものではない。
【００３０】
また、本発明の電荷輸送性ワニスには、シラン化合物が配合される。
このシラン化合物としては、ジアルコキシシラン化合物、トリアルコキシシラン化合物、テトラアルコキシシラン化合物、およびシリコーン化合物から選ばれる少なくとも１種が挙げられ、電荷輸送性ワニスに使用する少なくとも１種の溶媒に溶解するものが好ましい。
シラン化合物の配合量は、多量に配合し過ぎると、素子内へ電流が注入されなくなる虞があるため、電荷輸送性ワニスの固形分の総質量に対して１〜５０質量％程度が好ましく、１〜４０質量％がより好ましく、３〜３５質量％がより一層好ましい。
【００３１】
トリアルコキシシラン化合物としては、例えば、式（９）で示されるものが挙げられる。
Ｙ1Ｓｉ（ＯＹ2）3      （９）
（式中、Ｙ1は、ハロゲン原子、水素原子、またはＺで置換されていてもよい、炭素数１〜１２アルキル基、炭素数２〜１２アルケニル基、炭素数２〜１２アルキニル基、アリール基、もしくはヘテロアリール基を表し、Ｙ2は、炭素数１〜１２アルキル基を表し、Ｚは、ハロゲン原子、水素原子、炭素数１〜１２ハロアルキル基、炭素数１〜１２アルキル基、ヒドロキシル基、メルカプト基、アミノ基、炭素数１〜１２ハロアルコキシ基、炭素数１〜１２アルコキシ基、炭素数２〜１２アルケニル基、炭素数２〜１２ハロアルケニル基、炭素数２〜１２アルキニル基、炭素数２〜１２ハロアルキニル基、炭素数１〜１２アルキルチオ基、炭素数１〜１２モノアルキルアミノ基、炭素数１〜１２ジアルキルアミノ基、グリシドキシ基、炭素数１〜１２アルキルカルボニル基、炭素数２〜１２アルケニルカルボニル基、炭素数２〜１２アルキニルカルボニル基、炭素数１〜１２アルキルカルボニルオキシ基、炭素数２〜１２アルケニルカルボニルオキシ基、炭素数２〜１２アルキニルカルボニルオキシ基、アリール基、ハロゲン化アリール基、ヘテロアリール基、またはハロゲン化ヘテロアリール基を表す。）
【００３２】
ジアルコキシシラン化合物としては、例えば、式（１０）で示されるものが挙げられる。
Ｙ3Ｙ4Ｓｉ（ＯＹ5）2      （１０）
（Ｙ3およびＹ4は、互いに独立して、ハロゲン原子、またはＺで置換されていてもよい、炭素数１〜１２アルキル基、炭素数２〜１２アルケニル基、炭素数２〜１２アルキニル基、アリール基、もしくはヘテロアリール基を表し、Ｙ5は、炭素数１〜１２アルキル基を表し、Ｚは、ハロゲン原子、水素原子、炭素数１〜１２ハロアルキル基、炭素数１〜１２アルキル基、ヒドロキシル基、メルカプト基、アミノ基、炭素数１〜１２ハロアルコキシ基、炭素数１〜１２アルコキシ基、炭素数２〜１２アルケニル基、炭素数２〜１２ハロアルケニル基、炭素数２〜１２アルキニル基、炭素数２〜１２ハロアルキニル基、炭素数１〜１２アルキルチオ基、炭素数１〜１２モノアルキルアミノ基、炭素数１〜１２ジアルキルアミノ基、グリシドキシ基、炭素数１〜１２アルキルカルボニル基、炭素数２〜１２アルケニルカルボニル基、炭素数２〜１２アルキニルカルボニル基、炭素数１〜１２アルキルカルボニルオキシ基、炭素数２〜１２アルケニルカルボニルオキシ基、炭素数２〜１２アルキニルカルボニルオキシ基、アリール基、ハロゲン化アリール基、ヘテロアリール基、またはハロゲン化ヘテロアリール基を表す。）
【００３３】
テトラアルコキシシラン化合物としては、例えば、式（１１）で示されるものが挙げられる。
Ｓｉ（ＯＹ6）4      （１１）
（式中、Ｙ6は、炭素数１〜１２アルキル基を表す。）
【００３４】
Ｙ1、Ｙ3およびＹ4において、ハロゲン原子としては、式（１）で述べたものと同様のものが挙げられるが、中でもフッ素原子が好ましい。
Ｚで置換されていてもよい炭素数１〜１２アルキル基は、直鎖、分岐、環状のいずれでもよく、その具体例としては、式（１）の一価炭化水素基のアルキル基、シクロアルキル基、ビシクロアルキル基で例示したものに加え、ｓ−ブチル、ｎ−ペンチル、ｎ−ヘプチル、ｎ−ノニル、ｎ−デシル、ｎ−ウンデシル、ｎ−ドデシル、ｃ−プロピル、ｃ−ブチル、ｃ−ペンチル、ｃ−ヘキシルが挙げられる。
Ｚで置換されていてもよい炭素数２〜１２アルケニル基の具体例としては、式（１）の一価炭化水素基のアルケニル基で例示したものが挙げられる。
【００３５】
Ｚで置換されていてもよい炭素数２〜１２アルキニル基の具体例としては、エチニル基、１−プロピニル基、２−プロピニル基、２−メチル−１−プロピニル基、１−メチル−２−プロピニル基、１または２または３−ブチニル基等が挙げられる。
Ｚで置換されていてもよいアリール基の具体例としては、式（１）の一価炭化水素基のアリール基で例示したものが挙げられる。
Ｚで置換されていてもよいヘテロアリール基としては、チオフェン−２−イル基、フラン−２−イル基、ピロール−２−イル基、イミダゾール−２−イル基、ピリジン−２−イル基、ピリミジン−２−イル基等が挙げられる。
【００３６】
これらの中でも、Ｙ1、Ｙ3およびＹ4としては、有機ＥＬ素子の長寿命化および輝度向上を考慮すると、フッ素原子、水素原子、Ｚで置換されていてもよい、炭素数１〜１２アルキル基、炭素数２〜１２アルケニル基、炭素数２〜１２アルキニル基、アリール基、またはヘテロアリール基が好ましい。
【００３７】
Ｚにおいて、炭素数１〜１２アルキル基、炭素数２〜１２アルケニル基、炭素数２〜１２アルキニル基、アリール基、ヘテロアリール基およびハロゲン原子の具体例としては、上述と同様のものが挙げられる。
炭素数１〜１２ハロアルキル基の具体例としては、トリフルオロメチル基、２，２，２−トリフルオロエチル基、１，１，２，２，２−ペンタフルオロエチル基、３，３，３−トリフルオロプロピル基、２，２，３，３，３−ペンタフルオロプロピル基、パーフルオロプロピル基、ヘプタフルオロイソプロピル基、パーフルオロブチル基、パーフルオロペンチル基、パーフルオロヘキシル基、パーフルオロヘプチル基、パーフルオロオクチル基、パーフルオロノニル基、パーフルオロデシル基、パーフルオロウンデシル基、パーフルオロドデシル基、ヘプタデカフルオロ−１，１，２，２−テトラヒドロデシル基等が挙げられる。
【００３８】
炭素数１〜１２ハロアルコキシ基の具体例としては、トリフルオロメトキシ基、２，２，２−トリフルオロエトキシ基、１，１，２，２，２−ペンタフルオロエトキシ基、３，３，３−トリフルオロプロポキシ基、２，２，３，３，３−ペンタフルオロプロポキシ基、パーフルオロプロポキシ基、ヘプタフルオロイソプロポキシ基、パーフルオロブトキシ基、パーフルオロペンチルオキシ基、パーフルオロヘキシルオキシ基、パーフルオロヘプチルオキシ基、パーフルオロオクチルオキシ基、パーフルオロノニルオキシ基、パーフルオロデシルオキシ基、パーフルオロウンデシルオキシ基、パーフルオロドデシルオキシ基、ヘプタデカフルオロ−１，１，２，２−テトラヒドロデシルオキシ基等が挙げられる。
【００３９】
炭素数１〜１２アルコキシ基の具体例としては、メトキシ基、エトキシ基、ｎ−プロポキシ基、ｉ−プロポキシ基、ｎ−ブトキシ基、ｓ−ブトキシ基、ｔ−ブトキシ基、ｎ−ペントキシ基等が挙げられる。
炭素数２〜１２ハロアルケニル基の具体例としては、フルオロビニル基、ジフルオロビニル基、３，３，３−トリフルオロ−１−プロペニル基、３，３，３−トリフルオロ−２−プロペニル基、２−プロペニル基等が挙げられる。
炭素数２〜１２ハロアルキニル基の具体例としては、３，３，３−トリフルオロ−１−プロピニル基、３，３，３−トリフルオロ−２−プロピニル基等が挙げられる。
【００４０】
炭素数１〜１２アルキルチオ基の具体例としては、式（１）のオルガノチオ基で例示したものが挙げられる。
炭素数１〜１２モノアルキルアミノ基およびジアルキルアミノ基の具体例としては、式（１）のオルガノアミノ基で例示したものが挙げられる。
炭素数１〜１２アルキルカルボニル基の具体例としては、メチルカルボニル基、エチルカルボニル基、ｎ−プロピルカルボニル基、ｉ−プロピルカルボニル基、ｎ−ブチルカルボニル基、ｓ−ブチルカルボニル基、ｔ−ブチルカルボニル基、ｎ−ペンチルカルボニル基等が挙げられる。
炭素数１〜１２アルキルカルボニルオキシ基の具体例としては、メチルカルボニルオキシ基、エチルカルボニルオキシ基、ｎ−プロピルカルボニルオキシ基、ｉ−プロピルカルボニルオキシ基、ｎ−ブチルカルボニルオキシ基、ｓ−ブチルカルボニルオキシ基、ｔ−ブチルカルボニルオキシ基、ｎ−ペンチルカルボニルオキシ基等が挙げられる。
【００４１】
炭素数２〜１２アルケニルカルボニル基の具体例としては、ビニルカルボニル基、１−プロペニルカルボニル基、２−プロペニルカルボニル基、２−メチル−１−プロペニルカルボニル基、１−メチル−２−プロペニルカルボニル基等が挙げられる。
炭素数２〜１２アルキニルカルボニル基の具体例としては、エチニルカルボニル基、１−プロピニルカルボニル基、２−プロピニルカルボニル基、２−メチル−１−プロピニルカルボニル基、１−メチル−２−プロピニルカルボニル基等が挙げられる。
炭素数２〜１２アルケニルカルボニルオキシ基の具体例としては、ビニルカルボニルオキシ基、１−プロペニルカルボニルオキシ基、２−プロペニルカルボニルオキシ基、２−メチル−１−プロペニルカルボニルオキシ基、１−メチル−２−プロペニルカルボニルオキシ基等が挙げられる。
【００４２】
炭素数２〜１２アルキニルカルボニルオキシ基の具体例としては、エチニルカルボニルオキシ基、１−プロピニルカルボニルオキシ基、２−プロピニルカルボニルオキシ基、２−メチル−１−プロピニルカルボニルオキシ基、１−メチル−２−プロピニルカルボニルオキシ基等が挙げられる。
ハロゲン化アリール基の具体例としては、１−フルオロフェニル基、２−フルオロフェニル基、３−フルオロフェニル基、４−フルオロフェニル基、５−フルオロフェニル基、ペンタフルオロフェニル基等が挙げられる。
ハロゲン化ヘテロアリール基の具体例としては、３−フルオロチオフェン−２−イル基、４−フルオロチオフェン−２−イル基、５−フルオロチオフェン−２−イル基等が挙げられる。
【００４３】
これらの中でも、Ｚとしては、有機ＥＬ素子の長寿命化および輝度向上を図ることを考慮すると、ハロゲン原子、水素原子、炭素数１〜１２ハロアルキル基、炭素数１〜１２アルキル基、炭素数２〜１２アルケニル基、炭素数２〜１２ハロアルケニル基、炭素数２〜１２アルキニル基、炭素数２〜１２ハロアルキニル基、アリール基、ハロゲン化アリール基、ヘテロアリール基、ハロゲン化ヘテロアリール基が好ましい。
本発明において、フッ素原子や、フッ素原子を含む置換基を有するシラン化合物は、これを含むワニスから作製された薄膜中で優れた表面移行性を有しているため、薄膜の最表面付近に多く存在することになる。このため、このようなフッ素原子を含むシラン化合物をワニスに配合することで、得られる薄膜の表面エネルギーの調整を容易に行えるようになる。
したがって、上述したトリアルコキシシランの場合は、Ｙ1がフッ素原子であるか、フッ素原子を含む置換基であることが好ましく、ジアルコキシシランの場合は、Ｙ3およびＹ4の少なくとも一方がフッ素原子であるか、フッ素原子を含む置換基であることが好ましい。
【００４４】
Ｙ2、Ｙ5およびＹ6は、炭素数１〜１２アルキル基であるが、有機ＥＬ素子の長寿命化および輝度向上を図ることを考慮すると、炭素数１〜５アルキル基が好ましく、特に、メチル基、エチル基、ｎ−プロピル基が好適である。
【００４５】
トリアルコキシシラン化合物の具体例としては、メチルトリメトキシシラン、メチルトリエトキシシラン、エチルトリメトキシシラン、エチルトリエトキシシラン、プロピルトリメトキシシラン、プロピルトリエトキシシラン、ブチルトリメトキシシラン、ブチルトリエトキシシラン、ペンチルトリメトキシシラン、ペンチルトリエトキシシラン、ヘプチルトリメトキシシラン、ヘプチルトリエトキシシラン、オクチルトリメトキシシラン、オクチルトリエトキシシラン、ドデシルトリメトキシシラン、ドデシルトリエトキシシラン、ヘキサデシルトリメトキシシラン、ヘキサデシルトリエトキシシラン、オクタデシルトリメトキシシラン、オクタデシルトリエトキシシラン、フェニルトリメトキシシラン、フェニルトリエトキシシラン、ビニルトリメトキシシラン、ビニルトリエトキシシラン、γ−アミノプロピルトリメトキシシラン、γ−アミノプロピルトリエトキシシラン、γ−グリシドキシプロピルトリメトキシシラン、γ−グリシドキシプロピルトリエトキシシラン、γ−メタクリロキシプロピルトリメトキシシラン、γ−メタクリロキシプロピルトリエトキシシラン、トリエトキシ（４−（トリフルオロメチル）フェニル）シラン、３，３，３−トリフルオロプロピルトリメトキシシラン、（トリエトキシシリル）シクロヘキサン、パーフルオロオクチルエチルトリエトキシシラン、トリエトキシフルオロシラン、トリデカフルオロ−１，１，２，２−テトラヒドロオクチルトリエトキシシラン、ペンタフルオロフェニルプロピルトリメトキシシラン、３−（ヘプタフルオロイソプロポキシ）プロピルトリエトキシシラン、ヘプタデカフルオロ−１，１，２，２−テトラヒドロデシルトリエトキシシラン、トリエトキシ−２−チエニルシラン、３−（トリエトキシシリル）フランなどが挙げられる。これらは単独で、または２種以上組み合わせて用いることができる。
【００４６】
好ましいトリアルコキシシラン化合物の具体例としては、メチルトリメトキシシラン、メチルトリエトキシシラン、エチルトリメトキシシラン、エチルトリエトキシシラン、プロピルトリメトキシシラン、プロピルトリエトキシシラン、ブチルトリメトキシシラン、ブチルトリエトキシシラン、フェニルトリメトキシシラン、フェニルトリエトキシシラン、ビニルトリメトキシシラン、ビニルトリエトキシシラン、γ−グリシドキシプロピルトリメトキシシラン、γ−グリシドキシプロピルトリエトキシシラン、トリエトキシ（４−（トリフルオロメチル）フェニル）シラン、３，３，３−トリフルオロプロピルトリメトキシシラン、（トリエトキシシリル）シクロヘキサン、パーフルオロオクチルエチルトリエトキシシラン、トリエトキシフルオロシラン、トリデカフルオロ−１，１，２，２−テトラヒドロオクチルトリエトキシシラン、ペンタフルオロフェニルプロピルトリメトキシシラン、３−（ヘプタフルオロイソプロポキシ）プロピルトリエトキシシラン、ヘプタデカフルオロ−１，１，２，２−テトラヒドロデシルトリエトキシシラン、トリエトキシ−２−チエニルシラン、３−（トリエトキシシリル）フランなどが挙げられる。
【００４７】
より好ましいトリアルコキシシラン化合物の具体例としては、メチルトリメトキシシラン、メチルトリエトキシシラン、エチルトリメトキシシラン、エチルトリエトキシシラン、プロピルトリメトキシシラン、プロピルトリエトキシシラン、ブチルトリメトキシシラン、ブチルトリエトキシシラン、フェニルトリメトキシシラン、フェニルトリエトキシシラン、ビニルトリメトキシシラン、ビニルトリエトキシシラン、トリエトキシ（４−（トリフルオロメチル）フェニル）シラン、３，３，３−トリフルオロプロピルトリメトキシシラン、（トリエトキシシリル）シクロヘキサン、パーフルオロオクチルエチルトリエトキシシラン、トリエトキシフルオロシラン、トリデカフルオロ−１，１，２，２−テトラヒドロオクチルトリエトキシシラン、ペンタフルオロフェニルプロピルトリメトキシシラン、３−（ヘプタフルオロイソプロポキシ）プロピルトリエトキシシラン、ヘプタデカフルオロ−１，１，２，２−テトラヒドロデシルトリエトキシシラン、トリエトキシ−２−チエニルシラン、３−（トリエトキシシリル）フランなどが挙げられる。
【００４８】
ジアルコキシシラン化合物の具体例としては、メチルハイドロジェンジメトキシシラン、メチルハイドロジェンジエトキシシラン、ジメチルジメトキシシラン、ジメチルジエトキシシラン、メチルエチルジメトキシシラン、ジエチルジメトキシシラン、ジエチルジエトキシシラン、メチルプロピルジメトキシシラン、メチルプロピルジエトキシシラン、ジイソプロピルジメトキシシラン、フェニルメチルジメトキシシラン、ビニルメチルジメトキシシラン、γ−グリシドキシプロピルメチルジメトキシシラン、γ−グリシドキシプロピルメチルジエトキシシラン、β−（３，４−エポキシシクロヘキシル）エチルメチルジメトキシシラン、γ−メタクリロキシプロピルメチルジメトキシシラン、γ−メタクリロキシプロピルメチルジエトキシシラン、γ−メルカプトプロピルメチルジメトキシシラン、γ−アミノプロピルメチルジエトキシシラン、Ｎ−（２−アミノエチル）アミノプロピルメチルジメトキシシラン、３，３，３−トリフルオロプロピルメチルジメトキシシランなどが挙げられる。これらは単独で、または２種以上組み合わせて用いることができる。
好ましいジアルコキシシラン化合物としては、３，３，３−トリフルオロプロピルメチルジメトキシシラン等のフッ素原子を含有するものが挙げられる。
【００４９】
テトラアルコキシシラン化合物の具体例としては、テトラエトキシシラン、テトラメトキシシラン、テトラプロポキシシランなどが挙げられる。これらは、単独で、または２種以上組み合わせて用いることができる。
シリコーン化合物の具体例としては、ジメチルシリコーンオイル、メチルフェニルシリコーンオイル、メチルハイドロジェンシリコーンオイル、アルキル変性シリコーンオイル、フッ素変性シリコーンオイル、ポリエーテル変性シリコーンオイル、アルコール変性シリコーンオイル、アミノ変性シリコーンオイル、エポキシ変性シリコーンオイル、フェノール変性シリコーンオイル、カルボキシ変性シリコーンオイル、メルカプト変性シリコーン、メタクリレート変性シリコーンなどが挙げられる。これらは単独で、または２種以上組み合わせて用いることができる。
【００５０】
本発明の電荷輸送性ワニスにおいては、上述した各種シラン化合物のうちの、少なくとも２種を併用することが好ましく、これにより、より平坦性に優れた薄膜を得ることができる。
【００５１】
トリアルコキシシラン化合物を併用する場合の好適な組み合わせとしては、例えば、以下のものが挙げられる。
（１）メチルトリメトキシシランとフェニルトリメトキシシラン、メチルトリメトキシシランとフェニルトリエトキシシラン、メチルトリメトキシシランとビニルトリメトキシシラン、メチルトリメトキシシランとビニルトリエトキシシラン、メチルトリメトキシシランとγ−グリシドキシプロピルトリメトキシシラン、メチルトリメトキシシランとγ−グリシドキシプロピルトリエトキシシラン、メチルトリメトキシシランと（トリエトキシシリル）シクロヘキサン、メチルトリメトキシシランとｐ−トリルトリメトキシシラン、メチルトリメトキシシランとｐ−メトキシフェニルトリメトキシシラン、メチルトリメトキシシランとトリエトキシ−２−チエニルシラン、メチルトリメトキシシランと３−（トリエトキシシリル）フラン
【００５２】
（２）メチルトリエトキシシランとフェニルトリメトキシシラン、メチルトリエトキシシランとフェニルトリエトキシシラン、メチルトリエトキシシランとビニルトリメトキシシラン、メチルトリエトキシシランとビニルトリエトキシシラン、メチルトリエトキシシランとγ−グリシドキシプロピルトリメトキシシラン、メチルトリエトキシシランとγ−グリシドキシプロピルトリエトキシシラン、メチルトリエトキシシランと（トリエトキシシリル）シクロヘキサン、メチルトリエトキシシランとｐ−トリルトリメトキシシラン、メチルトリエトキシシランとｐ−メトキシフェニルトリメトキシシラン、メチルトリエトキシシランとトリエトキシ−２−チエニルシラン、メチルトリエトキシシランと３−（トリエトキシシリル）フラン
【００５３】
（３）エチルトリメトキシシランとフェニルトリメトキシシラン、エチルトリメトキシシランとフェニルトリエトキシシラン、エチルトリメトキシシランとビニルトリメトキシシラン、エチルトリメトキシシランとビニルトリエトキシシラン、エチルトリメトキシシランとγ−グリシドキシプロピルトリメトキシシラン、エチルトリメトキシシランとγ−グリシドキシプロピルトリエトキシシラン、エチルトリメトキシシランと（トリエトキシシリル）シクロヘキサン、エチルトリメトキシシランとｐ−トリルトリメトキシシラン、エチルトリメトキシシランとｐ−メトキシフェニルトリメトキシシラン、エチルトリメトキシシランとトリエトキシ−２−チエニルシラン、エチルトリメトキシシランと３−（トリエトキシシリル）フラン
【００５４】
（４）エチルトリエトキシシランとフェニルトリメトキシシラン、エチルトリエトキシシランとフェニルトリエトキシシラン、エチルトリエトキシシランとビニルトリメトキシシラン、エチルトリエトキシシランとビニルトリエトキシシラン、エチルトリエトキシシランとγ−グリシドキシプロピルトリメトキシシラン、エチルトリエトキシシランとγ−グリシドキシプロピルトリエトキシシラン、エチルトリエトキシシランと（トリエトキシシリル）シクロヘキサン、エチルトリエトキシシランとｐ−トリルトリメトキシシラン、エチルトリエトキシシランとｐ−メトキシフェニルトリメトキシシラン、エチルトリエトキシシランとトリエトキシ−２−チエニルシラン、エチルトリエトキシシランと３−（トリエトキシシリル）フラン
【００５５】
（５）プロピルトリメトキシシランとフェニルトリメトキシシラン、プロピルトリメトキシシランとフェニルトリエトキシシラン、プロピルトリメトキシシランとビニルトリメトキシシラン、プロピルトリメトキシシランとビニルトリエトキシシラン、プロピルトリメトキシシランとγ−グリシドキシプロピルトリメトキシシラン、プロピルトリメトキシシランとγ−グリシドキシプロピルトリエトキシシラン、プロピルトリメトキシシランと（トリエトキシシリル）シクロヘキサン、プロピルトリメトキシシランとｐ−トリルトリメトキシシラン、プロピルトリメトキシシランとｐ−メトキシフェニルトリメトキシシラン、プロピルトリメトキシシランとトリエトキシ−２−チエニルシラン、プロピルトリメトキシシランと３−（トリエトキシシリル）フラン
【００５６】
（６）プロピルトリエトキシシランとフェニルトリメトキシシラン、プロピルトリエトキシシランとフェニルトリエトキシシラン、プロピルトリエトキシシランとビニルトリメトキシシラン、プロピルトリエトキシシランとビニルトリエトキシシラン、プロピルトリエトキシシランとγ−グリシドキシプロピルトリメトキシシラン、プロピルトリエトキシシランとγ−グリシドキシプロピルトリエトキシシラン、プロピルトリエトキシシランと（トリエトキシシリル）シクロヘキサン、プロピルトリエトキシシランとｐ−トリルトリメトキシシラン、プロピルトリエトキシシランとｐ−メトキシフェニルトリメトキシシラン、プロピルトリエトキシシランとトリエトキシ−２−チエニルシラン、プロピルトリエトキシシランと３−（トリエトキシシリル）フラン
【００５７】
（７）ブチルトリメトキシシランとフェニルトリメトキシシラン、ブチルトリメトキシシランとフェニルトリエトキシシラン、ブチルトリメトキシシランとビニルトリメトキシシラン、ブチルトリメトキシシランとビニルトリエトキシシラン、ブチルトリメトキシシランとγ−グリシドキシプロピルトリメトキシシラン、ブチルトリメトキシシランとγ−グリシドキシプロピルトリエトキシシラン、ブチルトリメトキシシランと（トリエトキシシリル）シクロヘキサン、ブチルトリメトキシシランとｐ−トリルトリメトキシシラン、ブチルトリメトキシシランとｐ−メトキシフェニルトリメトキシシラン、ブチルトリメトキシシランとトリエトキシ−２−チエニルシラン、ブチルトリメトキシシランと３−（トリエトキシシリル）フラン
【００５８】
（８）ブチルトリエトキシシランとフェニルトリメトキシシラン、ブチルトリエトキシシランとフェニルトリエトキシシラン、ブチルトリエトキシシランとビニルトリメトキシシラン、ブチルトリエトキシシランとビニルトリエトキシシラン、ブチルトリエトキシシランとγ−グリシドキシプロピルトリメトキシシラン、ブチルトリエトキシシランとγ−グリシドキシプロピルトリエトキシシラン、ブチルトリエトキシシランと（トリエトキシシリル）シクロヘキサン、ブチルトリエトキシシランとｐ−トリルトリメトキシシラン、ブチルトリエトキシシランとｐ−メトキシフェニルトリメトキシシラン、ブチルトリエトキシシランとトリエトキシ−２−チエニルシラン、ブチルトリエトキシシランと３−（トリエトキシシリル）フラン
【００５９】
（９）トリエトキシ（４−（トリフルオロメチル）フェニル）シランとフェニルトリメトキシシラン、トリエトキシ（４−（トリフルオロメチル）フェニル）シランとフェニルトリエトキシシラン、トリエトキシ（４−（トリフルオロメチル）フェニル）シランとビニルトリメトキシシラン、トリエトキシ（４−（トリフルオロメチル）フェニル）シランとビニルトリエトキシシラン、トリエトキシ（４−（トリフルオロメチル）フェニル）シランとγ−グリシドキシプロピルトリメトキシシラン、トリエトキシ（４−（トリフルオロメチル）フェニル）シランとγ−グリシドキシプロピルトリエトキシシラン、トリエトキシ（４−（トリフルオロメチル）フェニル）シランと（トリエトキシシリル）シクロヘキサン、トリエトキシ（４−（トリフルオロメチル）フェニル）シランとｐ−トリルトリメトキシシラン、トリエトキシ（４−（トリフルオロメチル）フェニル）シランとｐ−メトキシフェニルトリメトキシシラン、トリエトキシ（４−（トリフルオロメチル）フェニル）シランとトリエトキシ−２−チエニルシラン、トリエトキシ（４−（トリフルオロメチル）フェニル）シランと３−（トリエトキシシリル）フラン
【００６０】
（１０）３，３，３−トリフルオロプロピルトリメトキシシランとフェニルトリメトキシシラン、３，３，３−トリフルオロプロピルトリメトキシシランとフェニルトリエトキシシラン、３，３，３−トリフルオロプロピルトリメトキシシランとビニルトリメトキシシラン、３，３，３−トリフルオロプロピルトリメトキシシランとビニルトリエトキシシラン、３，３，３−トリフルオロプロピルトリメトキシシランとγ−グリシドキシプロピルトリメトキシシラン、３，３，３−トリフルオロプロピルトリメトキシシランとγ−グリシドキシプロピルトリエトキシシラン、３，３，３−トリフルオロプロピルトリメトキシシランと（トリエトキシシリル）シクロヘキサン、３，３，３−トリフルオロプロピルトリメトキシシランとｐ−トリルトリメトキシシラン、３，３，３−トリフルオロプロピルトリメトキシシランとｐ−メトキシフェニルトリメトキシシラン、３，３，３−トリフルオロプロピルトリメトキシシランとトリエトキシ−２−チエニルシラン、３，３，３−トリフルオロプロピルトリメトキシシランと３−（トリエトキシシリル）フラン
【００６１】
（１１）パーフルオロオクチルエチルトリエトキシシランとフェニルトリメトキシシラン、パーフルオロオクチルエチルトリエトキシシランとフェニルトリエトキシシラン、パーフルオロオクチルエチルトリエトキシシランとビニルトリメトキシシラン、パーフルオロオクチルエチルトリエトキシシランとビニルトリエトキシシラン、パーフルオロオクチルエチルトリエトキシシランとγ−グリシドキシプロピルトリメトキシシラン、パーフルオロオクチルエチルトリエトキシシランとγ−グリシドキシプロピルトリエトキシシラン、パーフルオロオクチルエチルトリエトキシシランと（トリエトキシシリル）シクロヘキサン、パーフルオロオクチルエチルトリエトキシシランとｐ−トリルトリメトキシシラン、パーフルオロオクチルエチルトリエトキシシランとｐ−メトキシフェニルトリメトキシシラン、パーフルオロオクチルエチルトリエトキシシランとトリエトキシ−２−チエニルシラン、パーフルオロオクチルエチルトリエトキシシランと３−（トリエトキシシリル）フラン
【００６２】
（１２）トリエトキシフルオロシランとフェニルトリメトキシシラン、トリエトキシフルオロシランとフェニルトリエトキシシラン、トリエトキシフルオロシランとビニルトリメトキシシラン、トリエトキシフルオロシランとビニルトリエトキシシラン、トリエトキシフルオロシランとγ−グリシドキシプロピルトリメトキシシラン、トリエトキシフルオロシランとγ−グリシドキシプロピルトリエトキシシラン、トリエトキシフルオロシランと（トリエトキシシリル）シクロヘキサン、トリエトキシフルオロシランとｐ−トリルトリメトキシシラン、トリエトキシフルオロシランとｐ−メトキシフェニルトリメトキシシラン、トリエトキシフルオロシランとトリエトキシ−２−チエニルシラン、トリエトキシフルオロシランと３−（トリエトキシシリル）フラン
【００６３】
（１３）トリデカフルオロ−１，１，２，２−テトラヒドロオクチルトリエトキシシランとフェニルトリメトキシシラン、トリデカフルオロ−１，１，２，２−テトラヒドロオクチルトリエトキシシランとフェニルトリエトキシシラン、トリデカフルオロ−１，１，２，２−テトラヒドロオクチルトリエトキシシランとビニルトリメトキシシラン、トリデカフルオロ−１，１，２，２−テトラヒドロオクチルトリエトキシシランとビニルトリエトキシシラン、トリデカフルオロ−１，１，２，２−テトラヒドロオクチルトリエトキシシランとγ−グリシドキシプロピルトリメトキシシラン、トリデカフルオロ−１，１，２，２−テトラヒドロオクチルトリエトキシシランとγ−グリシドキシプロピルトリエトキシシラン、トリデカフルオロ−１，１，２，２−テトラヒドロオクチルトリエトキシシランと（トリエトキシシリル）シクロヘキサン、トリデカフルオロ−１，１，２，２−テトラヒドロオクチルトリエトキシシランとｐ−トリルトリメトキシシラン、トリデカフルオロ−１，１，２，２−テトラヒドロオクチルトリエトキシシランとｐ−メトキシフェニルトリメトキシシラン、トリデカフルオロ−１，１，２，２−テトラヒドロオクチルトリエトキシシランとトリエトキシ−２−チエニルシラン、トリデカフルオロ−１，１，２，２−テトラヒドロオクチルトリエトキシシランと３−（トリエトキシシリル）フラン
【００６４】
（１４）３−（ヘプタフルオロイソプロポキシ）プロピルトリエトキシシランとフェニルトリメトキシシラン、３−（ヘプタフルオロイソプロポキシ）プロピルトリエトキシシランとフェニルトリエトキシシラン、３−（ヘプタフルオロイソプロポキシ）プロピルトリエトキシシランとビニルトリメトキシシラン、３−（ヘプタフルオロイソプロポキシ）プロピルトリエトキシシランとビニルトリエトキシシラン、３−（ヘプタフルオロイソプロポキシ）プロピルトリエトキシシランとγ−グリシドキシプロピルトリメトキシシラン、３−（ヘプタフルオロイソプロポキシ）プロピルトリエトキシシランとγ−グリシドキシプロピルトリエトキシシラン、３−（ヘプタフルオロイソプロポキシ）プロピルトリエトキシシランと（トリエトキシシリル）シクロヘキサン、３−（ヘプタフルオロイソプロポキシ）プロピルトリエトキシシランとｐ−トリルトリメトキシシラン、３−（ヘプタフルオロイソプロポキシ）プロピルトリエトキシシランとｐ−メトキシフェニルトリメトキシシラン、３−（ヘプタフルオロイソプロポキシ）プロピルトリエトキシシランとトリエトキシ−２−チエニルシラン、３−（ヘプタフルオロイソプロポキシ）プロピルトリエトキシシランと３−（トリエトキシシリル）フラン
【００６５】
（１５）ヘプタデカフルオロ−１，１，２，２−テトラヒドロデシルトリエトキシシランとフェニルトリメトキシシラン、ヘプタデカフルオロ−１，１，２，２−テトラヒドロデシルトリエトキシシランとフェニルトリエトキシシラン、ヘプタデカフルオロ−１，１，２，２−テトラヒドロデシルトリエトキシシランとビニルトリメトキシシラン、ヘプタデカフルオロ−１，１，２，２−テトラヒドロデシルトリエトキシシランとビニルトリエトキシシラン、ヘプタデカフルオロ−１，１，２，２−テトラヒドロデシルトリエトキシシランとγ−グリシドキシプロピルトリメトキシシラン、ヘプタデカフルオロ−１，１，２，２−テトラヒドロデシルトリエトキシシランとγ−グリシドキシプロピルトリエトキシシラン、ヘプタデカフルオロ−１，１，２，２−テトラヒドロデシルトリエトキシシランと（トリエトキシシリル）シクロヘキサン、ヘプタデカフルオロ−１，１，２，２−テトラヒドロデシルトリエトキシシランとｐ−トリルトリメトキシシラン、ヘプタデカフルオロ−１，１，２，２−テトラヒドロデシルトリエトキシシランとｐ−メトキシフェニルトリメトキシシラン、ヘプタデカフルオロ−１，１，２，２−テトラヒドロデシルトリエトキシシランとトリエトキシ−２−チエニルシラン、ヘプタデカフルオロ−１，１，２，２−テトラヒドロデシルトリエトキシシランと３−（トリエトキシシリル）フラン
【００６６】
（１６）トリエトキシ−２−チエニルシランとフェニルトリメトキシシラン、トリエトキシ−２−チエニルシランとフェニルトリエトキシシラン、トリエトキシ−２−チエニルシランとビニルトリメトキシシラン、トリエトキシ−２−チエニルシランとビニルトリエトキシシラン、トリエトキシ−２−チエニルシランとγ−グリシドキシプロピルトリメトキシシラン、トリエトキシ−２−チエニルシランとγ−グリシドキシプロピルトリエトキシシラン、トリエトキシ−２−チエニルシランと（トリエトキシシリル）シクロヘキサン、トリエトキシ−２−チエニルシランとｐ−トリルトリメトキシシラン、トリエトキシ−２−チエニルシランとｐ−メトキシフェニルトリメトキシシラン、トリエトキシ−２−チエニルシランと３−（トリエトキシシリル）フラン
【００６７】
（１７）３−（トリエトキシシリル）フランとフェニルトリメトキシシラン、３−（トリエトキシシリル）フランとフェニルトリエトキシシラン、３−（トリエトキシシリル）フランとビニルトリメトキシシラン、３−（トリエトキシシリル）フランとビニルトリエトキシシラン、３−（トリエトキシシリル）フランとγ−グリシドキシプロピルトリメトキシシラン、３−（トリエトキシシリル）フランとγ−グリシドキシプロピルトリエトキシシラン、３−（トリエトキシシリル）フランと（トリエトキシシリル）シクロヘキサン、３−（トリエトキシシリル）フランとｐ−トリルトリメトキシシラン、３−（トリエトキシシリル）フランとｐ−メトキシフェニルトリメトキシシラン、３−（トリエトキシシリル）フランとトリエトキシ−２−チエニルシラン
【００６８】
（１８）フェニルトリメトキシシランとフェニルトリエトキシシラン、フェニルトリメトキシシランとビニルトリメトキシシラン、フェニルトリメトキシシランとビニルトリエトキシシラン、フェニルトリメトキシシランとγ−グリシドキシプロピルトリメトキシシラン、フェニルトリメトキシシランとγ−グリシドキシプロピルトリエトキシシラン、フェニルトリメトキシシランと（トリエトキシシリル）シクロヘキサン、フェニルトリメトキシシランとｐ−トリルトリメトキシシラン、フェニルトリメトキシシランとｐ−メトキシフェニルトリメトキシシラン、フェニルトリメトキシシランとトリエトキシ−２−チエニルシラン、フェニルトリメトキシシランと３−（トリエトキシシリル）フラン
【００６９】
（１９）フェニルトリエトキシシランとフェニルトリメトキシシラン、フェニルトリエトキシシランとビニルトリメトキシシラン、フェニルトリエトキシシランとビニルトリエトキシシラン、フェニルトリエトキシシランとγ−グリシドキシプロピルトリメトキシシラン、フェニルトリエトキシシランとγ−グリシドキシプロピルトリエトキシシラン、フェニルトリエトキシシランと（トリエトキシシリル）シクロヘキサン、フェニルトリエトキシシランとｐ−トリルトリメトキシシラン、フェニルトリエトキシシランとｐ−メトキシフェニルトリメトキシシラン、フェニルトリエトキシシランとトリエトキシ−２−チエニルシラン、フェニルトリエトキシシランと３−（トリエトキシシリル）フラン
【００７０】
（２０）ビニルトリメトキシシランとフェニルトリメトキシシラン、ビニルトリメトキシシランとフェニルトリエトキシシラン、ビニルトリメトキシシランとビニルトリエトキシシラン、ビニルトリメトキシシランとγ−グリシドキシプロピルトリメトキシシラン、ビニルトリメトキシシランとγ−グリシドキシプロピルトリエトキシシラン、ビニルトリメトキシシランと（トリエトキシシリル）シクロヘキサン、ビニルトリメトキシシランとｐ−トリルトリメトキシシラン、ビニルトリメトキシシランとｐ−メトキシフェニルトリメトキシシラン、ビニルトリメトキシシランとトリエトキシ−２−チエニルシラン、ビニルトリメトキシシランと３−（トリエトキシシリル）フラン
【００７１】
（２１）ビニルトリエトキシシランとフェニルトリメトキシシラン、ビニルトリエトキシシランとフェニルトリエトキシシラン、ビニルトリエトキシシランとビニルトリメトキシシラン、ビニルトリエトキシシランとγ−グリシドキシプロピルトリメトキシシラン、ビニルトリエトキシシランとγ−グリシドキシプロピルトリエトキシシラン、ビニルトリエトキシシランと（トリエトキシシリル）シクロヘキサン、ビニルトリエトキシシランとｐ−トリルトリメトキシシラン、ビニルトリエトキシシランとｐ−メトキシフェニルトリメトキシシラン、ビニルトリエトキシシランとトリエトキシ−２−チエニルシラン、ビニルトリエトキシシランと３−（トリエトキシシリル）フラン
【００７２】
（２２）γ−グリシドキシプロピルトリメトキシシランとフェニルトリメトキシシラン、γ−グリシドキシプロピルトリメトキシシランとフェニルトリエトキシシラン、γ−グリシドキシプロピルトリメトキシシランとビニルトリメトキシシラン、γ−グリシドキシプロピルトリメトキシシランとビニルトリエトキシシラン、γ−グリシドキシプロピルトリメトキシシランとγ−グリシドキシプロピルトリエトキシシラン、γ−グリシドキシプロピルトリメトキシシランと（トリエトキシシリル）シクロヘキサン、γ−グリシドキシプロピルトリメトキシシランとｐ−トリルトリメトキシシラン、γ−グリシドキシプロピルトリメトキシシランとｐ−メトキシフェニルトリメトキシシラン、γ−グリシドキシプロピルトリメトキシシランとトリエトキシ−２−チエニルシラン、γ−グリシドキシプロピルトリメトキシシランと３−（トリエトキシシリル）フラン
【００７３】
（２３）γ−グリシドキシプロピルトリエトキシシランとフェニルトリメトキシシラン、γ−グリシドキシプロピルトリエトキシシランとフェニルトリエトキシシラン、γ−グリシドキシプロピルトリエトキシシランとビニルトリメトキシシラン、γ−グリシドキシプロピルトリエトキシシランとビニルトリエトキシシラン、γ−グリシドキシプロピルトリエトキシシランとγ−グリシドキシプロピルトリメトキシシラン、γ−グリシドキシプロピルトリエトキシシランと（トリエトキシシリル）シクロヘキサン、γ−グリシドキシプロピルトリエトキシシランとｐ−トリルトリメトキシシラン、γ−グリシドキシプロピルトリエトキシシランとｐ−メトキシフェニルトリメトキシシラン、γ−グリシドキシプロピルトリエトキシシランとトリエトキシ−２−チエニルシラン、γ−グリシドキシプロピルトリエトキシシランと３−（トリエトキシシリル）フラン
【００７４】
（２４）（トリエトキシシリル）シクロヘキサンとフェニルトリメトキシシラン、（トリエトキシシリル）シクロヘキサンとフェニルトリエトキシシラン、（トリエトキシシリル）シクロヘキサンとビニルトリメトキシシラン、（トリエトキシシリル）シクロヘキサンとビニルトリエトキシシラン、（トリエトキシシリル）シクロヘキサンとγ−グリシドキシプロピルトリメトキシシラン、（トリエトキシシリル）シクロヘキサンとγ−グリシドキシプロピルトリエトキシシラン、（トリエトキシシリル）シクロヘキサンとｐ−トリルトリメトキシシラン、（トリエトキシシリル）シクロヘキサンとｐ−メトキシフェニルトリメトキシシラン、（トリエトキシシリル）シクロヘキサンとトリエトキシ−２−チエニルシラン、（トリエトキシシリル）シクロヘキサンと３−（トリエトキシシリル）フラン
【００７５】
（２５）ｐ−トリルトリメトキシシランとフェニルトリメトキシシラン、ｐ−トリルトリメトキシシランとフェニルトリエトキシシラン、ｐ−トリルトリメトキシシランとビニルトリメトキシシラン、ｐ−トリルトリメトキシシランとビニルトリエトキシシラン、ｐ−トリルトリメトキシシランとγ−グリシドキシプロピルトリメトキシシラン、ｐ−トリルトリメトキシシランとγ−グリシドキシプロピルトリエトキシシラン、ｐ−トリルトリメトキシシランと（トリエトキシシリル）シクロヘキサン、ｐ−トリルトリメトキシシランとｐ−メトキシフェニルトリメトキシシラン、ｐ−トリルトリメトキシシランとトリエトキシ−２−チエニルシラン、ｐ−トリルトリメトキシシランと３−（トリエトキシシリル）フラン
【００７６】
（２６）ｐ−メトキシフェニルトリメトキシシランとフェニルトリメトキシシラン、ｐ−メトキシフェニルトリメトキシシランとフェニルトリエトキシシラン、ｐ−メトキシフェニルトリメトキシシランとビニルトリメトキシシラン、ｐ−メトキシフェニルトリメトキシシランとビニルトリエトキシシラン、ｐ−メトキシフェニルトリメトキシシランとγ−グリシドキシプロピルトリメトキシシラン、ｐ−メトキシフェニルトリメトキシシランとγ−グリシドキシプロピルトリエトキシシラン、ｐ−メトキシフェニルトリメトキシシランと（トリエトキシシリル）シクロヘキサン、ｐ−メトキシフェニルトリメトキシシランとｐ−トリルトリメトキシシラン、ｐ−メトキシフェニルトリメトキシシランとトリエトキシ−２−チエニルシラン、ｐ−メトキシフェニルトリメトキシシランと３−（トリエトキシシリル）フラン
【００７７】
より好ましい組み合わせの具体例としては、下記のものが挙げられる。
（２７）メチルトリメトキシシランとフェニルトリメトキシシラン、メチルトリメトキシシランとフェニルトリエトキシシラン、メチルトリメトキシシランとビニルトリメトキシシラン、メチルトリメトキシシランとビニルトリエトキシシラン、メチルトリメトキシシランと（トリエトキシシリル）シクロヘキサン、メチルトリメトキシシランとｐ−トリルトリメトキシシラン、メチルトリメトキシシランとｐ−メトキシフェニルトリメトキシシラン、メチルトリメトキシシランとトリエトキシ−２−チエニルシラン、メチルトリメトキシシランと３−（トリエトキシシリル）フラン
【００７８】
（２８）メチルトリエトキシシランとフェニルトリメトキシシラン、メチルトリエトキシシランとフェニルトリエトキシシラン、メチルトリエトキシシランとビニルトリメトキシシラン、メチルトリエトキシシランとビニルトリエトキシシラン、メチルトリエトキシシランと（トリエトキシシリル）シクロヘキサン、メチルトリエトキシシランとｐ−トリルトリメトキシシラン、メチルトリエトキシシランとｐ−メトキシフェニルトリメトキシシラン、メチルトリエトキシシランとトリエトキシ−２−チエニルシラン、メチルトリエトキシシランと３−（トリエトキシシリル）フラン
【００７９】
（２９）エチルトリメトキシシランとフェニルトリメトキシシラン、エチルトリメトキシシランとフェニルトリエトキシシラン、エチルトリメトキシシランとビニルトリメトキシシラン、エチルトリメトキシシランとビニルトリエトキシシラン、エチルトリメトキシシランと（トリエトキシシリル）シクロヘキサン、エチルトリメトキシシランとｐ−トリルトリメトキシシラン、エチルトリメトキシシランとｐ−メトキシフェニルトリメトキシシラン、エチルトリメトキシシランとトリエトキシ−２−チエニルシラン、エチルトリメトキシシランと３−（トリエトキシシリル）フラン
【００８０】
（３０）エチルトリエトキシシランとフェニルトリメトキシシラン、エチルトリエトキシシランとフェニルトリエトキシシラン、エチルトリエトキシシランとビニルトリメトキシシラン、エチルトリエトキシシランとビニルトリエトキシシラン、エチルトリエトキシシランと（トリエトキシシリル）シクロヘキサン、エチルトリエトキシシランとｐ−トリルトリメトキシシラン、エチルトリエトキシシランとｐ−メトキシフェニルトリメトキシシラン、エチルトリエトキシシランとトリエトキシ−２−チエニルシラン、エチルトリエトキシシランと３−（トリエトキシシリル）フラン
【００８１】
（３１）プロピルトリメトキシシランとフェニルトリメトキシシラン、プロピルトリメトキシシランとフェニルトリエトキシシラン、プロピルトリメトキシシランとビニルトリメトキシシラン、プロピルトリメトキシシランとビニルトリエトキシシラン、プロピルトリメトキシシランと（トリエトキシシリル）シクロヘキサン、プロピルトリメトキシシランとｐ−トリルトリメトキシシラン、プロピルトリメトキシシランとｐ−メトキシフェニルトリメトキシシラン、プロピルトリメトキシシランとトリエトキシ−２−チエニルシラン、プロピルトリメトキシシランと３−（トリエトキシシリル）フラン
【００８２】
（３２）プロピルトリエトキシシランとフェニルトリメトキシシラン、プロピルトリエトキシシランとフェニルトリエトキシシラン、プロピルトリエトキシシランとビニルトリメトキシシラン、プロピルトリエトキシシランとビニルトリエトキシシラン、プロピルトリエトキシシランと（トリエトキシシリル）シクロヘキサン、プロピルトリエトキシシランとｐ−トリルトリメトキシシラン、プロピルトリエトキシシランとｐ−メトキシフェニルトリメトキシシラン、プロピルトリエトキシシランとトリエトキシ−２−チエニルシラン、プロピルトリエトキシシランと３−（トリエトキシシリル）フラン
【００８３】
（３３）ブチルトリメトキシシランとフェニルトリメトキシシラン、ブチルトリメトキシシランとフェニルトリエトキシシラン、ブチルトリメトキシシランとビニルトリメトキシシラン、ブチルトリメトキシシランとビニルトリエトキシシラン、ブチルトリメトキシシランと（トリエトキシシリル）シクロヘキサン、ブチルトリメトキシシランとｐ−トリルトリメトキシシラン、ブチルトリメトキシシランとｐ−メトキシフェニルトリメトキシシラン、ブチルトリメトキシシランとトリエトキシ−２−チエニルシラン、ブチルトリメトキシシランと３−（トリエトキシシリル）フラン
【００８４】
（３４）ブチルトリエトキシシランとフェニルトリメトキシシラン、ブチルトリエトキシシランとフェニルトリエトキシシラン、ブチルトリエトキシシランとビニルトリメトキシシラン、ブチルトリエトキシシランとビニルトリエトキシシラン、ブチルトリエトキシシランと（トリエトキシシリル）シクロヘキサン、ブチルトリエトキシシランとｐ−トリルトリメトキシシラン、ブチルトリエトキシシランとｐ−メトキシフェニルトリメトキシシラン、ブチルトリエトキシシランとトリエトキシ−２−チエニルシラン、ブチルトリエトキシシランと３−（トリエトキシシリル）フラン
【００８５】
（３５）トリエトキシ（４−（トリフルオロメチル）フェニル）シランとフェニルトリメトキシシラン、トリエトキシ（４−（トリフルオロメチル）フェニル）シランとフェニルトリエトキシシラン、トリエトキシ（４−（トリフルオロメチル）フェニル）シランとビニルトリメトキシシラン、トリエトキシ（４−（トリフルオロメチル）フェニル）シランとビニルトリエトキシシラン、トリエトキシ（４−（トリフルオロメチル）フェニル）シランと（トリエトキシシリル）シクロヘキサン、トリエトキシ（４−（トリフルオロメチル）フェニル）シランとｐ−トリルトリメトキシシラン、トリエトキシ（４−（トリフルオロメチル）フェニル）シランとｐ−メトキシフェニルトリメトキシシラン、トリエトキシ（４−（トリフルオロメチル）フェニル）シランとトリエトキシ−２−チエニルシラン、トリエトキシ（４−（トリフルオロメチル）フェニル）シランと３−（トリエトキシシリル）フラン
【００８６】
（３６）３，３，３−トリフルオロプロピルトリメトキシシランとフェニルトリメトキシシラン、３，３，３−トリフルオロプロピルトリメトキシシランとフェニルトリエトキシシラン、３，３，３−トリフルオロプロピルトリメトキシシランとビニルトリメトキシシラン、３，３，３−トリフルオロプロピルトリメトキシシランとビニルトリエトキシシラン、３，３，３−トリフルオロプロピルトリメトキシシランと（トリエトキシシリル）シクロヘキサン、３，３，３−トリフルオロプロピルトリメトキシシランとｐ−トリルトリメトキシシラン、３，３，３−トリフルオロプロピルトリメトキシシランとｐ−メトキシフェニルトリメトキシシラン、３，３，３−トリフルオロプロピルトリメトキシシランとトリエトキシ−２−チエニルシラン、３，３，３−トリフルオロプロピルトリメトキシシランと３−（トリエトキシシリル）フラン
【００８７】
（３７）パーフルオロオクチルエチルトリエトキシシランとフェニルトリメトキシシラン、パーフルオロオクチルエチルトリエトキシシランとフェニルトリエトキシシラン、パーフルオロオクチルエチルトリエトキシシランとビニルトリメトキシシラン、パーフルオロオクチルエチルトリエトキシシランとビニルトリエトキシシラン、パーフルオロオクチルエチルトリエトキシシランと（トリエトキシシリル）シクロヘキサン、パーフルオロオクチルエチルトリエトキシシランとｐ−トリルトリメトキシシラン、パーフルオロオクチルエチルトリエトキシシランとｐ−メトキシフェニルトリメトキシシラン、パーフルオロオクチルエチルトリエトキシシランとトリエトキシ−２−チエニルシラン、パーフルオロオクチルエチルトリエトキシシランと３−（トリエトキシシリル）フラン
【００８８】
（３８）トリエトキシフルオロシランとフェニルトリメトキシシラン、トリエトキシフルオロシランとフェニルトリエトキシシラン、トリエトキシフルオロシランとビニルトリメトキシシラン、トリエトキシフルオロシランとビニルトリエトキシシラン、トリエトキシフルオロシランと（トリエトキシシリル）シクロヘキサン、トリエトキシフルオロシランとｐ−トリルトリメトキシシラン、トリエトキシフルオロシランとｐ−メトキシフェニルトリメトキシシラン、トリエトキシフルオロシランとトリエトキシ−２−チエニルシラン、トリエトキシフルオロシランと３−（トリエトキシシリル）フラン
【００８９】
（３９）トリデカフルオロ−１，１，２，２−テトラヒドロオクチルトリエトキシシランとフェニルトリメトキシシラン、トリデカフルオロ−１，１，２，２−テトラヒドロオクチルトリエトキシシランとフェニルトリエトキシシラン、トリデカフルオロ−１，１，２，２−テトラヒドロオクチルトリエトキシシランとビニルトリメトキシシラン、トリデカフルオロ−１，１，２，２−テトラヒドロオクチルトリエトキシシランとビニルトリエトキシシラン、トリデカフルオロ−１，１，２，２−テトラヒドロオクチルトリエトキシシランと（トリエトキシシリル）シクロヘキサン、トリデカフルオロ−１，１，２，２−テトラヒドロオクチルトリエトキシシランとｐ−トリルトリメトキシシラン、トリデカフルオロ−１，１，２，２−テトラヒドロオクチルトリエトキシシランとｐ−メトキシフェニルトリメトキシシラン、トリデカフルオロ−１，１，２，２−テトラヒドロオクチルトリエトキシシランとトリエトキシ−２−チエニルシラン、トリデカフルオロ−１，１，２，２−テトラヒドロオクチルトリエトキシシランと３−（トリエトキシシリル）フラン
【００９０】
（４０）３−（ヘプタフルオロイソプロポキシ）プロピルトリエトキシシランとフェニルトリメトキシシラン、３−（ヘプタフルオロイソプロポキシ）プロピルトリエトキシシランとフェニルトリエトキシシラン、３−（ヘプタフルオロイソプロポキシ）プロピルトリエトキシシランとビニルトリメトキシシラン、３−（ヘプタフルオロイソプロポキシ）プロピルトリエトキシシランとビニルトリエトキシシラン、３−（ヘプタフルオロイソプロポキシ）プロピルトリエトキシシランと（トリエトキシシリル）シクロヘキサン、３−（ヘプタフルオロイソプロポキシ）プロピルトリエトキシシランとｐ−トリルトリメトキシシラン、３−（ヘプタフルオロイソプロポキシ）プロピルトリエトキシシランとｐ−メトキシフェニルトリメトキシシラン、３−（ヘプタフルオロイソプロポキシ）プロピルトリエトキシシランとトリエトキシ−２−チエニルシラン、３−（ヘプタフルオロイソプロポキシ）プロピルトリエトキシシランと３−（トリエトキシシリル）フラン
【００９１】
（４１）ヘプタデカフルオロ−１，１，２，２−テトラヒドロデシルトリエトキシシランとフェニルトリメトキシシラン、ヘプタデカフルオロ−１，１，２，２−テトラヒドロデシルトリエトキシシランとフェニルトリエトキシシラン、ヘプタデカフルオロ−１，１，２，２−テトラヒドロデシルトリエトキシシランとビニルトリメトキシシラン、ヘプタデカフルオロ−１，１，２，２−テトラヒドロデシルトリエトキシシランとビニルトリエトキシシラン、ヘプタデカフルオロ−１，１，２，２−テトラヒドロデシルトリエトキシシランと（トリエトキシシリル）シクロヘキサン、ヘプタデカフルオロ−１，１，２，２−テトラヒドロデシルトリエトキシシランとｐ−トリルトリメトキシシラン、ヘプタデカフルオロ−１，１，２，２−テトラヒドロデシルトリエトキシシランとｐ−メトキシフェニルトリメトキシシラン、ヘプタデカフルオロ−１，１，２，２−テトラヒドロデシルトリエトキシシランとトリエトキシ−２−チエニルシラン、３−（トリエトキシシリル）フラン
【００９２】
（４２）トリエトキシ−２−チエニルシランとフェニルトリメトキシシラン、トリエトキシ−２−チエニルシランとフェニルトリエトキシシラン、トリエトキシ−２−チエニルシランとビニルトリメトキシシラン、トリエトキシ−２−チエニルシランとビニルトリエトキシシラン、トリエトキシ−２−チエニルシランと（トリエトキシシリル）シクロヘキサン、トリエトキシ−２−チエニルシランとｐ−トリルトリメトキシシラン、トリエトキシ−２−チエニルシランとｐ−メトキシフェニルトリメトキシシラン、トリエトキシ−２−チエニルシランと３−（トリエトキシシリル）フラン
【００９３】
（４３）３−（トリエトキシシリル）フランとフェニルトリメトキシシラン、３−（トリエトキシシリル）フランとフェニルトリエトキシシラン、３−（トリエトキシシリル）フランとビニルトリメトキシシラン、３−（トリエトキシシリル）フランとビニルトリエトキシシラン、３−（トリエトキシシリル）フランと（トリエトキシシリル）シクロヘキサン、３−（トリエトキシシリル）フランとｐ−トリルトリメトキシシラン、３−（トリエトキシシリル）フランとｐ−メトキシフェニルトリメトキシシラン、３−（トリエトキシシリル）フランとトリエトキシ−２−チエニルシラン
【００９４】
（４４）フェニルトリメトキシシランとフェニルトリエトキシシラン、フェニルトリメトキシシランとビニルトリメトキシシラン、フェニルトリメトキシシランとビニルトリエトキシシラン、フェニルトリメトキシシランと（トリエトキシシリル）シクロヘキサン、フェニルトリメトキシシランとｐ−トリルトリメトキシシラン、フェニルトリメトキシシランとｐ−メトキシフェニルトリメトキシシラン、フェニルトリメトキシシランとトリエトキシ−２−チエニルシラン、フェニルトリメトキシシランと３−（トリエトキシシリル）フラン
【００９５】
（４５）フェニルトリエトキシシランとフェニルトリメトキシシラン、フェニルトリエトキシシランとビニルトリメトキシシラン、フェニルトリエトキシシランとビニルトリエトキシシラン、フェニルトリエトキシシランと（トリエトキシシリル）シクロヘキサン、フェニルトリエトキシシランとｐ−トリルトリメトキシシラン、フェニルトリエトキシシランとｐ−メトキシフェニルトリメトキシシラン、フェニルトリエトキシシランとトリエトキシ−２−チエニルシラン、フェニルトリエトキシシランと３−（トリエトキシシリル）フラン
【００９６】
（４６）ビニルトリメトキシシランとフェニルトリメトキシシラン、ビニルトリメトキシシランとフェニルトリエトキシシラン、ビニルトリメトキシシランとビニルトリエトキシシラン、ビニルトリメトキシシランと（トリエトキシシリル）シクロヘキサン、ビニルトリメトキシシランとｐ−トリルトリメトキシシラン、ビニルトリメトキシシランとｐ−メトキシフェニルトリメトキシシラン、ビニルトリメトキシシランとトリエトキシ−２−チエニルシラン、ビニルトリメトキシシランと３−（トリエトキシシリル）フラン
【００９７】
（４７）ビニルトリエトキシシランとフェニルトリメトキシシラン、ビニルトリエトキシシランとフェニルトリエトキシシラン、ビニルトリエトキシシランとビニルトリメトキシシラン、ビニルトリエトキシシランと（トリエトキシシリル）シクロヘキサン、ビニルトリエトキシシランとｐ−トリルトリメトキシシラン、ビニルトリエトキシシランとｐ−メトキシフェニルトリメトキシシラン、ビニルトリエトキシシランとトリエトキシ−２−チエニルシラン、ビニルトリエトキシシランと３−（トリエトキシシリル）フラン
【００９８】
（４８）（トリエトキシシリル）シクロヘキサンとフェニルトリメトキシシラン、（トリエトキシシリル）シクロヘキサンとフェニルトリエトキシシラン、（トリエトキシシリル）シクロヘキサンとビニルトリメトキシシラン、（トリエトキシシリル）シクロヘキサンとビニルトリエトキシシラン、（トリエトキシシリル）シクロヘキサンとｐ−トリルトリメトキシシラン、（トリエトキシシリル）シクロヘキサンとｐ−メトキシフェニルトリメトキシシラン、（トリエトキシシリル）シクロヘキサンとトリエトキシ−２−チエニルシラン、（トリエトキシシリル）シクロヘキサンと３−（トリエトキシシリル）フラン
【００９９】
（４９）ｐ−トリルトリメトキシシランとフェニルトリメトキシシラン、ｐ−トリルトリメトキシシランとフェニルトリエトキシシラン、ｐ−トリルトリメトキシシランとビニルトリメトキシシラン、ｐ−トリルトリメトキシシランとビニルトリエトキシシラン、ｐ−トリルトリメトキシシランと（トリエトキシシリル）シクロヘキサン、ｐ−トリルトリメトキシシランとｐ−メトキシフェニルトリメトキシシラン、ｐ−トリルトリメトキシシランとトリエトキシ−２−チエニルシラン、ｐ−トリルトリメトキシシランと３−（トリエトキシシリル）フラン
【０１００】
（５０）ｐ−メトキシフェニルトリメトキシシランとフェニルトリメトキシシラン、ｐ−メトキシフェニルトリメトキシシランとフェニルトリエトキシシラン、ｐ−メトキシフェニルトリメトキシシランとビニルトリメトキシシラン、ｐ−メトキシフェニルトリメトキシシランとビニルトリエトキシシラン、ｐ−メトキシフェニルトリメトキシシランと（トリエトキシシリル）シクロヘキサン、ｐ−メトキシフェニルトリメトキシシランとｐ−トリルトリメトキシシラン、ｐ−メトキシフェニルトリメトキシシランとトリエトキシ−２−チエニルシラン、ｐ−メトキシフェニルトリメトキシシランと３−（トリエトキシシリル）フラン
【０１０１】
少なくとも１種のトリアルコキシシラン化合物と、少なくとも１種のテトラアルコキシシラン化合物とを併用する場合の好ましい組み合わせとしては以下の例が挙げられる。
（１）メチルトリメトキシシランとテトラメトキシシラン、メチルトリメトキシシランとテトラエトキシシラン、メチルトリメトキシシランとテトラプロポキシシラン
（２）メチルトリエトキシシランとテトラメトキシシラン、メチルトリエトキシシランとテトラエトキシシラン、メチルトリエトキシシランとテトラプロポキシシラン
（３）エチルトリメトキシシランとテトラメトキシシラン、エチルトリメトキシシランとテトラエトキシシラン、エチルトリメトキシシランとテトラプロポキシシラン
【０１０２】
（４）エチルトリエトキシシランとテトラメトキシシラン、エチルトリエトキシシランとテトラエトキシシラン、エチルトリエトキシシランとテトラプロポキシシラン
（５）プロピルトリメトキシシランとテトラメトキシシラン、プロピルトリメトキシシランとテトラエトキシシラン、プロピルトリメトキシシランとテトラプロポキシシラン
（６）プロピルトリエトキシシランとテトラメトキシシラン、プロピルトリエトキシシランとテトラエトキシシラン、プロピルトリエトキシシランとテトラプロポキシシラン
（７）ブチルトリメトキシシランとテトラメトキシシラン、ブチルトリメトキシシランとテトラエトキシシラン、ブチルトリメトキシシランとテトラプロポキシシラン
（８）ブチルトリエトキシシランとテトラメトキシシラン、ブチルトリエトキシシランとテトラエトキシシラン、ブチルトリエトキシシランとテトラプロポキシシラン
【０１０３】
（９）フェニルトリメトキシシランとテトラメトキシシラン、フェニルトリメトキシシランとテトラエトキシシラン、フェニルトリメトキシシランとテトラプロポキシシラン
（１０）フェニルトリエトキシシランとテトラメトキシシラン、フェニルトリエトキシシランとテトラエトキシシラン、フェニルトリエトキシシランとテトラプロポキシシラン
（１１）ｐ−トリルトリメトキシシランとテトラメトキシシラン、ｐ−トリルトリメトキシシランとテトラエトキシシラン、ｐ−トリルトリメトキシシランとテトラプロポキシシラン
（１２）ｐ−メトキシフェニルトリメトキシシランとテトラメトキシシラン、ｐ−メトキシフェニルトリメトキシシランとテトラエトキシシラン、ｐ−メトキシフェニルトリメトキシシランとテトラプロポキシシラン
【０１０４】
（１３）ビニルトリメトキシシランとテトラメトキシシラン、ビニルトリメトキシシランとテトラエトキシシラン、ビニルトリメトキシシランとテトラプロポキシシラン
（１４）ビニルトリエトキシシランとテトラメトキシシラン、ビニルトリエトキシシランとテトラエトキシシラン、ビニルトリエトキシシランとテトラプロポキシシラン
（１５）γ−グリシドキシプロピルトリメトキシシランとテトラメトキシシラン、γ−グリシドキシプロピルトリメトキシシランとテトラエトキシシラン、γ−グリシドキシプロピルトリメトキシシランとテトラプロポキシシラン
（１６）γ−グリシドキシプロピルトリエトキシシランとテトラメトキシシラン、γ−グリシドキシプロピルトリエトキシシランとテトラエトキシシラン、γ−グリシドキシプロピルトリエトキシシランとテトラプロポキシシラン
【０１０５】
（１７）トリエトキシ（４−（トリフルオロメチル）フェニル）シランとテトラメトキシシラン、トリエトキシ（４−（トリフルオロメチル）フェニル）シランとテトラエトキシシラン、トリエトキシ（４−（トリフルオロメチル）フェニル）シランとテトラプロポキシシラン
（１８）（トリエトキシシリル）シクロヘキサンとテトラメトキシシラン、（トリエトキシシリル）シクロヘキサンとテトラエトキシシラン、（トリエトキシシリル）シクロヘキサンとテトラプロポキシシラン
（１９）３，３，３−トリフルオロプロピルトリメトキシシランとテトラメトキシシラン、３，３，３−トリフルオロプロピルトリメトキシシランとテトラエトキシシラン、３，３，３−トリフルオロプロピルトリメトキシシランとテトラプロポキシシラン
（２０）パーフルオロオクチルエチルトリエトキシシランとテトラメトキシシラン、パーフルオロオクチルエチルトリエトキシシランとテトラエトキシシラン、パーフルオロオクチルエチルトリエトキシシランとテトラプロポキシシラン
【０１０６】
（２１）トリエトキシフルオロシランとテトラメトキシシラン、トリエトキシフルオロシランとテトラエトキシシラン、トリエトキシフルオロシランとテトラプロポキシシラン
（２２）トリデカフルオロ−１，１，２，２−テトラヒドロオクチルトリエトキシシランとテトラメトキシシラン、トリデカフルオロ−１，１，２，２−テトラヒドロオクチルトリエトキシシランとテトラエトキシシラン、トリデカフルオロ−１，１，２，２−テトラヒドロオクチルトリエトキシシランとテトラプロポキシシラン
（２３）ペンタフルオロフェニルプロピルトリメトキシシランとテトラメトキシシラン、ペンタフルオロフェニルプロピルトリメトキシシランとテトラエトキシシラン、ペンタフルオロフェニルプロピルトリメトキシシランとテトラプロポキシシラン
【０１０７】
（２４）３−（ヘプタフルオロイソプロポキシ）プロピルトリエトキシシランとテトラメトキシシラン、３−（ヘプタフルオロイソプロポキシ）プロピルトリエトキシシランとテトラエトキシシラン、３−（ヘプタフルオロイソプロポキシ）プロピルトリエトキシシランとテトラプロポキシシラン
（２５）ヘプタデカフルオロ−１，１，２，２−テトラヒドロデシルトリエトキシシランとテトラメトキシシラン、ヘプタデカフルオロ−１，１，２，２−テトラヒドロデシルトリエトキシシランとテトラエトキシシラン、ヘプタデカフルオロ−１，１，２，２−テトラヒドロデシルトリエトキシシランとテトラプロポキシシラン
（２６）トリエトキシ−２−チエニルシランとテトラメトキシシラン、トリエトキシ−２−チエニルシランとテトラエトキシシラン、トリエトキシ−２−チエニルシランとテトラプロポキシシラン
（２７）３−（トリエトキシシリル）フランとテトラメトキシシラン、３−（トリエトキシシリル）フランとテトラエトキシシラン、３−（トリエトキシシリル）フランとテトラプロポキシシラン
【０１０８】
より好ましい組み合わせとしては、以下の例が挙げられる。
（２８）メチルトリメトキシシランとテトラメトキシシラン、メチルトリメトキシシランとテトラエトキシシラン、メチルトリメトキシシランとテトラプロポキシシラン
（２９）メチルトリエトキシシランとテトラメトキシシラン、メチルトリエトキシシランとテトラエトキシシラン、メチルトリエトキシシランとテトラプロポキシシラン
（３０）エチルトリメトキシシランとテトラメトキシシラン、エチルトリメトキシシランとテトラエトキシシラン、エチルトリメトキシシランとテトラプロポキシシラン
（３１）エチルトリエトキシシランとテトラメトキシシラン、エチルトリエトキシシランとテトラエトキシシラン、エチルトリエトキシシランとテトラプロポキシシラン
【０１０９】
（３２）プロピルトリメトキシシランとテトラメトキシシラン、プロピルトリメトキシシランとテトラエトキシシラン、プロピルトリメトキシシランとテトラプロポキシシラン
（３３）プロピルトリエトキシシランとテトラメトキシシラン、プロピルトリエトキシシランとテトラエトキシシラン、プロピルトリエトキシシランとテトラプロポキシシラン
（３４）ブチルトリメトキシシランとテトラメトキシシラン、ブチルトリメトキシシランとテトラエトキシシラン、ブチルトリメトキシシランとテトラプロポキシシラン
（３５）ブチルトリエトキシシランとテトラメトキシシラン、ブチルトリエトキシシランとテトラエトキシシラン、ブチルトリエトキシシランとテトラプロポキシシラン
【０１１０】
（３６）フェニルトリメトキシシランとテトラメトキシシラン、フェニルトリメトキシシランとテトラエトキシシラン、フェニルトリメトキシシランとテトラプロポキシシラン
（３７）フェニルトリエトキシシランとテトラメトキシシラン、フェニルトリエトキシシランとテトラエトキシシラン、フェニルトリエトキシシランとテトラプロポキシシラン
（３８）ｐ−トリルトリメトキシシランとテトラメトキシシラン、ｐ−トリルトリメトキシシランとテトラエトキシシラン、ｐ−トリルトリメトキシシランとテトラプロポキシシラン
（３９）ｐ−メトキシフェニルトリメトキシシランとテトラメトキシシラン、ｐ−メトキシフェニルトリメトキシシランとテトラエトキシシラン、ｐ−メトキシフェニルトリメトキシシランとテトラプロポキシシラン
【０１１１】
（４０）ビニルトリメトキシシランとテトラメトキシシラン、ビニルトリメトキシシランとテトラエトキシシラン、ビニルトリメトキシシランとテトラプロポキシシラン
（４１）ビニルトリエトキシシランとテトラメトキシシラン、ビニルトリエトキシシランとテトラエトキシシラン、ビニルトリエトキシシランとテトラプロポキシシラン
（４２）トリエトキシ（４−（トリフルオロメチル）フェニル）シランとテトラメトキシシラン、トリエトキシ（４−（トリフルオロメチル）フェニル）シランとテトラエトキシシラン、トリエトキシ（４−（トリフルオロメチル）フェニル）シランとテトラプロポキシシラン
（４３）（トリエトキシシリル）シクロヘキサンとテトラメトキシシラン、（トリエトキシシリル）シクロヘキサンとテトラエトキシシラン、（トリエトキシシリル）シクロヘキサンとテトラプロポキシシラン
【０１１２】
（４４）３，３，３−トリフルオロプロピルトリメトキシシランとテトラメトキシシラン、３，３，３−トリフルオロプロピルトリメトキシシランとテトラエトキシシラン、３，３，３−トリフルオロプロピルトリメトキシシランとテトラプロポキシシラン
（４５）パーフルオロオクチルエチルトリエトキシシランとテトラメトキシシラン、パーフルオロオクチルエチルトリエトキシシランとテトラエトキシシラン、パーフルオロオクチルエチルトリエトキシシランとテトラプロポキシシラン
（４６）トリエトキシフルオロシランとテトラメトキシシラン、トリエトキシフルオロシランとテトラエトキシシラン、トリエトキシフルオロシランとテトラプロポキシシラン
（４７）トリデカフルオロ−１，１，２，２−テトラヒドロオクチルトリエトキシシランとテトラメトキシシラン、トリデカフルオロ−１，１，２，２−テトラヒドロオクチルトリエトキシシランとテトラエトキシシラン、トリデカフルオロ−１，１，２，２−テトラヒドロオクチルトリエトキシシランとテトラプロポキシシラン
【０１１３】
（４８）ペンタフルオロフェニルプロピルトリメトキシシランとテトラメトキシシラン、ペンタフルオロフェニルプロピルトリメトキシシランとテトラエトキシシラン、ペンタフルオロフェニルプロピルトリメトキシシランとテトラプロポキシシラン
（４９）３−（ヘプタフルオロイソプロポキシ）プロピルトリエトキシシランとテトラメトキシシラン、３−（ヘプタフルオロイソプロポキシ）プロピルトリエトキシシランとテトラエトキシシラン、３−（ヘプタフルオロイソプロポキシ）プロピルトリエトキシシランとテトラプロポキシシラン
（５０）ヘプタデカフルオロ−１，１，２，２−テトラヒドロデシルトリエトキシシランとテトラメトキシシラン、ヘプタデカフルオロ−１，１，２，２−テトラヒドロデシルトリエトキシシランとテトラエトキシシラン、ヘプタデカフルオロ−１，１，２，２−テトラヒドロデシルトリエトキシシランとテトラプロポキシシラン
（５１）トリエトキシ−２−チエニルシランとテトラメトキシシラン、トリエトキシ−２−チエニルシランとテトラエトキシシラン、トリエトキシ−２−チエニルシランとテトラプロポキシシラン
（５２）３−（トリエトキシシリル）フランとテトラメトキシシラン、３−（トリエトキシシリル）フランとテトラエトキシシラン、３−（トリエトキシシリル）フランとテトラプロポキシシラン
【０１１４】
２種のジアルコキシシラン化合物を併用する場合の好ましい組み合わせとしては以下の例が挙げられる。
（１）メチルハイドロジェンジメトキシシランとメチルハイドロジェンジエトキシシラン、メチルハイドロジェンジメトキシシランとジメチルジメトキシシラン、メチルハイドロジェンジメトキシシランとジメチルジエトキシシラン、メチルハイドロジェンジメトキシシランとメチルエチルジメトキシシラン、メチルハイドロジェンジメトキシシランとジエチルジメトキシシラン、メチルハイドロジェンジメトキシシランとジエチルジエトキシシラン、メチルハイドロジェンジメトキシシランとメチルプロピルジメトキシシラン、メチルハイドロジェンジメトキシシランとメチルプロピルジエトキシシラン、メチルハイドロジェンジメトキシシランとジイソプロピルジメトキシシラン、メチルハイドロジェンジメトキシシランとフェニルメチルジメトキシシラン、メチルハイドロジェンジメトキシシランとビニルメチルジメトキシシラン、メチルハイドロジェンジメトキシシランとγ−グリシドキシプロピルメチルジメトキシシラン、メチルハイドロジェンジメトキシシランとγ−グリシドキシプロピルメチルジエトキシシラン、メチルハイドロジェンジメトキシシランとβ−（３，４−エポキシシクロヘキシル）エチルメチルジメトキシシラン、メチルハイドロジェンジメトキシシランとγ−メタクリロキシプロピルメチルジメトキシシラン、メチルハイドロジェンジメトキシシランとγ−メタクリロキシプロピルメチルジエトキシシラン、メチルハイドロジェンジメトキシシランとγ−メルカプトプロピルメチルジメトキシシラン、メチルハイドロジェンジメトキシシランとγ−アミノプロピルメチルジエトキシシラン、メチルハイドロジェンジメトキシシランとＮ−（２−アミノエチル）アミノプロピルメチルジメトキシシラン、メチルハイドロジェンジメトキシシランと３，３，３−トリフルオロプロピルメチルジメトキシシラン
【０１１５】
（２）メチルハイドロジェンジエトキシシランとジメチルジメトキシシラン、メチルハイドロジェンジエトキシシランとジメチルジエトキシシラン、メチルハイドロジェンジエトキシシランとメチルエチルジメトキシシラン、メチルハイドロジェンジエトキシシランとジエチルジメトキシシラン、メチルハイドロジェンジエトキシシランとジエチルジエトキシシラン、メチルハイドロジェンジエトキシシランとメチルプロピルジメトキシシラン、メチルハイドロジェンジエトキシシランとメチルプロピルジエトキシシラン、メチルハイドロジェンジエトキシシランとジイソプロピルジメトキシシラン、メチルハイドロジェンジエトキシシランとフェニルメチルジメトキシシラン、メチルハイドロジェンジエトキシシランとビニルメチルジメトキシシラン、メチルハイドロジェンジエトキシシランとγ−グリシドキシプロピルメチルジメトキシシラン、メチルハイドロジェンジエトキシシランとγ−グリシドキシプロピルメチルジエトキシシラン、メチルハイドロジェンジエトキシシランとβ−（３，４−エポキシシクロヘキシル）エチルメチルジメトキシシラン、メチルハイドロジェンジエトキシシランとγ−メタクリロキシプロピルメチルジメトキシシラン、メチルハイドロジェンジエトキシシランとγ−メタクリロキシプロピルメチルジエトキシシラン、メチルハイドロジェンジエトキシシランとγ−メルカプトプロピルメチルジメトキシシラン、メチルハイドロジェンジエトキシシランとγ−アミノプロピルメチルジエトキシシラン、メチルハイドロジェンジエトキシシランとＮ−（２−アミノエチル）アミノプロピルメチルジメトキシシラン、メチルハイドロジェンジエトキシシランと３，３，３−トリフルオロプロピルメチルジメトキシシラン
【０１１６】
（３）ジメチルジメトキシシランとジメチルジエトキシシラン、ジメチルジメトキシシランとメチルエチルジメトキシシラン、ジメチルジメトキシシランとジエチルジメトキシシラン、ジメチルジメトキシシランとジエチルジエトキシシラン、ジメチルジメトキシシランとメチルプロピルジメトキシシラン、ジメチルジメトキシシランとメチルプロピルジエトキシシラン、ジメチルジメトキシシランとジイソプロピルジメトキシシラン、ジメチルジメトキシシランとフェニルメチルジメトキシシラン、ジメチルジメトキシシランとビニルメチルジメトキシシラン、ジメチルジメトキシシランとγ−グリシドキシプロピルメチルジメトキシシラン、ジメチルジメトキシシランとγ−グリシドキシプロピルメチルジエトキシシラン、ジメチルジメトキシシランとβ−（３，４−エポキシシクロヘキシル）エチルメチルジメトキシシラン、ジメチルジメトキシシランとγ−メタクリロキシプロピルメチルジメトキシシラン、ジメチルジメトキシシランとγ−メタクリロキシプロピルメチルジエトキシシラン、ジメチルジメトキシシランとγ−メルカプトプロピルメチルジメトキシシラン、ジメチルジメトキシシランとγ−アミノプロピルメチルジエトキシシラン、ジメチルジメトキシシランとＮ−（２−アミノエチル）アミノプロピルメチルジメトキシシラン、ジメチルジメトキシシランと３，３，３−トリフルオロプロピルメチルジメトキシシラン
【０１１７】
（４）ジメチルジエトキシシランとメチルエチルジメトキシシラン、ジメチルジエトキシシランとジエチルジメトキシシラン、ジメチルジエトキシシランとジエチルジエトキシシラン、ジメチルジエトキシシランとメチルプロピルジメトキシシラン、ジメチルジエトキシシランとメチルプロピルジエトキシシラン、ジメチルジエトキシシランとジイソプロピルジメトキシシラン、ジメチルジエトキシシランとフェニルメチルジメトキシシラン、ジメチルジエトキシシランとビニルメチルジメトキシシラン、ジメチルジエトキシシランとγ−グリシドキシプロピルメチルジメトキシシラン、ジメチルジエトキシシランとγ−グリシドキシプロピルメチルジエトキシシラン、ジメチルジエトキシシランとβ−（３，４−エポキシシクロヘキシル）エチルメチルジメトキシシラン、ジメチルジエトキシシランとγ−メタクリロキシプロピルメチルジメトキシシラン、ジメチルジエトキシシランとγ−メタクリロキシプロピルメチルジエトキシシラン、ジメチルジエトキシシランとγ−メルカプトプロピルメチルジメトキシシラン、ジメチルジエトキシシランとγ−アミノプロピルメチルジエトキシシラン、ジメチルジエトキシシランとＮ−（２−アミノエチル）アミノプロピルメチルジメトキシシラン、ジメチルジエトキシシランと３，３，３−トリフルオロプロピルメチルジメトキシシラン
【０１１８】
（５）メチルエチルジメトキシシランとジエチルジメトキシシラン、メチルエチルジメトキシシランとジエチルジエトキシシラン、メチルエチルジメトキシシランとメチルプロピルジメトキシシラン、メチルエチルジメトキシシランとメチルプロピルジエトキシシラン、メチルエチルジメトキシシランとジイソプロピルジメトキシシラン、メチルエチルジメトキシシランとフェニルメチルジメトキシシラン、メチルエチルジメトキシシランとビニルメチルジメトキシシラン、メチルエチルジメトキシシランとγ−グリシドキシプロピルメチルジメトキシシラン、メチルエチルジメトキシシランとγ−グリシドキシプロピルメチルジエトキシシラン、メチルエチルジメトキシシランとβ−（３，４−エポキシシクロヘキシル）エチルメチルジメトキシシラン、メチルエチルジメトキシシランとγ−メタクリロキシプロピルメチルジメトキシシラン、メチルエチルジメトキシシランとγ−メタクリロキシプロピルメチルジエトキシシラン、メチルエチルジメトキシシランとγ−メルカプトプロピルメチルジメトキシシラン、メチルエチルジメトキシシランとγ−アミノプロピルメチルジエトキシシラン、メチルエチルジメトキシシランとＮ−（２−アミノエチル）アミノプロピルメチルジメトキシシラン、メチルエチルジメトキシシランと３，３，３−トリフルオロプロピルメチルジメトキシシラン
【０１１９】
（６）ジエチルジメトキシシランとジエチルジエトキシシラン、ジエチルジメトキシシランとメチルプロピルジメトキシシラン、ジエチルジメトキシシランとメチルプロピルジエトキシシラン、ジエチルジメトキシシランとジイソプロピルジメトキシシラン、ジエチルジメトキシシランとフェニルメチルジメトキシシラン、ジエチルジメトキシシランとビニルメチルジメトキシシラン、ジエチルジメトキシシランとγ−グリシドキシプロピルメチルジメトキシシラン、ジエチルジメトキシシランとγ−グリシドキシプロピルメチルジエトキシシラン、ジエチルジメトキシシランとβ−（３，４−エポキシシクロヘキシル）エチルメチルジメトキシシラン、ジエチルジメトキシシランとγ−メタクリロキシプロピルメチルジメトキシシラン、ジエチルジメトキシシランとγ−メタクリロキシプロピルメチルジエトキシシラン、ジエチルジメトキシシランとγ−メルカプトプロピルメチルジメトキシシラン、ジエチルジメトキシシランとγ−アミノプロピルメチルジエトキシシラン、ジエチルジメトキシシランとＮ−（２−アミノエチル）アミノプロピルメチルジメトキシシラン、ジエチルジメトキシシランと３，３，３−トリフルオロプロピルメチルジメトキシシラン
【０１２０】
（７）ジエチルジエトキシシランとメチルプロピルジメトキシシラン、ジエチルジエトキシシランとメチルプロピルジエトキシシラン、ジエチルジエトキシシランとジイソプロピルジメトキシシラン、ジエチルジエトキシシランとフェニルメチルジメトキシシラン、ジエチルジエトキシシランとビニルメチルジメトキシシラン、ジエチルジエトキシシランとγ−グリシドキシプロピルメチルジメトキシシラン、ジエチルジエトキシシランとγ−グリシドキシプロピルメチルジエトキシシラン、ジエチルジエトキシシランとβ−（３，４−エポキシシクロヘキシル）エチルメチルジメトキシシラン、ジエチルジエトキシシランとγ−メタクリロキシプロピルメチルジメトキシシラン、ジエチルジエトキシシランとγ−メタクリロキシプロピルメチルジエトキシシラン、ジエチルジエトキシシランとγ−メルカプトプロピルメチルジメトキシシラン、ジエチルジエトキシシランとγ−アミノプロピルメチルジエトキシシラン、ジエチルジエトキシシランとＮ−（２−アミノエチル）アミノプロピルメチルジメトキシシラン、ジエチルジエトキシシランと３，３，３−トリフルオロプロピルメチルジメトキシシラン
【０１２１】
（８）メチルプロピルジメトキシシランとメチルプロピルジエトキシシラン、メチルプロピルジメトキシシランとジイソプロピルジメトキシシラン、メチルプロピルジメトキシシランとフェニルメチルジメトキシシラン、メチルプロピルジメトキシシランとビニルメチルジメトキシシラン、メチルプロピルジメトキシシランとγ−グリシドキシプロピルメチルジメトキシシラン、メチルプロピルジメトキシシランとγ−グリシドキシプロピルメチルジエトキシシラン、メチルプロピルジメトキシシランとβ−（３，４−エポキシシクロヘキシル）エチルメチルジメトキシシラン、メチルプロピルジメトキシシランとγ−メタクリロキシプロピルメチルジメトキシシラン、メチルプロピルジメトキシシランとγ−メタクリロキシプロピルメチルジエトキシシラン、メチルプロピルジメトキシシランとγ−メルカプトプロピルメチルジメトキシシラン、メチルプロピルジメトキシシランとγ−アミノプロピルメチルジエトキシシラン、メチルプロピルジメトキシシランとＮ−（２−アミノエチル）アミノプロピルメチルジメトキシシラン、メチルプロピルジメトキシシランと３，３，３−トリフルオロプロピルメチルジメトキシシラン
【０１２２】
（９）メチルプロピルジエトキシシランとジイソプロピルジメトキシシラン、メチルプロピルジエトキシシランとフェニルメチルジメトキシシラン、メチルプロピルジエトキシシランとビニルメチルジメトキシシラン、メチルプロピルジエトキシシランとγ−グリシドキシプロピルメチルジメトキシシラン、メチルプロピルジエトキシシランとγ−グリシドキシプロピルメチルジエトキシシラン、メチルプロピルジエトキシシランとβ−（３，４−エポキシシクロヘキシル）エチルメチルジメトキシシラン、メチルプロピルジエトキシシランとγ−メタクリロキシプロピルメチルジメトキシシラン、メチルプロピルジエトキシシランとγ−メタクリロキシプロピルメチルジエトキシシラン、メチルプロピルジエトキシシランとγ−メルカプトプロピルメチルジメトキシシラン、メチルプロピルジエトキシシランとγ−アミノプロピルメチルジエトキシシラン、メチルプロピルジエトキシシランとＮ−（２−アミノエチル）アミノプロピルメチルジメトキシシラン、メチルプロピルジエトキシシランと３，３，３−トリフルオロプロピルメチルジメトキシシラン
【０１２３】
（１０）ジイソプロピルジメトキシシランとフェニルメチルジメトキシシラン、ジイソプロピルジメトキシシランとビニルメチルジメトキシシラン、ジイソプロピルジメトキシシランとγ−グリシドキシプロピルメチルジメトキシシラン、ジイソプロピルジメトキシシランとγ−グリシドキシプロピルメチルジエトキシシラン、ジイソプロピルジメトキシシランとβ−（３，４−エポキシシクロヘキシル）エチルメチルジメトキシシラン、ジイソプロピルジメトキシシランとγ−メタクリロキシプロピルメチルジメトキシシラン、ジイソプロピルジメトキシシランとγ−メタクリロキシプロピルメチルジエトキシシラン、ジイソプロピルジメトキシシランとγ−メルカプトプロピルメチルジメトキシシラン、ジイソプロピルジメトキシシランとγ−アミノプロピルメチルジエトキシシラン、ジイソプロピルジメトキシシランとＮ−（２−アミノエチル）アミノプロピルメチルジメトキシシラン、ジイソプロピルジメトキシシランと３，３，３−トリフルオロプロピルメチルジメトキシシラン
【０１２４】
（１１）フェニルメチルジメトキシシランとビニルメチルジメトキシシラン、フェニルメチルジメトキシシランとγ−グリシドキシプロピルメチルジメトキシシラン、フェニルメチルジメトキシシランとγ−グリシドキシプロピルメチルジエトキシシラン、フェニルメチルジメトキシシランとβ−（３，４−エポキシシクロヘキシル）エチルメチルジメトキシシラン、フェニルメチルジメトキシシランとγ−メタクリロキシプロピルメチルジメトキシシラン、フェニルメチルジメトキシシランとγ−メタクリロキシプロピルメチルジエトキシシラン、フェニルメチルジメトキシシランとγ−メルカプトプロピルメチルジメトキシシラン、フェニルメチルジメトキシシランとγ−アミノプロピルメチルジエトキシシラン、フェニルメチルジメトキシシランとＮ−（２−アミノエチル）アミノプロピルメチルジメトキシシラン、フェニルメチルジメトキシシランと３，３，３−トリフルオロプロピルメチルジメトキシシラン
【０１２５】
（１２）ビニルメチルジメトキシシランとγ−グリシドキシプロピルメチルジメトキシシラン、ビニルメチルジメトキシシランとγ−グリシドキシプロピルメチルジエトキシシラン、ビニルメチルジメトキシシランとβ−（３，４−エポキシシクロヘキシル）エチルメチルジメトキシシラン、ビニルメチルジメトキシシランとγ−メタクリロキシプロピルメチルジメトキシシラン、ビニルメチルジメトキシシランとγ−メタクリロキシプロピルメチルジエトキシシラン、ビニルメチルジメトキシシランとγ−メルカプトプロピルメチルジメトキシシラン、ビニルメチルジメトキシシランとγ−アミノプロピルメチルジエトキシシラン、ビニルメチルジメトキシシランとＮ−（２−アミノエチル）アミノプロピルメチルジメトキシシラン、ビニルメチルジメトキシシランと３，３，３−トリフルオロプロピルメチルジメトキシシラン
【０１２６】
（１３）γ−グリシドキシプロピルメチルジメトキシシランとγ−グリシドキシプロピルメチルジエトキシシラン、γ−グリシドキシプロピルメチルジメトキシシランとβ−（３，４−エポキシシクロヘキシル）エチルメチルジメトキシシラン、γ−グリシドキシプロピルメチルジメトキシシランとγ−メタクリロキシプロピルメチルジメトキシシラン、γ−グリシドキシプロピルメチルジメトキシシランとγ−メタクリロキシプロピルメチルジエトキシシラン、γ−グリシドキシプロピルメチルジメトキシシランとγ−メルカプトプロピルメチルジメトキシシラン、γ−グリシドキシプロピルメチルジメトキシシランとγ−アミノプロピルメチルジエトキシシラン、γ−グリシドキシプロピルメチルジメトキシシランとＮ−（２−アミノエチル）アミノプロピルメチルジメトキシシラン、γ−グリシドキシプロピルメチルジメトキシシランと３，３，３−トリフルオロプロピルメチルジメトキシシラン
【０１２７】
（１４）γ−グリシドキシプロピルメチルジエトキシシランとβ−（３，４−エポキシシクロヘキシル）エチルメチルジメトキシシラン、γ−グリシドキシプロピルメチルジエトキシシランとγ−メタクリロキシプロピルメチルジメトキシシラン、γ−グリシドキシプロピルメチルジエトキシシランとγ−メタクリロキシプロピルメチルジエトキシシラン、γ−グリシドキシプロピルメチルジエトキシシランとγ−メルカプトプロピルメチルジメトキシシラン、γ−グリシドキシプロピルメチルジエトキシシランとγ−アミノプロピルメチルジエトキシシラン、γ−グリシドキシプロピルメチルジエトキシシランとＮ−（２−アミノエチル）アミノプロピルメチルジメトキシシラン、γ−グリシドキシプロピルメチルジエトキシシランと３，３，３−トリフルオロプロピルメチルジメトキシシラン
【０１２８】
（１５）β−（３，４−エポキシシクロヘキシル）エチルメチルジメトキシシランとγ−メタクリロキシプロピルメチルジメトキシシラン、β−（３，４−エポキシシクロヘキシル）エチルメチルジメトキシシランとγ−メタクリロキシプロピルメチルジエトキシシラン、β−（３，４−エポキシシクロヘキシル）エチルメチルジメトキシシランとγ−メルカプトプロピルメチルジメトキシシラン、β−（３，４−エポキシシクロヘキシル）エチルメチルジメトキシシランとγ−アミノプロピルメチルジエトキシシラン、β−（３，４−エポキシシクロヘキシル）エチルメチルジメトキシシランとＮ−（２−アミノエチル）アミノプロピルメチルジメトキシシラン、β−（３，４−エポキシシクロヘキシル）エチルメチルジメトキシシランと３，３，３−トリフルオロプロピルメチルジメトキシシラン
【０１２９】
（１６）γ−メタクリロキシプロピルメチルジメトキシシランとγ−メタクリロキシプロピルメチルジエトキシシラン、γ−メタクリロキシプロピルメチルジメトキシシランとγ−メルカプトプロピルメチルジメトキシシラン、γ−メタクリロキシプロピルメチルジメトキシシランとγ−アミノプロピルメチルジエトキシシラン、γ−メタクリロキシプロピルメチルジメトキシシランとＮ−（２−アミノエチル）アミノプロピルメチルジメトキシシラン、γ−メタクリロキシプロピルメチルジメトキシシランと３，３，３−トリフルオロプロピルメチルジメトキシシラン
【０１３０】
（１７）γ−メタクリロキシプロピルメチルジエトキシシランとγ−メルカプトプロピルメチルジメトキシシラン、γ−メタクリロキシプロピルメチルジエトキシシランとγ−アミノプロピルメチルジエトキシシラン、γ−メタクリロキシプロピルメチルジエトキシシランとＮ−（２−アミノエチル）アミノプロピルメチルジメトキシシラン、γ−メタクリロキシプロピルメチルジエトキシシランと３，３，３−トリフルオロプロピルメチルジメトキシシラン
【０１３１】
（１８）γ−メルカプトプロピルメチルジメトキシシランとγ−アミノプロピルメチルジエトキシシラン、γ−メルカプトプロピルメチルジメトキシシランとＮ−（２−アミノエチル）アミノプロピルメチルジメトキシシラン、γ−メルカプトプロピルメチルジメトキシシランと３，３，３−トリフルオロプロピルメチルジメトキシシラン
（１９）γ−アミノプロピルメチルジエトキシシランとＮ−（２−アミノエチル）アミノプロピルメチルジメトキシシラン、γ−アミノプロピルメチルジエトキシシランと３，３，３−トリフルオロプロピルメチルジメトキシシラン
（２０）Ｎ−（２−アミノエチル）アミノプロピルメチルジメトキシシランと３，３，３−トリフルオロプロピルメチルジメトキシシラン
【０１３２】
少なくとも１種のジアルコキシシラン化合物と、少なくとも１種のトリアルコキシシラン化合物とを併用する場合の好ましい組み合わせとしては以下の例が挙げられる。
（１）メチルハイドロジェンジメトキシシランとメチルトリメトキシシラン、メチルハイドロジェンジメトキシシランとメチルトリエトキシシラン、メチルハイドロジェンジメトキシシランとエチルトリメトキシシラン、メチルハイドロジェンジメトキシシランとエチルトリエトキシシラン、メチルハイドロジェンジメトキシシランとプロピルトリメトキシシラン、メチルハイドロジェンジメトキシシランとプロピルトリエトキシシラン、メチルハイドロジェンジメトキシシランとブチルトリメトキシシラン、メチルハイドロジェンジメトキシシランとブチルトリエトキシシラン、メチルハイドロジェンジメトキシシランとペンチルトリメトキシシラン、メチルハイドロジェンジメトキシシランとペンチルトリエトキシシラン、メチルハイドロジェンジメトキシシランとヘプチルトリメトキシシラン、メチルハイドロジェンジメトキシシランとヘプチルトリエトキシシラン、メチルハイドロジェンジメトキシシランとオクチルトリメトキシシラン、メチルハイドロジェンジメトキシシランとオクチルトリエトキシシラン、メチルハイドロジェンジメトキシシランとドデシルトリメトキシシラン、メチルハイドロジェンジメトキシシランとドデシルトリエトキシシラン、メチルハイドロジェンジメトキシシランとヘキサデシルトリメトキシシラン、メチルハイドロジェンジメトキシシランとヘキサデシルトリエトキシシラン、メチルハイドロジェンジメトキシシランとオクタデシルトリメトキシシラン、メチルハイドロジェンジメトキシシランとオクタデシルトリエトキシシラン、メチルハイドロジェンジメトキシシランとフェニルトリメトキシシラン、メチルハイドロジェンジメトキシシランとフェニルトリエトキシシラン、メチルハイドロジェンジメトキシシランとビニルトリメトキシシラン、メチルハイドロジェンジメトキシシランとビニルトリエトキシシラン、メチルハイドロジェンジメトキシシランとγ−アミノプロピルトリメトキシシラン、メチルハイドロジェンジメトキシシランとγ−アミノプロピルトリエトキシシラン、メチルハイドロジェンジメトキシシランとγ−グリシドキシプロピルトリメトキシシラン、メチルハイドロジェンジメトキシシランとγ−グリシドキシプロピルトリエトキシシラン、メチルハイドロジェンジメトキシシランとγ−メタクリロキシプロピルトリメトキシシラン、メチルハイドロジェンジメトキシシランとγ−メタクリロキシプロピルトリエトキシシラン、メチルハイドロジェンジメトキシシランとトリエトキシ（４−（トリフルオロメチル）フェニル）シラン、メチルハイドロジェンジメトキシシランと３，３，３−トリフルオロプロピルトリメトキシシラン、メチルハイドロジェンジメトキシシランと（トリエトキシシリル）シクロヘキサン、メチルハイドロジェンジメトキシシランとパーフルオロオクチルエチルトリエトキシシラン、メチルハイドロジェンジメトキシシランとトリエトキシフルオロシラン、メチルハイドロジェンジメトキシシランとトリデカフルオロ−１，１，２，２−テトラヒドロオクチルトリエトキシシラン、メチルハイドロジェンジメトキシシランとペンタフルオロフェニルプロピルトリメトキシシラン、メチルハイドロジェンジメトキシシランと３−（ヘプタフルオロイソプロポキシ）プロピルトリエトキシシラン、メチルハイドロジェンジメトキシシランとヘプタデカフルオロ−１，１，２，２−テトラヒドロデシルトリエトキシシラン、メチルハイドロジェンジメトキシシランとトリエトキシ−２−チエニルシラン、メチルハイドロジェンジメトキシシランと３−（トリエトキシシリル）フラン
【０１３３】
（２）メチルハイドロジェンジエトキシシランとメチルトリメトキシシラン、メチルハイドロジェンジエトキシシランとメチルトリエトキシシラン、メチルハイドロジェンジエトキシシランとエチルトリメトキシシラン、メチルハイドロジェンジエトキシシランとエチルトリエトキシシラン、メチルハイドロジェンジエトキシシランとプロピルトリメトキシシラン、メチルハイドロジェンジエトキシシランとプロピルトリエトキシシラン、メチルハイドロジェンジエトキシシランとブチルトリメトキシシラン、メチルハイドロジェンジエトキシシランとブチルトリエトキシシラン、メチルハイドロジェンジエトキシシランとペンチルトリメトキシシラン、メチルハイドロジェンジエトキシシランとペンチルトリエトキシシラン、メチルハイドロジェンジエトキシシランとヘプチルトリメトキシシラン、メチルハイドロジェンジエトキシシランとヘプチルトリエトキシシラン、メチルハイドロジェンジエトキシシランとオクチルトリメトキシシラン、メチルハイドロジェンジエトキシシランとオクチルトリエトキシシラン、メチルハイドロジェンジエトキシシランとドデシルトリメトキシシラン、メチルハイドロジェンジエトキシシランとドデシルトリエトキシシラン、メチルハイドロジェンジエトキシシランとヘキサデシルトリメトキシシラン、メチルハイドロジェンジエトキシシランとヘキサデシルトリエトキシシラン、メチルハイドロジェンジエトキシシランとオクタデシルトリメトキシシラン、メチルハイドロジェンジエトキシシランとオクタデシルトリエトキシシラン、メチルハイドロジェンジエトキシシランとフェニルトリメトキシシラン、メチルハイドロジェンジエトキシシランとフェニルトリエトキシシラン、メチルハイドロジェンジエトキシシランとビニルトリメトキシシラン、メチルハイドロジェンジエトキシシランとビニルトリエトキシシラン、メチルハイドロジェンジエトキシシランとγ−アミノプロピルトリメトキシシラン、メチルハイドロジェンジエトキシシランとγ−アミノプロピルトリエトキシシラン、メチルハイドロジェンジエトキシシランとγ−グリシドキシプロピルトリメトキシシラン、メチルハイドロジェンジエトキシシランとγ−グリシドキシプロピルトリエトキシシラン、メチルハイドロジェンジエトキシシランとγ−メタクリロキシプロピルトリメトキシシラン、メチルハイドロジェンジエトキシシランとγ−メタクリロキシプロピルトリエトキシシラン、メチルハイドロジェンジエトキシシランとトリエトキシ（４−（トリフルオロメチル）フェニル）シラン、メチルハイドロジェンジエトキシシランと３，３，３−トリフルオロプロピルトリメトキシシラン、メチルハイドロジェンジエトキシシランと（トリエトキシシリル）シクロヘキサン、メチルハイドロジェンジエトキシシランとパーフルオロオクチルエチルトリエトキシシラン、メチルハイドロジェンジエトキシシランとトリエトキシフルオロシラン、メチルハイドロジェンジエトキシシランとトリデカフルオロ−１，１，２，２−テトラヒドロオクチルトリエトキシシラン、メチルハイドロジェンジエトキシシランとペンタフルオロフェニルプロピルトリメトキシシラン、メチルハイドロジェンジエトキシシランと３−（ヘプタフルオロイソプロポキシ）プロピルトリエトキシシラン、メチルハイドロジェンジエトキシシランとヘプタデカフルオロ−１，１，２，２−テトラヒドロデシルトリエトキシシラン、メチルハイドロジェンジエトキシシランとトリエトキシ−２−チエニルシラン、メチルハイドロジェンジエトキシシランと３−（トリエトキシシリル）フラン
【０１３４】
（３）ジメチルジメトキシシランとメチルトリメトキシシラン、ジメチルジメトキシシランとメチルトリエトキシシラン、ジメチルジメトキシシランとエチルトリメトキシシラン、ジメチルジメトキシシランとエチルトリエトキシシラン、ジメチルジメトキシシランとプロピルトリメトキシシラン、ジメチルジメトキシシランとプロピルトリエトキシシラン、ジメチルジメトキシシランとブチルトリメトキシシラン、ジメチルジメトキシシランとブチルトリエトキシシラン、ジメチルジメトキシシランとペンチルトリメトキシシラン、ジメチルジメトキシシランとペンチルトリエトキシシラン、ジメチルジメトキシシランとヘプチルトリメトキシシラン、ジメチルジメトキシシランとヘプチルトリエトキシシラン、ジメチルジメトキシシランとオクチルトリメトキシシラン、ジメチルジメトキシシランとオクチルトリエトキシシラン、ジメチルジメトキシシランとドデシルトリメトキシシラン、ジメチルジメトキシシランとドデシルトリエトキシシラン、ジメチルジメトキシシランとヘキサデシルトリメトキシシラン、ジメチルジメトキシシランとヘキサデシルトリエトキシシラン、ジメチルジメトキシシランとオクタデシルトリメトキシシラン、ジメチルジメトキシシランとオクタデシルトリエトキシシラン、ジメチルジメトキシシランとフェニルトリメトキシシラン、ジメチルジメトキシシランとフェニルトリエトキシシラン、ジメチルジメトキシシランとビニルトリメトキシシラン、ジメチルジメトキシシランとビニルトリエトキシシラン、ジメチルジメトキシシランとγ−アミノプロピルトリメトキシシラン、ジメチルジメトキシシランとγ−アミノプロピルトリエトキシシラン、ジメチルジメトキシシランとγ−グリシドキシプロピルトリメトキシシラン、ジメチルジメトキシシランとγ−グリシドキシプロピルトリエトキシシラン、ジメチルジメトキシシランとγ−メタクリロキシプロピルトリメトキシシラン、ジメチルジメトキシシランとγ−メタクリロキシプロピルトリエトキシシラン、ジメチルジメトキシシランとトリエトキシ（４−（トリフルオロメチル）フェニル）シラン、ジメチルジメトキシシランと３，３，３−トリフルオロプロピルトリメトキシシラン、ジメチルジメトキシシランと（トリエトキシシリル）シクロヘキサン、ジメチルジメトキシシランとパーフルオロオクチルエチルトリエトキシシラン、ジメチルジメトキシシランとトリエトキシフルオロシラン、ジメチルジメトキシシランとトリデカフルオロ−１，１，２，２−テトラヒドロオクチルトリエトキシシラン、ジメチルジメトキシシランとペンタフルオロフェニルプロピルトリメトキシシラン、ジメチルジメトキシシランと３−（ヘプタフルオロイソプロポキシ）プロピルトリエトキシシラン、ジメチルジメトキシシランとヘプタデカフルオロ−１，１，２，２−テトラヒドロデシルトリエトキシシラン、ジメチルジメトキシシランとトリエトキシ−２−チエニルシラン、ジメチルジメトキシシランと３−（トリエトキシシリル）フラン
【０１３５】
（４）ジメチルジエトキシシランとメチルトリメトキシシラン、ジメチルジエトキシシランとメチルトリエトキシシラン、ジメチルジエトキシシランとエチルトリメトキシシラン、ジメチルジエトキシシランとエチルトリエトキシシラン、ジメチルジエトキシシランとプロピルトリメトキシシラン、ジメチルジエトキシシランとプロピルトリエトキシシラン、ジメチルジエトキシシランとブチルトリメトキシシラン、ジメチルジエトキシシランとブチルトリエトキシシラン、ジメチルジエトキシシランとペンチルトリメトキシシラン、ジメチルジエトキシシランとペンチルトリエトキシシラン、ジメチルジエトキシシランとヘプチルトリメトキシシラン、ジメチルジエトキシシランとヘプチルトリエトキシシラン、ジメチルジエトキシシランとオクチルトリメトキシシラン、ジメチルジエトキシシランとオクチルトリエトキシシラン、ジメチルジエトキシシランとドデシルトリメトキシシラン、ジメチルジエトキシシランとドデシルトリエトキシシラン、ジメチルジエトキシシランとヘキサデシルトリメトキシシラン、ジメチルジエトキシシランとヘキサデシルトリエトキシシラン、ジメチルジエトキシシランとオクタデシルトリメトキシシラン、ジメチルジエトキシシランとオクタデシルトリエトキシシラン、ジメチルジエトキシシランとフェニルトリメトキシシラン、ジメチルジエトキシシランとフェニルトリエトキシシラン、ジメチルジエトキシシランとビニルトリメトキシシラン、ジメチルジエトキシシランとビニルトリエトキシシラン、ジメチルジエトキシシランとγ−アミノプロピルトリメトキシシラン、ジメチルジエトキシシランとγ−アミノプロピルトリエトキシシラン、ジメチルジエトキシシランとγ−グリシドキシプロピルトリメトキシシラン、ジメチルジエトキシシランとγ−グリシドキシプロピルトリエトキシシラン、ジメチルジエトキシシランとγ−メタクリロキシプロピルトリメトキシシラン、ジメチルジエトキシシランとγ−メタクリロキシプロピルトリエトキシシラン、ジメチルジエトキシシランとトリエトキシ（４−（トリフルオロメチル）フェニル）シラン、ジメチルジエトキシシランと３，３，３−トリフルオロプロピルトリメトキシシラン、ジメチルジエトキシシランと（トリエトキシシリル）シクロヘキサン、ジメチルジエトキシシランとパーフルオロオクチルエチルトリエトキシシラン、ジメチルジエトキシシランとトリエトキシフルオロシラン、ジメチルジエトキシシランとトリデカフルオロ−１，１，２，２−テトラヒドロオクチルトリエトキシシラン、ジメチルジエトキシシランとペンタフルオロフェニルプロピルトリメトキシシラン、ジメチルジエトキシシランと３−（ヘプタフルオロイソプロポキシ）プロピルトリエトキシシラン、ジメチルジエトキシシランとヘプタデカフルオロ−１，１，２，２−テトラヒドロデシルトリエトキシシラン、ジメチルジエトキシシランとトリエトキシ−２−チエニルシラン、ジメチルジエトキシシランと３−（トリエトキシシリル）フラン
【０１３６】
（５）メチルエチルジメトキシシランとメチルトリメトキシシラン、メチルエチルジメトキシシランとメチルトリエトキシシラン、メチルエチルジメトキシシランとエチルトリメトキシシラン、メチルエチルジメトキシシランとエチルトリエトキシシラン、メチルエチルジメトキシシランとプロピルトリメトキシシラン、メチルエチルジメトキシシランとプロピルトリエトキシシラン、メチルエチルジメトキシシランとブチルトリメトキシシラン、メチルエチルジメトキシシランとブチルトリエトキシシラン、メチルエチルジメトキシシランとペンチルトリメトキシシラン、メチルエチルジメトキシシランとペンチルトリエトキシシラン、メチルエチルジメトキシシランとヘプチルトリメトキシシラン、メチルエチルジメトキシシランとヘプチルトリエトキシシラン、メチルエチルジメトキシシランとオクチルトリメトキシシラン、メチルエチルジメトキシシランとオクチルトリエトキシシラン、メチルエチルジメトキシシランとドデシルトリメトキシシラン、メチルエチルジメトキシシランとドデシルトリエトキシシラン、メチルエチルジメトキシシランとヘキサデシルトリメトキシシラン、メチルエチルジメトキシシランとヘキサデシルトリエトキシシラン、メチルエチルジメトキシシランとオクタデシルトリメトキシシラン、メチルエチルジメトキシシランとオクタデシルトリエトキシシラン、メチルエチルジメトキシシランとフェニルトリメトキシシラン、メチルエチルジメトキシシランとフェニルトリエトキシシラン、メチルエチルジメトキシシランとビニルトリメトキシシラン、メチルエチルジメトキシシランとビニルトリエトキシシラン、メチルエチルジメトキシシランとγ−アミノプロピルトリメトキシシラン、メチルエチルジメトキシシランとγ−アミノプロピルトリエトキシシラン、メチルエチルジメトキシシランとγ−グリシドキシプロピルトリメトキシシラン、メチルエチルジメトキシシランとγ−グリシドキシプロピルトリエトキシシラン、メチルエチルジメトキシシランとγ−メタクリロキシプロピルトリメトキシシラン、メチルエチルジメトキシシランとγ−メタクリロキシプロピルトリエトキシシラン、メチルエチルジメトキシシランとトリエトキシ（４−（トリフルオロメチル）フェニル）シラン、メチルエチルジメトキシシランと３，３，３−トリフルオロプロピルトリメトキシシラン、メチルエチルジメトキシシランと（トリエトキシシリル）シクロヘキサン、メチルエチルジメトキシシランとパーフルオロオクチルエチルトリエトキシシラン、メチルエチルジメトキシシランとトリエトキシフルオロシラン、メチルエチルジメトキシシランとトリデカフルオロ−１，１，２，２−テトラヒドロオクチルトリエトキシシラン、メチルエチルジメトキシシランとペンタフルオロフェニルプロピルトリメトキシシラン、メチルエチルジメトキシシランと３−（ヘプタフルオロイソプロポキシ）プロピルトリエトキシシラン、メチルエチルジメトキシシランとヘプタデカフルオロ−１，１，２，２−テトラヒドロデシルトリエトキシシラン、メチルエチルジメトキシシランとトリエトキシ−２−チエニルシラン、メチルエチルジメトキシシランと３−（トリエトキシシリル）フラン
【０１３７】
（６）ジエチルジメトキシシランとメチルトリメトキシシラン、ジエチルジメトキシシランとメチルトリエトキシシラン、ジエチルジメトキシシランとエチルトリメトキシシラン、ジエチルジメトキシシランとエチルトリエトキシシラン、ジエチルジメトキシシランとプロピルトリメトキシシラン、ジエチルジメトキシシランとプロピルトリエトキシシラン、ジエチルジメトキシシランとブチルトリメトキシシラン、ジエチルジメトキシシランとブチルトリエトキシシラン、ジエチルジメトキシシランとペンチルトリメトキシシラン、ジエチルジメトキシシランとペンチルトリエトキシシラン、ジエチルジメトキシシランとヘプチルトリメトキシシラン、ジエチルジメトキシシランとヘプチルトリエトキシシラン、ジエチルジメトキシシランとオクチルトリメトキシシラン、ジエチルジメトキシシランとオクチルトリエトキシシラン、ジエチルジメトキシシランとドデシルトリメトキシシラン、ジエチルジメトキシシランとドデシルトリエトキシシラン、ジエチルジメトキシシランとヘキサデシルトリメトキシシラン、ジエチルジメトキシシランとヘキサデシルトリエトキシシラン、ジエチルジメトキシシランとオクタデシルトリメトキシシラン、ジエチルジメトキシシランとオクタデシルトリエトキシシラン、ジエチルジメトキシシランとフェニルトリメトキシシラン、ジエチルジメトキシシランとフェニルトリエトキシシラン、ジエチルジメトキシシランとビニルトリメトキシシラン、ジエチルジメトキシシランとビニルトリエトキシシラン、ジエチルジメトキシシランとγ−アミノプロピルトリメトキシシラン、ジエチルジメトキシシランとγ−アミノプロピルトリエトキシシラン、ジエチルジメトキシシランとγ−グリシドキシプロピルトリメトキシシラン、ジエチルジメトキシシランとγ−グリシドキシプロピルトリエトキシシラン、ジエチルジメトキシシランとγ−メタクリロキシプロピルトリメトキシシラン、ジエチルジメトキシシランとγ−メタクリロキシプロピルトリエトキシシラン、ジエチルジメトキシシランとトリエトキシ（４−（トリフルオロメチル）フェニル）シラン、ジエチルジメトキシシランと３，３，３−トリフルオロプロピルトリメトキシシラン、ジエチルジメトキシシランと（トリエトキシシリル）シクロヘキサン、ジエチルジメトキシシランとパーフルオロオクチルエチルトリエトキシシラン、ジエチルジメトキシシランとトリエトキシフルオロシラン、ジエチルジメトキシシランとトリデカフルオロ−１，１，２，２−テトラヒドロオクチルトリエトキシシラン、ジエチルジメトキシシランとペンタフルオロフェニルプロピルトリメトキシシラン、ジエチルジメトキシシランと３−（ヘプタフルオロイソプロポキシ）プロピルトリエトキシシラン、ジエチルジメトキシシランとヘプタデカフルオロ−１，１，２，２−テトラヒドロデシルトリエトキシシラン、ジエチルジメトキシシランとトリエトキシ−２−チエニルシラン、ジエチルジメトキシシランと３−（トリエトキシシリル）フラン
【０１３８】
（７）ジエチルジエトキシシランとメチルトリメトキシシラン、ジエチルジエトキシシランとメチルトリエトキシシラン、ジエチルジエトキシシランとエチルトリメトキシシラン、ジエチルジエトキシシランとエチルトリエトキシシラン、ジエチルジエトキシシランとプロピルトリメトキシシラン、ジエチルジエトキシシランとプロピルトリエトキシシラン、ジエチルジエトキシシランとブチルトリメトキシシラン、ジエチルジエトキシシランとブチルトリエトキシシラン、ジエチルジエトキシシランとペンチルトリメトキシシラン、ジエチルジエトキシシランとペンチルトリエトキシシラン、ジエチルジエトキシシランとヘプチルトリメトキシシラン、ジエチルジエトキシシランとヘプチルトリエトキシシラン、ジエチルジエトキシシランとオクチルトリメトキシシラン、ジエチルジエトキシシランとオクチルトリエトキシシラン、ジエチルジエトキシシランとドデシルトリメトキシシラン、ジエチルジエトキシシランとドデシルトリエトキシシラン、ジエチルジエトキシシランとヘキサデシルトリメトキシシラン、ジエチルジエトキシシランとヘキサデシルトリエトキシシラン、ジエチルジエトキシシランとオクタデシルトリメトキシシラン、ジエチルジエトキシシランとオクタデシルトリエトキシシラン、ジエチルジエトキシシランとフェニルトリメトキシシラン、ジエチルジエトキシシランとフェニルトリエトキシシラン、ジエチルジエトキシシランとビニルトリメトキシシラン、ジエチルジエトキシシランとビニルトリエトキシシラン、ジエチルジエトキシシランとγ−アミノプロピルトリメトキシシラン、ジエチルジエトキシシランとγ−アミノプロピルトリエトキシシラン、ジエチルジエトキシシランとγ−グリシドキシプロピルトリメトキシシラン、ジエチルジエトキシシランとγ−グリシドキシプロピルトリエトキシシラン、ジエチルジエトキシシランとγ−メタクリロキシプロピルトリメトキシシラン、ジエチルジエトキシシランとγ−メタクリロキシプロピルトリエトキシシラン、ジエチルジエトキシシランとトリエトキシ（４−（トリフルオロメチル）フェニル）シラン、ジエチルジエトキシシランと３，３，３−トリフルオロプロピルトリメトキシシラン、ジエチルジエトキシシランと（トリエトキシシリル）シクロヘキサン、ジエチルジエトキシシランとパーフルオロオクチルエチルトリエトキシシラン、ジエチルジエトキシシランとトリエトキシフルオロシラン、ジエチルジエトキシシランとトリデカフルオロ−１，１，２，２−テトラヒドロオクチルトリエトキシシラン、ジエチルジエトキシシランとペンタフルオロフェニルプロピルトリメトキシシラン、ジエチルジエトキシシランと３−（ヘプタフルオロイソプロポキシ）プロピルトリエトキシシラン、ジエチルジエトキシシランとヘプタデカフルオロ−１，１，２，２−テトラヒドロデシルトリエトキシシラン、ジエチルジエトキシシランとトリエトキシ−２−チエニルシラン、ジエチルジエトキシシランと３−（トリエトキシシリル）フラン
【０１３９】
（８）メチルプロピルジメトキシシランとメチルトリメトキシシラン、メチルプロピルジメトキシシランとメチルトリエトキシシラン、メチルプロピルジメトキシシランとエチルトリメトキシシラン、メチルプロピルジメトキシシランとエチルトリエトキシシラン、メチルプロピルジメトキシシランとプロピルトリメトキシシラン、メチルプロピルジメトキシシランとプロピルトリエトキシシラン、メチルプロピルジメトキシシランとブチルトリメトキシシラン、メチルプロピルジメトキシシランとブチルトリエトキシシラン、メチルプロピルジメトキシシランとペンチルトリメトキシシラン、メチルプロピルジメトキシシランとペンチルトリエトキシシラン、メチルプロピルジメトキシシランとヘプチルトリメトキシシラン、メチルプロピルジメトキシシランとヘプチルトリエトキシシラン、メチルプロピルジメトキシシランとオクチルトリメトキシシラン、メチルプロピルジメトキシシランとオクチルトリエトキシシラン、メチルプロピルジメトキシシランとドデシルトリメトキシシラン、メチルプロピルジメトキシシランとドデシルトリエトキシシラン、メチルプロピルジメトキシシランとヘキサデシルトリメトキシシラン、メチルプロピルジメトキシシランとヘキサデシルトリエトキシシラン、メチルプロピルジメトキシシランとオクタデシルトリメトキシシラン、メチルプロピルジメトキシシランとオクタデシルトリエトキシシラン、メチルプロピルジメトキシシランとフェニルトリメトキシシラン、メチルプロピルジメトキシシランとフェニルトリエトキシシラン、メチルプロピルジメトキシシランとビニルトリメトキシシラン、メチルプロピルジメトキシシランとビニルトリエトキシシラン、メチルプロピルジメトキシシランとγ−アミノプロピルトリメトキシシラン、メチルプロピルジメトキシシランとγ−アミノプロピルトリエトキシシラン、メチルプロピルジメトキシシランとγ−グリシドキシプロピルトリメトキシシラン、メチルプロピルジメトキシシランとγ−グリシドキシプロピルトリエトキシシラン、メチルプロピルジメトキシシランとγ−メタクリロキシプロピルトリメトキシシラン、メチルプロピルジメトキシシランとγ−メタクリロキシプロピルトリエトキシシラン、メチルプロピルジメトキシシランとトリエトキシ（４−（トリフルオロメチル）フェニル）シラン、メチルプロピルジメトキシシランと３，３，３−トリフルオロプロピルトリメトキシシラン、メチルプロピルジメトキシシランと（トリエトキシシリル）シクロヘキサン、メチルプロピルジメトキシシランとパーフルオロオクチルエチルトリエトキシシラン、メチルプロピルジメトキシシランとトリエトキシフルオロシラン、メチルプロピルジメトキシシランとトリデカフルオロ−１，１，２，２−テトラヒドロオクチルトリエトキシシラン、メチルプロピルジメトキシシランとペンタフルオロフェニルプロピルトリメトキシシラン、メチルプロピルジメトキシシランと３−（ヘプタフルオロイソプロポキシ）プロピルトリエトキシシラン、メチルプロピルジメトキシシランとヘプタデカフルオロ−１，１，２，２−テトラヒドロデシルトリエトキシシラン、メチルプロピルジメトキシシランとトリエトキシ−２−チエニルシラン、メチルプロピルジメトキシシランと３−（トリエトキシシリル）フラン
【０１４０】
（９）メチルプロピルジエトキシシランとメチルトリメトキシシラン、メチルプロピルジエトキシシランとメチルトリエトキシシラン、メチルプロピルジエトキシシランとエチルトリメトキシシラン、メチルプロピルジエトキシシランとエチルトリエトキシシラン、メチルプロピルジエトキシシランとプロピルトリメトキシシラン、メチルプロピルジエトキシシランとプロピルトリエトキシシラン、メチルプロピルジエトキシシランとブチルトリメトキシシラン、メチルプロピルジエトキシシランとブチルトリエトキシシラン、メチルプロピルジエトキシシランとペンチルトリメトキシシラン、メチルプロピルジエトキシシランとペンチルトリエトキシシラン、メチルプロピルジエトキシシランとヘプチルトリメトキシシラン、メチルプロピルジエトキシシランとヘプチルトリエトキシシラン、メチルプロピルジエトキシシランとオクチルトリメトキシシラン、メチルプロピルジエトキシシランとオクチルトリエトキシシラン、メチルプロピルジエトキシシランとドデシルトリメトキシシラン、メチルプロピルジエトキシシランとドデシルトリエトキシシラン、メチルプロピルジエトキシシランとヘキサデシルトリメトキシシラン、メチルプロピルジエトキシシランとヘキサデシルトリエトキシシラン、メチルプロピルジエトキシシランとオクタデシルトリメトキシシラン、メチルプロピルジエトキシシランとオクタデシルトリエトキシシラン、メチルプロピルジエトキシシランとフェニルトリメトキシシラン、メチルプロピルジエトキシシランとフェニルトリエトキシシラン、メチルプロピルジエトキシシランとビニルトリメトキシシラン、メチルプロピルジエトキシシランとビニルトリエトキシシラン、メチルプロピルジエトキシシランとγ−アミノプロピルトリメトキシシラン、メチルプロピルジエトキシシランとγ−アミノプロピルトリエトキシシラン、メチルプロピルジエトキシシランとγ−グリシドキシプロピルトリメトキシシラン、メチルプロピルジエトキシシランとγ−グリシドキシプロピルトリエトキシシラン、メチルプロピルジエトキシシランとγ−メタクリロキシプロピルトリメトキシシラン、メチルプロピルジエトキシシランとγ−メタクリロキシプロピルトリエトキシシラン、メチルプロピルジエトキシシランとトリエトキシ（４−（トリフルオロメチル）フェニル）シラン、メチルプロピルジエトキシシランと３，３，３−トリフルオロプロピルトリメトキシシラン、メチルプロピルジエトキシシランと（トリエトキシシリル）シクロヘキサン、メチルプロピルジエトキシシランとパーフルオロオクチルエチルトリエトキシシラン、メチルプロピルジエトキシシランとトリエトキシフルオロシラン、メチルプロピルジエトキシシランとトリデカフルオロ−１，１，２，２−テトラヒドロオクチルトリエトキシシラン、メチルプロピルジエトキシシランとペンタフルオロフェニルプロピルトリメトキシシラン、メチルプロピルジエトキシシランと３−（ヘプタフルオロイソプロポキシ）プロピルトリエトキシシラン、メチルプロピルジエトキシシランとヘプタデカフルオロ−１，１，２，２−テトラヒドロデシルトリエトキシシラン、メチルプロピルジエトキシシランとトリエトキシ−２−チエニルシラン、メチルプロピルジエトキシシランと３−（トリエトキシシリル）フラン
【０１４１】
（１０）ジイソプロピルジメトキシシランとメチルトリメトキシシラン、ジイソプロピルジメトキシシランとメチルトリエトキシシラン、ジイソプロピルジメトキシシランとエチルトリメトキシシラン、ジイソプロピルジメトキシシランとエチルトリエトキシシラン、ジイソプロピルジメトキシシランとプロピルトリメトキシシラン、ジイソプロピルジメトキシシランとプロピルトリエトキシシラン、ジイソプロピルジメトキシシランとブチルトリメトキシシラン、ジイソプロピルジメトキシシランとブチルトリエトキシシラン、ジイソプロピルジメトキシシランとペンチルトリメトキシシラン、ジイソプロピルジメトキシシランとペンチルトリエトキシシラン、ジイソプロピルジメトキシシランとヘプチルトリメトキシシラン、ジイソプロピルジメトキシシランとヘプチルトリエトキシシラン、ジイソプロピルジメトキシシランとオクチルトリメトキシシラン、ジイソプロピルジメトキシシランとオクチルトリエトキシシラン、ジイソプロピルジメトキシシランとドデシルトリメトキシシラン、ジイソプロピルジメトキシシランとドデシルトリエトキシシラン、ジイソプロピルジメトキシシランとヘキサデシルトリメトキシシラン、ジイソプロピルジメトキシシランとヘキサデシルトリエトキシシラン、ジイソプロピルジメトキシシランとオクタデシルトリメトキシシラン、ジイソプロピルジメトキシシランとオクタデシルトリエトキシシラン、ジイソプロピルジメトキシシランとフェニルトリメトキシシラン、ジイソプロピルジメトキシシランとフェニルトリエトキシシラン、ジイソプロピルジメトキシシランとビニルトリメトキシシラン、ジイソプロピルジメトキシシランとビニルトリエトキシシラン、ジイソプロピルジメトキシシランとγ−アミノプロピルトリメトキシシラン、ジイソプロピルジメトキシシランとγ−アミノプロピルトリエトキシシラン、ジイソプロピルジメトキシシランとγ−グリシドキシプロピルトリメトキシシラン、ジイソプロピルジメトキシシランとγ−グリシドキシプロピルトリエトキシシラン、ジイソプロピルジメトキシシランとγ−メタクリロキシプロピルトリメトキシシラン、ジイソプロピルジメトキシシランとγ−メタクリロキシプロピルトリエトキシシラン、ジイソプロピルジメトキシシランとトリエトキシ（４−（トリフルオロメチル）フェニル）シラン、ジイソプロピルジメトキシシランと３，３，３−トリフルオロプロピルトリメトキシシラン、ジイソプロピルジメトキシシランと（トリエトキシシリル）シクロヘキサン、ジイソプロピルジメトキシシランとパーフルオロオクチルエチルトリエトキシシラン、ジイソプロピルジメトキシシランとトリエトキシフルオロシラン、ジイソプロピルジメトキシシランとトリデカフルオロ−１，１，２，２−テトラヒドロオクチルトリエトキシシラン、ジイソプロピルジメトキシシランとペンタフルオロフェニルプロピルトリメトキシシラン、ジイソプロピルジメトキシシランと３−（ヘプタフルオロイソプロポキシ）プロピルトリエトキシシラン、ジイソプロピルジメトキシシランとヘプタデカフルオロ−１，１，２，２−テトラヒドロデシルトリエトキシシラン、ジイソプロピルジメトキシシランとトリエトキシ−２−チエニルシラン、ジイソプロピルジメトキシシランと３−（トリエトキシシリル）フラン
【０１４２】
（１１）フェニルメチルジメトキシシランとメチルトリメトキシシラン、フェニルメチルジメトキシシランとメチルトリエトキシシラン、フェニルメチルジメトキシシランとエチルトリメトキシシラン、フェニルメチルジメトキシシランとエチルトリエトキシシラン、フェニルメチルジメトキシシランとプロピルトリメトキシシラン、フェニルメチルジメトキシシランとプロピルトリエトキシシラン、フェニルメチルジメトキシシランとブチルトリメトキシシラン、フェニルメチルジメトキシシランとブチルトリエトキシシラン、フェニルメチルジメトキシシランとペンチルトリメトキシシラン、フェニルメチルジメトキシシランとペンチルトリエトキシシラン、フェニルメチルジメトキシシランとヘプチルトリメトキシシラン、フェニルメチルジメトキシシランとヘプチルトリエトキシシラン、フェニルメチルジメトキシシランとオクチルトリメトキシシラン、フェニルメチルジメトキシシランとオクチルトリエトキシシラン、フェニルメチルジメトキシシランとドデシルトリメトキシシラン、フェニルメチルジメトキシシランとドデシルトリエトキシシラン、フェニルメチルジメトキシシランとヘキサデシルトリメトキシシラン、フェニルメチルジメトキシシランとヘキサデシルトリエトキシシラン、フェニルメチルジメトキシシランとオクタデシルトリメトキシシラン、フェニルメチルジメトキシシランとオクタデシルトリエトキシシラン、フェニルメチルジメトキシシランとフェニルトリメトキシシラン、フェニルメチルジメトキシシランとフェニルトリエトキシシラン、フェニルメチルジメトキシシランとビニルトリメトキシシラン、フェニルメチルジメトキシシランとビニルトリエトキシシラン、フェニルメチルジメトキシシランとγ−アミノプロピルトリメトキシシラン、フェニルメチルジメトキシシランとγ−アミノプロピルトリエトキシシラン、フェニルメチルジメトキシシランとγ−グリシドキシプロピルトリメトキシシラン、フェニルメチルジメトキシシランとγ−グリシドキシプロピルトリエトキシシラン、フェニルメチルジメトキシシランとγ−メタクリロキシプロピルトリメトキシシラン、フェニルメチルジメトキシシランとγ−メタクリロキシプロピルトリエトキシシラン、フェニルメチルジメトキシシランとトリエトキシ（４−（トリフルオロメチル）フェニル）シラン、フェニルメチルジメトキシシランと３，３，３−トリフルオロプロピルトリメトキシシラン、フェニルメチルジメトキシシランと（トリエトキシシリル）シクロヘキサン、フェニルメチルジメトキシシランとパーフルオロオクチルエチルトリエトキシシラン、フェニルメチルジメトキシシランとトリエトキシフルオロシラン、フェニルメチルジメトキシシランとトリデカフルオロ−１，１，２，２−テトラヒドロオクチルトリエトキシシラン、フェニルメチルジメトキシシランとペンタフルオロフェニルプロピルトリメトキシシラン、フェニルメチルジメトキシシランと３−（ヘプタフルオロイソプロポキシ）プロピルトリエトキシシラン、フェニルメチルジメトキシシランとヘプタデカフルオロ−１，１，２，２−テトラヒドロデシルトリエトキシシラン、フェニルメチルジメトキシシランとトリエトキシ−２−チエニルシラン、フェニルメチルジメトキシシランと３−（トリエトキシシリル）フラン
【０１４３】
（１２）ビニルメチルジメトキシシランとメチルトリメトキシシラン、ビニルメチルジメトキシシランとメチルトリエトキシシラン、ビニルメチルジメトキシシランとエチルトリメトキシシラン、ビニルメチルジメトキシシランとエチルトリエトキシシラン、ビニルメチルジメトキシシランとプロピルトリメトキシシラン、ビニルメチルジメトキシシランとプロピルトリエトキシシラン、ビニルメチルジメトキシシランとブチルトリメトキシシラン、ビニルメチルジメトキシシランとブチルトリエトキシシラン、ビニルメチルジメトキシシランとペンチルトリメトキシシラン、ビニルメチルジメトキシシランとペンチルトリエトキシシラン、ビニルメチルジメトキシシランとヘプチルトリメトキシシラン、ビニルメチルジメトキシシランとヘプチルトリエトキシシラン、ビニルメチルジメトキシシランとオクチルトリメトキシシラン、ビニルメチルジメトキシシランとオクチルトリエトキシシラン、ビニルメチルジメトキシシランとドデシルトリメトキシシラン、ビニルメチルジメトキシシランとドデシルトリエトキシシラン、ビニルメチルジメトキシシランとヘキサデシルトリメトキシシラン、ビニルメチルジメトキシシランとヘキサデシルトリエトキシシラン、ビニルメチルジメトキシシランとオクタデシルトリメトキシシラン、ビニルメチルジメトキシシランとオクタデシルトリエトキシシラン、ビニルメチルジメトキシシランとフェニルトリメトキシシラン、ビニルメチルジメトキシシランとフェニルトリエトキシシラン、ビニルメチルジメトキシシランとビニルトリメトキシシラン、ビニルメチルジメトキシシランとビニルトリエトキシシラン、ビニルメチルジメトキシシランとγ−アミノプロピルトリメトキシシラン、ビニルメチルジメトキシシランとγ−アミノプロピルトリエトキシシラン、ビニルメチルジメトキシシランとγ−グリシドキシプロピルトリメトキシシラン、ビニルメチルジメトキシシランとγ−グリシドキシプロピルトリエトキシシラン、ビニルメチルジメトキシシランとγ−メタクリロキシプロピルトリメトキシシラン、ビニルメチルジメトキシシランとγ−メタクリロキシプロピルトリエトキシシラン、ビニルメチルジメトキシシランとトリエトキシ（４−（トリフルオロメチル）フェニル）シラン、ビニルメチルジメトキシシランと３，３，３−トリフルオロプロピルトリメトキシシラン、ビニルメチルジメトキシシランと（トリエトキシシリル）シクロヘキサン、ビニルメチルジメトキシシランとパーフルオロオクチルエチルトリエトキシシラン、ビニルメチルジメトキシシランとトリエトキシフルオロシラン、ビニルメチルジメトキシシランとトリデカフルオロ−１，１，２，２−テトラヒドロオクチルトリエトキシシラン、ビニルメチルジメトキシシランとペンタフルオロフェニルプロピルトリメトキシシラン、ビニルメチルジメトキシシランと３−（ヘプタフルオロイソプロポキシ）プロピルトリエトキシシラン、ビニルメチルジメトキシシランとヘプタデカフルオロ−１，１，２，２−テトラヒドロデシルトリエトキシシラン、ビニルメチルジメトキシシランとトリエトキシ−２−チエニルシラン、ビニルメチルジメトキシシランと３−（トリエトキシシリル）フラン
【０１４４】
（１３）γ−グリシドキシプロピルメチルジメトキシシランとメチルトリメトキシシラン、γ−グリシドキシプロピルメチルジメトキシシランとメチルトリエトキシシラン、γ−グリシドキシプロピルメチルジメトキシシランとエチルトリメトキシシラン、γ−グリシドキシプロピルメチルジメトキシシランとエチルトリエトキシシラン、γ−グリシドキシプロピルメチルジメトキシシランとプロピルトリメトキシシラン、γ−グリシドキシプロピルメチルジメトキシシランとプロピルトリエトキシシラン、γ−グリシドキシプロピルメチルジメトキシシランとブチルトリメトキシシラン、γ−グリシドキシプロピルメチルジメトキシシランとブチルトリエトキシシラン、γ−グリシドキシプロピルメチルジメトキシシランとペンチルトリメトキシシラン、γ−グリシドキシプロピルメチルジメトキシシランとペンチルトリエトキシシラン、γ−グリシドキシプロピルメチルジメトキシシランとヘプチルトリメトキシシラン、γ−グリシドキシプロピルメチルジメトキシシランとヘプチルトリエトキシシラン、γ−グリシドキシプロピルメチルジメトキシシランとオクチルトリメトキシシラン、γ−グリシドキシプロピルメチルジメトキシシランとオクチルトリエトキシシラン、γ−グリシドキシプロピルメチルジメトキシシランとドデシルトリメトキシシラン、γ−グリシドキシプロピルメチルジメトキシシランとドデシルトリエトキシシラン、γ−グリシドキシプロピルメチルジメトキシシランとヘキサデシルトリメトキシシラン、γ−グリシドキシプロピルメチルジメトキシシランとヘキサデシルトリエトキシシラン、γ−グリシドキシプロピルメチルジメトキシシランとオクタデシルトリメトキシシラン、γ−グリシドキシプロピルメチルジメトキシシランとオクタデシルトリエトキシシラン、γ−グリシドキシプロピルメチルジメトキシシランとフェニルトリメトキシシラン、γ−グリシドキシプロピルメチルジメトキシシランとフェニルトリエトキシシラン、γ−グリシドキシプロピルメチルジメトキシシランとビニルトリメトキシシラン、γ−グリシドキシプロピルメチルジメトキシシランとビニルトリエトキシシラン、γ−グリシドキシプロピルメチルジメトキシシランとγ−アミノプロピルトリメトキシシラン、γ−グリシドキシプロピルメチルジメトキシシランとγ−アミノプロピルトリエトキシシラン、γ−グリシドキシプロピルメチルジメトキシシランとγ−グリシドキシプロピルトリメトキシシラン、γ−グリシドキシプロピルメチルジメトキシシランとγ−グリシドキシプロピルトリエトキシシラン、γ−グリシドキシプロピルメチルジメトキシシランとγ−メタクリロキシプロピルトリメトキシシラン、γ−グリシドキシプロピルメチルジメトキシシランとγ−メタクリロキシプロピルトリエトキシシラン、γ−グリシドキシプロピルメチルジメトキシシランとトリエトキシ（４−（トリフルオロメチル）フェニル）シラン、γ−グリシドキシプロピルメチルジメトキシシランと３，３，３−トリフルオロプロピルトリメトキシシラン、γ−グリシドキシプロピルメチルジメトキシシランと（トリエトキシシリル）シクロヘキサン、γ−グリシドキシプロピルメチルジメトキシシランとパーフルオロオクチルエチルトリエトキシシ���ン、γ−グリシドキシプロピルメチルジメトキシシランとトリエトキシフルオロシラン、γ−グリシドキシプロピルメチルジメトキシシランとトリデカフルオロ−１，１，２，２−テトラヒドロオクチルトリエトキシシラン、γ−グリシドキシプロピルメチルジメトキシシランとペンタフルオロフェニルプロピルトリメトキシシラン、γ−グリシドキシプロピルメチルジメトキシシランと３−（ヘプタフルオロイソプロポキシ）プロピルトリエトキシシラン、γ−グリシドキシプロピルメチルジメトキシシランとヘプタデカフルオロ−１，１，２，２−テトラヒドロデシルトリエトキシシラン、γ−グリシドキシプロピルメチルジメトキシシランとトリエトキシ−２−チエニルシラン、γ−グリシドキシプロピルメチルジメトキシシランと３−（トリエトキシシリル）フラン
【０１４５】
（１４）γ−グリシドキシプロピルメチルジエトキシシランとメチルトリメトキシシラン、γ−グリシドキシプロピルメチルジエトキシシランとメチルトリエトキシシラン、γ−グリシドキシプロピルメチルジエトキシシランとエチルトリメトキシシラン、γ−グリシドキシプロピルメチルジエトキシシランとエチルトリエトキシシラン、γ−グリシドキシプロピルメチルジエトキシシランとプロピルトリメトキシシラン、γ−グリシドキシプロピルメチルジエトキシシランとプロピルトリエトキシシラン、γ−グリシドキシプロピルメチルジエトキシシランとブチルトリメトキシシラン、γ−グリシドキシプロピルメチルジエトキシシランとブチルトリエトキシシラン、γ−グリシドキシプロピルメチルジエトキシシランとペンチルトリメトキシシラン、γ−グリシドキシプロピルメチルジエトキシシランとペンチルトリエトキシシラン、γ−グリシドキシプロピルメチルジエトキシシランとヘプチルトリメトキシシラン、γ−グリシドキシプロピルメチルジエトキシシランとヘプチルトリエトキシシラン、γ−グリシドキシプロピルメチルジエトキシシランとオクチルトリメトキシシラン、γ−グリシドキシプロピルメチルジエトキシシランとオクチルトリエトキシシラン、γ−グリシドキシプロピルメチルジエトキシシランとドデシルトリメトキシシラン、γ−グリシドキシプロピルメチルジエトキシシランとドデシルトリエトキシシラン、γ−グリシドキシプロピルメチルジエトキシシランとヘキサデシルトリメトキシシラン、γ−グリシドキシプロピルメチルジエトキシシランとヘキサデシルトリエトキシシラン、γ−グリシドキシプロピルメチルジエトキシシランとオクタデシルトリメトキシシラン、γ−グリシドキシプロピルメチルジエトキシシランとオクタデシルトリエトキシシラン、γ−グリシドキシプロピルメチルジエトキシシランとフェニルトリメトキシシラン、γ−グリシドキシプロピルメチルジエトキシシランとフェニルトリエトキシシラン、γ−グリシドキシプロピルメチルジエトキシシランとビニルトリメトキシシラン、γ−グリシドキシプロピルメチルジエトキシシランとビニルトリエトキシシラン、γ−グリシドキシプロピルメチルジエトキシシランとγ−アミノプロピルトリメトキシシラン、γ−グリシドキシプロピルメチルジエトキシシランとγ−アミノプロピルトリエトキシシラン、γ−グリシドキシプロピルメチルジエトキシシランとγ−グリシドキシプロピルトリメトキシシラン、γ−グリシドキシプロピルメチルジエトキシシランとγ−グリシドキシプロピルトリエトキシシラン、γ−グリシドキシプロピルメチルジエトキシシランとγ−メタクリロキシプロピルトリメトキシシラン、γ−グリシドキシプロピルメチルジエトキシシランとγ−メタクリロキシプロピルトリエトキシシラン、γ−グリシドキシプロピルメチルジエトキシシランとトリエトキシ（４−（トリフルオロメチル）フェニル）シラン、γ−グリシドキシプロピルメチルジエトキシシランと３，３，３−トリフルオロプロピルトリメトキシシラン、γ−グリシドキシプロピルメチルジエトキシシランと（トリエトキシシリル）シクロヘキサン、γ−グリシドキシプロピルメチルジエトキシシランとパーフルオロオクチルエチルトリエトキシシ���ン、γ−グリシドキシプロピルメチルジエトキシシランとトリエトキシフルオロシラン、γ−グリシドキシプロピルメチルジエトキシシランとトリデカフルオロ−１，１，２，２−テトラヒドロオクチルトリエトキシシラン、γ−グリシドキシプロピルメチルジエトキシシランとペンタフルオロフェニルプロピルトリメトキシシラン、γ−グリシドキシプロピルメチルジエトキシシランと３−（ヘプタフルオロイソプロポキシ）プロピルトリエトキシシラン、γ−グリシドキシプロピルメチルジエトキシシランとヘプタデカフルオロ−１，１，２，２−テトラヒドロデシルトリエトキシシラン、γ−グリシドキシプロピルメチルジエトキシシランとトリエトキシ−２−チエニルシラン、γ−グリシドキシプロピルメチルジエトキシシランと３−（トリエトキシシリル）フラン
【０１４６】
（１５）β−（３，４−エポキシシクロヘキシル）エチルメチルジメトキシシランとメチルトリメトキシシラン、β−（３，４−エポキシシクロヘキシル）エチルメチルジメトキシシランとメチルトリエトキシシラン、β−（３，４−エポキシシクロヘキシル）エチルメチルジメトキシシランとエチルトリメトキシシラン、β−（３，４−エポキシシクロヘキシル）エチルメチルジメトキシシランとエチルトリエトキシシラン、β−（３，４−エポキシシクロヘキシル）エチルメチルジメトキシシランとプロピルトリメトキシシラン、β−（３，４−エポキシシクロヘキシル）エチルメチルジメトキシシランとプロピルトリエトキシシラン、β−（３，４−エポキシシクロヘキシル）エチルメチルジメトキシシランとブチルトリメトキシシラン、β−（３，４−エポキシシクロヘキシル）エチルメチルジメトキシシランとブチルトリエトキシシラン、β−（３，４−エポキシシクロヘキシル）エチルメチルジメトキシシランとペンチルトリメトキシシラン、β−（３，４−エポキシシクロヘキシル）エチルメチルジメトキシシランとペンチルトリエトキシシラン、β−（３，４−エポキシシクロヘキシル）エチルメチルジメトキシシランとヘプチルトリメトキシシラン、β−（３，４−エポキシシクロヘキシル）エチルメチルジメトキシシランとヘプチルトリエトキシシラン、β−（３，４−エポキシシクロヘキシル）エチルメチルジメトキシシランとオクチルトリメトキシシラン、β−（３，４−エポキシシクロヘキシル）エチルメチルジメトキシシランとオクチルトリエトキシシラン、β−（３，４−エポキシシクロヘキシル）エチルメチルジメトキシシランとドデシルトリメトキシシラン、β−（３，４−エポキシシクロヘキシル）エチルメチルジメトキシシランとドデシルトリエトキシシラン、β−（３，４−エポキシシクロヘキシル）エチルメチルジメトキシシランとヘキサデシルトリメトキシシラン、β−（３，４−エポキシシクロヘキシル）エチルメチルジメトキシシランとヘキサデシルトリエトキシシラン、β−（３，４−エポキシシクロヘキシル）エチルメチルジメトキシシランとオクタデシルトリメトキシシラン、β−（３，４−エポキシシクロヘキシル）エチルメチルジメトキシシランとオクタデシルトリエトキシシラン、β−（３，４−エポキシシクロヘキシル）エチルメチルジメトキシシランとフェニルトリメトキシシラン、β−（３，４−エポキシシクロヘキシル）エチルメチルジメトキシシランとフェニルトリエトキシシラン、β−（３，４−エポキシシクロヘキシル）エチルメチルジメトキシシランとビニルトリメトキシシラン、β−（３，４−エポキシシクロヘキシル）エチルメチルジメトキシシランとビニルトリエトキシシラン、β−（３，４−エポキシシクロヘキシル）エチルメチルジメトキシシランとγ−アミノプロピルトリメトキシシラン、β−（３，４−エポキシシクロヘキシル）エチルメチルジメトキシシランとγ−アミノプロピルトリエトキシシラン、β−（３，４−エポキシシクロヘキシル）エチルメチルジメトキシシランとγ−グリシドキシプロピルトリメトキシシラン、β−（３，４−エポキシシクロヘキシル）エチルメチルジメトキシシランとγ−グリシドキシプロピルトリエトキシシラン、β−（３，４−エポキシシクロヘキシル）エチルメチルジメトキシシランとγ−メタクリロキシプロピルトリメトキシシラン、β−（３，４−エポキシシクロヘキシル）エチルメチルジメトキシシランとγ−メタクリロキシプロピルトリエトキシシラン、β−（３，４−エポキシシクロヘキシル）エチルメチルジメトキシシランとトリエトキシ（４−（トリフルオロメチル）フェニル）シラン、β−（３，４−エポキシシクロヘキシル）エチルメチルジメトキシシランと３，３，３−トリフルオロプロピルトリメトキシシラン、β−（３，４−エポキシシクロヘキシル）エチルメチルジメトキシシランと（トリエトキシシリル）シクロヘキサン、β−（３，４−エポキシシクロヘキシル）エチルメチルジメトキシシランとパーフルオロオクチルエチルトリエトキシシラン、β−（３，４−エポキシシクロヘキシル）エチルメチルジメトキシシランとトリエトキシフルオロシラン、β−（３，４−エポキシシクロヘキシル）エチルメチルジメトキシシランとトリデカフルオロ−１，１，２，２−テトラヒドロオクチルトリエトキシシラン、β−（３，４−エポキシシクロヘキシル）エチルメチルジメトキシシランとペンタフルオロフェニルプロピルトリメトキシシラン、β−（３，４−エポキシシクロヘキシル）エチルメチルジメトキシシランと３−（ヘプタフルオロイソプロポキシ）プロピルトリエトキシシラン、β−（３，４−エポキシシクロヘキシル）エチルメチルジメトキシシランとヘプタデカフルオロ−１，１，２，２−テトラヒドロデシルトリエトキシシラン、β−（３，４−エポキシシクロヘキシル）エチルメチルジメトキシシランとトリエトキシ−２−チエニルシラン、β−（３，４−エポキシシクロヘキシル）エチルメチルジメトキシシランと３−（トリエトキシシリル）フラン
【０１４７】
（１６）γ−メタクリロキシプロピルメチルジメトキシシランとメチルトリメトキシシラン、γ−メタクリロキシプロピルメチルジメトキシシランとメチルトリエトキシシラン、γ−メタクリロキシプロピルメチルジメトキシシランとエチルトリメトキシシラン、γ−メタクリロキシプロピルメチルジメトキシシランとエチルトリエトキシシラン、γ−メタクリロキシプロピルメチルジメトキシシランとプロピルトリメトキシシラン、γ−メタクリロキシプロピルメチルジメトキシシランとプロピルトリエトキシシラン、γ−メタクリロキシプロピルメチルジメトキシシランとブチルトリメトキシシラン、γ−メタクリロキシプロピルメチルジメトキシシランとブチルトリエトキシシラン、γ−メタクリロキシプロピルメチルジメトキシシランとペンチルトリメトキシシラン、γ−メタクリロキシプロピルメチルジメトキシシランとペンチルトリエトキシシラン、γ−メタクリロキシプロピルメチルジメトキシシランとヘプチルトリメトキシシラン、γ−メタクリロキシプロピルメチルジメトキシシランとヘプチルトリエトキシシラン、γ−メタクリロキシプロピルメチルジメトキシシランとオクチルトリメトキシシラン、γ−メタクリロキシプロピルメチルジメトキシシランとオクチルトリエトキシシラン、γ−メタクリロキシプロピルメチルジメトキシシランとドデシルトリメトキシシラン、γ−メタクリロキシプロピルメチルジメトキシシランとドデシルトリエトキシシラン、γ−メタクリロキシプロピルメチルジメトキシシランとヘキサデシルトリメトキシシラン、γ−メタクリロキシプロピルメチルジメトキシシランとヘキサデシルトリエトキシシラン、γ−メタクリロキシプロピルメチルジメトキシシランとオクタデシルトリメトキシシラン、γ−メタクリロキシプロピルメチルジメトキシシランとオクタデシルトリエトキシシラン、γ−メタクリロキシプロピルメチルジメトキシシランとフェニルトリメトキシシラン、γ−メタクリロキシプロピルメチルジメトキシシランとフェニルトリエトキシシラン、γ−メタクリロキシプロピルメチルジメトキシシランとビニルトリメトキシシラン、γ−メタクリロキシプロピルメチルジメトキシシランとビニルトリエトキシシラン、γ−メタクリロキシプロピルメチルジメトキシシランとγ−アミノプロピルトリメトキシシラン、γ−メタクリロキシプロピルメチルジメトキシシランとγ−アミノプロピルトリエトキシシラン、γ−メタクリロキシプロピルメチルジメトキシシランとγ−グリシドキシプロピルトリメトキシシラン、γ−メタクリロキシプロピルメチルジメトキシシランとγ−グリシドキシプロピルトリエトキシシラン、γ−メタクリロキシプロピルメチルジメトキシシランとγ−メタクリロキシプロピルトリメトキシシラン、γ−メタクリロキシプロピルメチルジメトキシシランとγ−メタクリロキシプロピルトリエトキシシラン、γ−メタクリロキシプロピルメチルジメトキシシランとトリエトキシ（４−（トリフルオロメチル）フェニル）シラン、γ−メタクリロキシプロピルメチルジメトキシシランと３，３，３−トリフルオロプロピルトリメトキシシラン、γ−メタクリロキシプロピルメチルジメトキシシランと（トリエトキシシリル）シクロヘキサン、γ−メタクリロキシプロ���ルメチルジメトキシシランとパーフルオロオクチルエチルトリエトキシシラン、γ−メタクリロキシプロピルメチルジメトキシシランとトリエトキシフルオロシラン、γ−メタクリロキシプロピルメチルジメトキシシランとトリデカフルオロ−１，１，２，２−テトラヒドロオクチルトリエトキシシラン、γ−メタクリロキシプロピルメチルジメトキシシランとペンタフルオロフェニルプロピルトリメトキシシラン、γ−メタクリロキシプロピルメチルジメトキシシランと３−（ヘプタフルオロイソプロポキシ）プロピルトリエトキシシラン、γ−メタクリロキシプロピルメチルジメトキシシランとヘプタデカフルオロ−１，１，２，２−テトラヒドロデシルトリエトキシシラン、γ−メタクリロキシプロピルメチルジメトキシシランとトリエトキシ−２−チエニルシラン、γ−メタクリロキシプロピルメチルジメトキシシランと３−（トリエトキシシリル）フラン
【０１４８】
（１７）γ−メタクリロキシプロピルメチルジエトキシシランとメチルトリメトキシシラン、γ−メタクリロキシプロピルメチルジエトキシシランとメチルトリエトキシシラン、γ−メタクリロキシプロピルメチルジエトキシシランとエチルトリメトキシシラン、γ−メタクリロキシプロピルメチルジエトキシシランとエチルトリエトキシシラン、γ−メタクリロキシプロピルメチルジエトキシシランとプロピルトリメトキシシラン、γ−メタクリロキシプロピルメチルジエトキシシランとプロピルトリエトキシシラン、γ−メタクリロキシプロピルメチルジエトキシシランとブチルトリメトキシシラン、γ−メタクリロキシプロピルメチルジエトキシシランとブチルトリエトキシシラン、γ−メタクリロキシプロピルメチルジエトキシシランとペンチルトリメトキシシラン、γ−メタクリロキシプロピルメチルジエトキシシランとペンチルトリエトキシシラン、γ−メタクリロキシプロピルメチルジエトキシシランとヘプチルトリメトキシシラン、γ−メタクリロキシプロピルメチルジエトキシシランとヘプチルトリエトキシシラン、γ−メタクリロキシプロピルメチルジエトキシシランとオクチルトリメトキシシラン、γ−メタクリロキシプロピルメチルジエトキシシランとオクチルトリエトキシシラン、γ−メタクリロキシプロピルメチルジエトキシシランとドデシルトリメトキシシラン、γ−メタクリロキシプロピルメチルジエトキシシランとドデシルトリエトキシシラン、γ−メタクリロキシプロピルメチルジエトキシシランとヘキサデシルトリメトキシシラン、γ−メタクリロキシプロピルメチルジエトキシシランとヘキサデシルトリエトキシシラン、γ−メタクリロキシプロピルメチルジエトキシシランとオクタデシルトリメトキシシラン、γ−メタクリロキシプロピルメチルジエトキシシランとオクタデシルトリエトキシシラン、γ−メタクリロキシプロピルメチルジエトキシシランとフェニルトリメトキシシラン、γ−メタクリロキシプロピルメチルジエトキシシランとフェニルトリエトキシシラン、γ−メタクリロキシプロピルメチルジエトキシシランとビニルトリメトキシシラン、γ−メタクリロキシプロピルメチルジエトキシシランとビニルトリエトキシシラン、γ−メタクリロキシプロピルメチルジエトキシシランとγ−アミノプロピルトリメトキシシラン、γ−メタクリロキシプロピルメチルジエトキシシランとγ−アミノプロピルトリエトキシシラン、γ−メタクリロキシプロピルメチルジエトキシシランとγ−グリシドキシプロピルトリメトキシシラン、γ−メタクリロキシプロピルメチルジエトキシシランとγ−グリシドキシプロピルトリエトキシシラン、γ−メタクリロキシプロピルメチルジエトキシシランとγ−メタクリロキシプロピルトリメトキシシラン、γ−メタクリロキシプロピルメチルジエトキシシランとγ−メタクリロキシプロピルトリエトキシシラン、γ−メタクリロキシプロピルメチルジエトキシシランとトリエトキシ（４−（トリフルオロメチル）フェニル）シラン、γ−メタクリロキシプロピルメチルジエトキシシランと３，３，３−トリフルオロプロピルトリメトキシシラン、γ−メタクリロキシプロピルメチルジエトキシシランと（トリエトキシシリル）シクロヘキサン、γ−メタクリロキシプロ���ルメチルジエトキシシランとパーフルオロオクチルエチルトリエトキシシラン、γ−メタクリロキシプロピルメチルジエトキシシランとトリエトキシフルオロシラン、γ−メタクリロキシプロピルメチルジエトキシシランとトリデカフルオロ−１，１，２，２−テトラヒドロオクチルトリエトキシシラン、γ−メタクリロキシプロピルメチルジエトキシシランとペンタフルオロフェニルプロピルトリメトキシシラン、γ−メタクリロキシプロピルメチルジエトキシシランと３−（ヘプタフルオロイソプロポキシ）プロピルトリエトキシシラン、γ−メタクリロキシプロピルメチルジエトキシシランとヘプタデカフルオロ−１，１，２，２−テトラヒドロデシルトリエトキシシラン、γ−メタクリロキシプロピルメチルジエトキシシランとトリエトキシ−２−チエニルシラン、γ−メタクリロキシプロピルメチルジエトキシシランと３−（トリエトキシシリル）フラン
【０１４９】
（１８）γ−メルカプトプロピルメチルジメトキシシランとメチルトリメトキシシラン、γ−メルカプトプロピルメチルジメトキシシランとメチルトリエトキシシラン、γ−メルカプトプロピルメチルジメトキシシランとエチルトリメトキシシラン、γ−メルカプトプロピルメチルジメトキシシランとエチルトリエトキシシラン、γ−メルカプトプロピルメチルジメトキシシランとプロピルトリメトキシシラン、γ−メルカプトプロピルメチルジメトキシシランとプロピルトリエトキシシラン、γ−メルカプトプロピルメチルジメトキシシランとブチルトリメトキシシラン、γ−メルカプトプロピルメチルジメトキシシランとブチルトリエトキシシラン、γ−メルカプトプロピルメチルジメトキシシランとペンチルトリメトキシシラン、γ−メルカプトプロピルメチルジメトキシシランとペンチルトリエトキシシラン、γ−メルカプトプロピルメチルジメトキシシランとヘプチルトリメトキシシラン、γ−メルカプトプロピルメチルジメトキシシランとヘプチルトリエトキシシラン、γ−メルカプトプロピルメチルジメトキシシランとオクチルトリメトキシシラン、γ−メルカプトプロピルメチルジメトキシシランとオクチルトリエトキシシラン、γ−メルカプトプロピルメチルジメトキシシランとドデシルトリメトキシシラン、γ−メルカプトプロピルメチルジメトキシシランとドデシルトリエトキシシラン、γ−メルカプトプロピルメチルジメトキシシランとヘキサデシルトリメトキシシラン、γ−メルカプトプロピルメチルジメトキシシランとヘキサデシルトリエトキシシラン、γ−メルカプトプロピルメチルジメトキシシランとオクタデシルトリメトキシシラン、γ−メルカプトプロピルメチルジメトキシシランとオクタデシルトリエトキシシラン、γ−メルカプトプロピルメチルジメトキシシランとフェニルトリメトキシシラン、γ−メルカプトプロピルメチルジメトキシシランとフェニルトリエトキシシラン、γ−メルカプトプロピルメチルジメトキシシランとビニルトリメトキシシラン、γ−メルカプトプロピルメチルジメトキシシランとビニルトリエトキシシラン、γ−メルカプトプロピルメチルジメトキシシランとγ−アミノプロピルトリメトキシシラン、γ−メルカプトプロピルメチルジメトキシシランとγ−アミノプロピルトリエトキシシラン、γ−メルカプトプロピルメチルジメトキシシランとγ−グリシドキシプロピルトリメトキシシラン、γ−メルカプトプロピルメチルジメトキシシランとγ−グリシドキシプロピルトリエトキシシラン、γ−メルカプトプロピルメチルジメトキシシランとγ−メタクリロキシプロピルトリメトキシシラン、γ−メルカプトプロピルメチルジメトキシシランとγ−メタクリロキシプロピルトリエトキシシラン、γ−メルカプトプロピルメチルジメトキシシランとトリエトキシ（４−（トリフルオロメチル）フェニル）シラン、γ−メルカプトプロピルメチルジメトキシシランと３，３，３−トリフルオロプロピルトリメトキシシラン、γ−メルカプトプロピルメチルジメトキシシランと（トリエトキシシリル）シクロヘキサン、γ−メルカプトプロピルメチルジメトキシシランとパーフルオロオクチルエチルトリエトキシシラン、γ−メルカプトプロピルメチルジメトキシシランとトリエトキシフル��ロシラン、γ−メルカプトプロピルメチルジメトキシシランとトリデカフルオロ−１，１，２，２−テトラヒドロオクチルトリエトキシシラン、γ−メルカプトプロピルメチルジメトキシシランとペンタフルオロフェニルプロピルトリメトキシシラン、γ−メルカプトプロピルメチルジメトキシシランと３−（ヘプタフルオロイソプロポキシ）プロピルトリエトキシシラン、γ−メルカプトプロピルメチルジメトキシシランとヘプタデカフルオロ−１，１，２，２−テトラヒドロデシルトリエトキシシラン、γ−メルカプトプロピルメチルジメトキシシランとトリエトキシ−２−チエニルシラン、γ−メルカプトプロピルメチルジメトキシシランと３−（トリエトキシシリル）フラン
【０１５０】
（１９）γ−アミノプロピルメチルジエトキシシランとメチルトリメトキシシラン、γ−アミノプロピルメチルジエトキシシランとメチルトリエトキシシラン、γ−アミノプロピルメチルジエトキシシランとエチルトリメトキシシラン、γ−アミノプロピルメチルジエトキシシランとエチルトリエトキシシラン、γ−アミノプロピルメチルジエトキシシランとプロピルトリメトキシシラン、γ−アミノプロピルメチルジエトキシシランとプロピルトリエトキシシラン、γ−アミノプロピルメチルジエトキシシランとブチルトリメトキシシラン、γ−アミノプロピルメチルジエトキシシランとブチルトリエトキシシラン、γ−アミノプロピルメチルジエトキシシランとペンチルトリメトキシシラン、γ−アミノプロピルメチルジエトキシシランとペンチルトリエトキシシラン、γ−アミノプロピルメチルジエトキシシランとヘプチルトリメトキシシラン、γ−アミノプロピルメチルジエトキシシランとヘプチルトリエトキシシラン、γ−アミノプロピルメチルジエトキシシランとオクチルトリメトキシシラン、γ−アミノプロピルメチルジエトキシシランとオクチルトリエトキシシラン、γ−アミノプロピルメチルジエトキシシランとドデシルトリメトキシシラン、γ−アミノプロピルメチルジエトキシシランとドデシルトリエトキシシラン、γ−アミノプロピルメチルジエトキシシランとヘキサデシルトリメトキシシラン、γ−アミノプロピルメチルジエトキシシランとヘキサデシルトリエトキシシラン、γ−アミノプロピルメチルジエトキシシランとオクタデシルトリメトキシシラン、γ−アミノプロピルメチルジエトキシシランとオクタデシルトリエトキシシラン、γ−アミノプロピルメチルジエトキシシランとフェニルトリメトキシシラン、γ−アミノプロピルメチルジエトキシシランとフェニルトリエトキシシラン、γ−アミノプロピルメチルジエトキシシランとビニルトリメトキシシラン、γ−アミノプロピルメチルジエトキシシランとビニルトリエトキシシラン、γ−アミノプロピルメチルジエトキシシランとγ−アミノプロピルトリメトキシシラン、γ−アミノプロピルメチルジエトキシシランとγ−アミノプロピルトリエトキシシラン、γ−アミノプロピルメチルジエトキシシランとγ−グリシドキシプロピルトリメトキシシラン、γ−アミノプロピルメチルジエトキシシランとγ−グリシドキシプロピルトリエトキシシラン、γ−アミノプロピルメチルジエトキシシランとγ−メタクリロキシプロピルトリメトキシシラン、γ−アミノプロピルメチルジエトキシシランとγ−メタクリロキシプロピルトリエトキシシラン、γ−アミノプロピルメチルジエトキシシランとトリエトキシ（４−（トリフルオロメチル）フェニル）シラン、γ−アミノプロピルメチルジエトキシシランと３，３，３−トリフルオロプロピルトリメトキシシラン、γ−アミノプロピルメチルジエトキシシランと（トリエトキシシリル）シクロヘキサン、γ−アミノプロピルメチルジエトキシシランとパーフルオロオクチルエチルトリエトキシシラン、γ−アミノプロピルメチルジエトキシシランとトリエトキシフルオロシラン、γ−アミノプロピルメチルジエトキシシランとトリデカフルオロ−１，１，２，２−テトラヒドロオクチルトリエトキシシラン、γ−アミノプロ���ルメチルジエトキシシランとペンタフルオロフェニルプロピルトリメトキシシラン、γ−アミノプロピルメチルジエトキシシランと３−（ヘプタフルオロイソプロポキシ）プロピルトリエトキシシラン、γ−アミノプロピルメチルジエトキシシランとヘプタデカフルオロ−１，１，２，２−テトラヒドロデシルトリエトキシシラン、γ−アミノプロピルメチルジエトキシシランとトリエトキシ−２−チエニルシラン、γ−アミノプロピルメチルジエトキシシランと３−（トリエトキシシリル）フラン
【０１５１】
（２０）Ｎ−（２−アミノエチル）アミノプロピルメチルジメトキシシランとメチルトリメトキシシラン、Ｎ−（２−アミノエチル）アミノプロピルメチルジメトキシシランとメチルトリエトキシシラン、Ｎ−（２−アミノエチル）アミノプロピルメチルジメトキシシランとエチルトリメトキシシラン、Ｎ−（２−アミノエチル）アミノプロピルメチルジメトキシシランとエチルトリエトキシシラン、Ｎ−（２−アミノエチル）アミノプロピルメチルジメトキシシランとプロピルトリメトキシシラン、Ｎ−（２−アミノエチル）アミノプロピルメチルジメトキシシランとプロピルトリエトキシシラン、Ｎ−（２−アミノエチル）アミノプロピルメチルジメトキシシランとブチルトリメトキシシラン、Ｎ−（２−アミノエチル）アミノプロピルメチルジメトキシシランとブチルトリエトキシシラン、Ｎ−（２−アミノエチル）アミノプロピルメチルジメトキシシランとペンチルトリメトキシシラン、Ｎ−（２−アミノエチル）アミノプロピルメチルジメトキシシランとペンチルトリエトキシシラン、Ｎ−（２−アミノエチル）アミノプロピルメチルジメトキシシランとヘプチルトリメトキシシラン、Ｎ−（２−アミノエチル）アミノプロピルメチルジメトキシシランとヘプチルトリエトキシシラン、Ｎ−（２−アミノエチル）アミノプロピルメチルジメトキシシランとオクチルトリメトキシシラン、Ｎ−（２−アミノエチル）アミノプロピルメチルジメトキシシランとオクチルトリエトキシシラン、Ｎ−（２−アミノエチル）アミノプロピルメチルジメトキシシランとドデシルトリメトキシシラン、Ｎ−（２−アミノエチル）アミノプロピルメチルジメトキシシランとドデシルトリエトキシシラン、Ｎ−（２−アミノエチル）アミノプロピルメチルジメトキシシランとヘキサデシルトリメトキシシラン、Ｎ−（２−アミノエチル）アミノプロピルメチルジメトキシシランとヘキサデシルトリエトキシシラン、Ｎ−（２−アミノエチル）アミノプロピルメチルジメトキシシランとオクタデシルトリメトキシシラン、Ｎ−（２−アミノエチル）アミノプロピルメチルジメトキシシランとオクタデシルトリエトキシシラン、Ｎ−（２−アミノエチル）アミノプロピルメチルジメトキシシランとフェニルトリメトキシシラン、Ｎ−（２−アミノエチル）アミノプロピルメチルジメトキシシランとフェニルトリエトキシシラン、Ｎ−（２−アミノエチル）アミノプロピルメチルジメトキシシランとビニルトリメトキシシラン、Ｎ−（２−アミノエチル）アミノプロピルメチルジメトキシシランとビニルトリエトキシシラン、Ｎ−（２−アミノエチル）アミノプロピルメチルジメトキシシランとγ−アミノプロピルトリメトキシシラン、Ｎ−（２−アミノエチル）アミノプロピルメチルジメトキシシランとγ−アミノプロピルトリエトキシシラン、Ｎ−（２−アミノエチル）アミノプロピルメチルジメトキシシランとγ−グリシドキシプロピルトリメトキシシラン、Ｎ−（２−アミノエチル）アミノプロピルメチルジメトキシシランとγ−グリシドキシプロピルトリエトキシシラン、Ｎ−（２−アミノエチル）アミノプロピルメチルジメトキシシランとγ−メタクリロキシプロピルトリメトキシシラン、Ｎ−（２−アミノエチル）アミノプロピルメチル��メトキシシランとγ−メタクリロキシプロピルトリエトキシシラン、Ｎ−（２−アミノエチル）アミノプロピルメチルジメトキシシランとトリエトキシ（４−（トリフルオロメチル）フェニル）シラン、Ｎ−（２−アミノエチル）アミノプロピルメチルジメトキシシランと３，３，３−トリフルオロプロピルトリメトキシシラン、Ｎ−（２−アミノエチル）アミノプロピルメチルジメトキシシランと（トリエトキシシリル）シクロヘキサン、Ｎ−（２−アミノエチル）アミノプロピルメチルジメトキシシランとパーフルオロオクチルエチルトリエトキシシラン、Ｎ−（２−アミノエチル）アミノプロピルメチルジメトキシシランとトリエトキシフルオロシラン、Ｎ−（２−アミノエチル）アミノプロピルメチルジメトキシシランとトリデカフルオロ−１，１，２，２−テトラヒドロオクチルトリエトキシシラン、Ｎ−（２−アミノエチル）アミノプロピルメチルジメトキシシランとペンタフルオロフェニルプロピルトリメトキシシラン、Ｎ−（２−アミノエチル）アミノプロピルメチルジメトキシシランと３−（ヘプタフルオロイソプロポキシ）プロピルトリエトキシシラン、Ｎ−（２−アミノエチル）アミノプロピルメチルジメトキシシランとヘプタデカフルオロ−１，１，２，２−テトラヒドロデシルトリエトキシシラン、Ｎ−（２−アミノエチル）アミノプロピルメチルジメトキシシランとトリエトキシ−２−チエニルシラン、Ｎ−（２−アミノエチル）アミノプロピルメチルジメトキシシランと３−（トリエトキシシリル）フラン
【０１５２】
（２１）３，３，３−トリフルオロプロピルメチルジメトキシシランとメチルトリメトキシシラン、３，３，３−トリフルオロプロピルメチルジメトキシシランとメチルトリエトキシシラン、３，３，３−トリフルオロプロピルメチルジメトキシシランとエチルトリメトキシシラン、３，３，３−トリフルオロプロピルメチルジメトキシシランとエチルトリエトキシシラン、３，３，３−トリフルオロプロピルメチルジメトキシシランとプロピルトリメトキシシラン、３，３，３−トリフルオロプロピルメチルジメトキシシランとプロピルトリエトキシシラン、３，３，３−トリフルオロプロピルメチルジメトキシシランとブチルトリメトキシシラン、３，３，３−トリフルオロプロピルメチルジメトキシシランとブチルトリエトキシシラン、３，３，３−トリフルオロプロピルメチルジメトキシシランとペンチルトリメトキシシラン、３，３，３−トリフルオロプロピルメチルジメトキシシランとペンチルトリエトキシシラン、３，３，３−トリフルオロプロピルメチルジメトキシシランとヘプチルトリメトキシシラン、３，３，３−トリフルオロプロピルメチルジメトキシシランとヘプチルトリエトキシシラン、３，３，３−トリフルオロプロピルメチルジメトキシシランとオクチルトリメトキシシラン、３，３，３−トリフルオロプロピルメチルジメトキシシランとオクチルトリエトキシシラン、３，３，３−トリフルオロプロピルメチルジメトキシシランとドデシルトリメトキシシラン、３，３，３−トリフルオロプロピルメチルジメトキシシランとドデシルトリエトキシシラン、３，３，３−トリフルオロプロピルメチルジメトキシシランとヘキサデシルトリメトキシシラン、３，３，３−トリフルオロプロピルメチルジメトキシシランとヘキサデシルトリエトキシシラン、３，３，３−トリフルオロプロピルメチルジメトキシシランとオクタデシルトリメトキシシラン、３，３，３−トリフルオロプロピルメチルジメトキシシランとオクタデシルトリエトキシシラン、３，３，３−トリフルオロプロピルメチルジメトキシシランとフェニルトリメトキシシラン、３，３，３−トリフルオロプロピルメチルジメトキシシランとフェニルトリエトキシシラン、３，３，３−トリフルオロプロピルメチルジメトキシシランとビニルトリメトキシシラン、３，３，３−トリフルオロプロピルメチルジメトキシシランとビニルトリエトキシシラン、３，３，３−トリフルオロプロピルメチルジメトキシシランとγ−アミノプロピルトリメトキシシラン、３，３，３−トリフルオロプロピルメチルジメトキシシランとγ−アミノプロピルトリエトキシシラン、３，３，３−トリフルオロプロピルメチルジメトキシシランとγ−グリシドキシプロピルトリメトキシシラン、３，３，３−トリフルオロプロピルメチルジメトキシシランとγ−グリシドキシプロピルトリエトキシシラン、３，３，３−トリフルオロプロピルメチルジメトキシシランとγ−メタクリロキシプロピルトリメトキシシラン、３，３，３−トリフルオロプロピルメチルジメトキシシランとγ−メタクリロキシプロピルトリエトキシシラン、３，３，３−トリフルオロプロピルメチルジメトキシシランとトリエトキシ（４−（トリフルオロメチル）フェニル）シラン、３，３，３−トリフルオロプロピルメチルジメトキシシランと３，３，３−トリフルオロプロピルトリメトキシシラン、３，３，３−トリフルオロプロピルメチルジメトキシシランと（トリエトキシシリル）シクロヘキサン、３，３，３−トリフルオロプロピルメチルジメトキシシランとパーフルオロオクチルエチルトリエトキシシラン、３，３，３−トリフルオロプロピルメチルジメトキシシランとトリエトキシフルオロシラン、３，３，３−トリフルオロプロピルメチルジメトキシシランとトリデカフルオロ−１，１，２，２−テトラヒドロオクチルトリエトキシシラン、３，３，３−トリフルオロプロピルメチルジメトキシシランとペンタフルオロフェニルプロピルトリメトキシシラン、３，３，３−トリフルオロプロピルメチルジメトキシシランと３−（ヘプタフルオロイソプロポキシ）プロピルトリエトキシシラン、３，３，３−トリフルオロプロピルメチルジメトキシシランとヘプタデカフルオロ−１，１，２，２−テトラヒドロデシルトリエトキシシラン、３，３，３−トリフルオロプロピルメチルジメトキシシランとトリエトキシ−２−チエニルシラン、３，３，３−トリフルオロプロピルメチルジメトキシシランと３−（トリエトキシシリル）フラン
【０１５３】
少なくとも１種のジアルコキシシラン化合物と、少なくとも１種のテトラアルコキシシラン化合物とを併用する場合の好ましい組み合わせとしては以下の例が挙げられる。
（１）テトラメチルシランとメチルハイドロジェンジメトキシシラン、テトラメチルシランとメチルハイドロジェンジエトキシシラン、テトラメチルシランとジメチルジメトキシシラン、テトラメチルシランとジメチルジエトキシシラン、テトラメチルシランとメチルエチルジメトキシシラン、テトラメチルシランとジエチルジメトキシシラン、テトラメチルシランとジエチルジエトキシシラン、テトラメチルシランとメチルプロピルジメトキシシラン、テトラメチルシランとメチルプロピルジエトキシシラン、テトラメチルシランとジイソプロピルジメトキシシラン、テトラメチルシランとフェニルメチルジメトキシシラン、テトラメチルシランとビニルメチルジメトキシシラン、テトラメチルシランとγ−グリシドキシプロピルメチルジメトキシシラン、テトラメチルシランとγ−グリシドキシプロピルメチルジエトキシシラン、テトラメチルシランとβ−（３，４−エポキシシクロヘキシル）エチルメチルジメトキシシラン、テトラメチルシランとγ−メタクリロキシプロピルメチルジメトキシシラン、テトラメチルシランとγ−メタクリロキシプロピルメチルジエトキシシラン、テトラメチルシランとγ−メルカプトプロピルメチルジメトキシシラン、テトラメチルシランとγ−アミノプロピルメチルジエトキシシラン、テトラメチルシランとＮ−（２−アミノエチル）アミノプロピルメチルジメトキシシラン、テトラメチルシランと３，３，３−トリフルオロプロピルメチルジメトキシシラン
【０１５４】
（２）テトラエチルシランとメチルハイドロジェンジメトキシシラン、テトラエチルシランとメチルハイドロジェンジエトキシシラン、テトラエチルシランとジメチルジメトキシシラン、テトラエチルシランとジメチルジエトキシシラン、テトラエチルシランとメチルエチルジメトキシシラン、テトラエチルシランとジエチルジメトキシシラン、テトラエチルシランとジエチルジエトキシシラン、テトラエチルシランとメチルプロピルジメトキシシラン、テトラエチルシランとメチルプロピルジエトキシシラン、テトラエチルシランとジイソプロピルジメトキシシラン、テトラエチルシランとフェニルメチルジメトキシシラン、テトラエチルシランとビニルメチルジメトキシシラン、テトラエチルシランとγ−グリシドキシプロピルメチルジメトキシシラン、テトラエチルシランとγ−グリシドキシプロピルメチルジエトキシシラン、テトラエチルシランとβ−（３，４−エポキシシクロヘキシル）エチルメチルジメトキシシラン、テトラエチルシランとγ−メタクリロキシプロピルメチルジメトキシシラン、テトラエチルシランとγ−メタクリロキシプロピルメチルジエトキシシラン、テトラエチルシランとγ−メルカプトプロピルメチルジメトキシシラン、テトラエチルシランとγ−アミノプロピルメチルジエトキシシラン、テトラエチルシランとＮ−（２−アミノエチル）アミノプロピルメチルジメトキシシラン、３，３，３−トリフルオロプロピルメチルジメトキシシラン
【０１５５】
（３）テトラプロポキシシランとメチルハイドロジェンジメトキシシラン、テトラプロポキシシランとメチルハイドロジェンジエトキシシラン、テトラプロポキシシランとジメチルジメトキシシラン、テトラプロポキシシランとジメチルジエトキシシラン、テトラプロポキシシランとメチルエチルジメトキシシラン、テトラプロポキシシランとジエチルジメトキシシラン、テトラプロポキシシランとジエチルジエトキシシラン、テトラプロポキシシランとメチルプロピルジメトキシシラン、テトラプロポキシシランとメチルプロピルジエトキシシラン、テトラプロポキシシランとジイソプロピルジメトキシシラン、テトラプロポキシシランとフェニルメチルジメトキシシラン、テトラプロポキシシランとビニルメチルジメトキシシラン、テトラプロポキシシランとγ−グリシドキシプロピルメチルジメトキシシラン、テトラプロポキシシランとγ−グリシドキシプロピルメチルジエトキシシラン、テトラプロポキシシランとβ−（３，４−エポキシシクロヘキシル）エチルメチルジメトキシシラン、テトラプロポキシシランとγ−メタクリロキシプロピルメチルジメトキシシラン、テトラプロポキシシランとγ−メタクリロキシプロピルメチルジエトキシシラン、テトラプロポキシシランとγ−メルカプトプロピルメチルジメトキシシラン、テトラプロポキシシランとγ−アミノプロピルメチルジエトキシシラン、テトラプロポキシシランとＮ−（２−アミノエチル）アミノプロピルメチルジメトキシシラン、テトラプロポキシシランと３，３，３−トリフルオロプロピルメチルジメトキシシラン
【０１５６】
電荷輸送性ワニスに用いられる有機溶媒としては、例えば、Ｎ，Ｎ−ジメチルホルムアミド（１５３℃）、Ｎ，Ｎ−ジメチルアセトアミド（１６５℃）、Ｎ−メチルピロリドン（２０２℃）、１，３−ジメチル−２−イミダゾリジノン（２２５℃）、ジメチルスルホキシド（１８９℃）、Ｎ−シクロヘキシル−２−ピロリジノン（２８４℃）、芳香族炭化水素〔ベンゼン（８０℃）、トルエン（１１１℃）、エチルベンゼン（１３６℃）、ｐ−キシレン（１３８℃）、ｏ−キシレン（１３８℃）、スチレン（１４５℃）等〕、ケトン類〔アセトン（５６℃）、メチルエチルケトン（８０℃）、メチルイソプロピルケトン（９４℃）、ジエチルケトン（１０２℃）、メチルイソブチルケトン（１１７℃）、メチルノーマルブチルケトン（１２７℃）、シクロヘキサノン（１５５℃）、エチルノーマルアミルケトン（１６７℃）〕、エステル類〔酢酸エチル（７７℃）、酢酸イソプロピル（８５℃）、酢酸ノーマルプロピル（１０１℃）、酢酸イソブチル（１１６℃）、酢酸ノーマルブチル（１２５℃）、酢酸ノーマルアミル（１４２℃）、カプロン酸メチル（１５１℃）、酢酸−２−メチルペンチル（１６２℃）、乳酸ノーマルブチル（１８６℃）等〕、グリコールエステルおよびグリコールエーテル類〔エチレングリコールジメチルエーテル（８５℃）、プロピレングリコールモノメチルエーテル（１１９℃）、エチレングリコールモノメチルエーテル（１２４℃）、プロピレングリコールモノエチルエーテル（１３２℃）、エチレングリコールモノエチルエーテル（１３６℃）、エチレングリコールモノイソプロピルエーテル（１４４℃）、エチレングリコールメチルエーテルアセテート（１４５℃）、プロピレングリコールモノメチルエーテルアセテート（１４６℃）、エチレングリコールエチルエーテルアセテート（１５６℃）、ジエチレングリコールジメチルエーテル（１６２℃）、プロピレングリコールモノブチルエーテル（１７０℃）、エチレングリコールモノブチルエーテル（１７１℃）、ジエチレングリコールジエチルエーテル（１８８℃）、ジプロピレングリコールモノメチルエーテル（１８９℃）、ジエチレングリコールモノメチルエーテル（１９４℃）、ジプロピレングリコールモノエチルエーテル（１９８℃）、ジエチレングリコールモノエチルエーテル（２０２℃）、トリエチレングリコールジメチルエーテル（２１６℃）、ジエチレングリコールモノエチルエーテルアセテート（２１７℃）、ジエチレングリコール（２４４℃）等〕、アルコール類〔メタノール（６５℃）、エタノール（７８℃）、イソプロパノール（８２℃）、ｔｅｒｔ−ブタノール（８３℃）、アリルアルコール（９７℃）、ノーマルプロパノール（９７℃）、２−メチル−２−ブタノール（１０２℃）、イソブタノール（１０８℃）、ノーマルブタノール（１１７℃）、２−メチル−１−ブタノール（１３０℃）、１−ペンタノール（１３７℃）、２−メチル−１−ペンタノール（１４８℃）、２−エチルヘキサノール（１８５℃）、１−オクタノール（１９６℃）、エチレングリコール（１９７℃）、ヘキシレングリコール（１９８℃）、トリメチレングリコール（２１４℃）、１−メトキシ−２−ブタノール（１３５℃）、シクロヘキサノール（１６１℃）、ジアセトンアルコール（１６６℃）、フルフリルアルコール（１７０℃）、テトラヒドロフルフリルアルコール（１７８℃）、プロピレングリコール（１８７℃）、ベンジルアルコール（２０５℃）、１，３−ブタンジオール（２０８℃）等〕、フェノール類〔アニソール（１５４℃）、フェノール（１８２℃）、ｍ−クレゾール（２０２℃）等〕、エーテルおよびカルボン酸類〔イソプロピルエーテル（６８℃）、１，４−ジオキサン（１０１℃）、酢酸（１１７℃）、γ−ブチロラクトン（２０４℃）等〕が挙げられる。
これらの有機溶媒は、単独で、または２種以上組み合わせて用いることができる。
【０１５７】
本発明においては、電荷輸送性物質および電荷受容性物質を良好に溶解し得る高溶解性溶媒を用いることができる。このような高溶解性溶媒としては、例えば、水；メタノール、Ｎ，Ｎ−ジメチルホルムアミド、Ｎ，Ｎ−ジメチルアセトアミド、Ｎ−メチルピロリドン、１，３−ジメチル−２−イミダゾリジノン、ジメチルスルホキシド、クロロホルム、トルエン等が挙げられる。これらの溶媒は１種単独で、または２種以上混合して用いることができ、その使用量は、ワニスに使用する溶媒全体に対して５〜１００質量％とすることができる。
なお、電荷輸送性ワニスは、上記溶媒に完全に溶解しているか、均一に分散している状態となっていることが好ましい。
【０１５８】
また、本発明の電荷輸送性ワニスは、２０℃で１０〜２００ｍＰａ・ｓ、特に５０〜１５０ｍＰａ・ｓの粘度を有し、常圧で沸点５０〜３００℃、特に１５０〜２５０℃の高粘度有機溶媒を、少なくとも１種類含有することが好適である。
高粘度有機溶媒としては、例えば、シクロヘキサノール、エチレングリコール、エチレングリコールジクリシジルエーテル、１，３−オクチレングリコール、ジエチレングリコール、ジプロピレングリコール、トリエチレングリコール、トリプロピレングリコール、１，３−ブタンジオール、２，３−ブタンジオール、１，４−ブタンジオール、プロピレングリコール、へキシレングリコール等が挙げられる。
本発明のワニスに用いられる溶媒全体に対する高粘度有機溶媒の添加割合は、固体が析出しない範囲内であることが好ましく、固体が析出しない限りにおいて、添加割合は、５〜８０質量％であることが好ましい。
【０１５９】
さらに、基板に対する濡れ性の向上、溶媒の表面張力の調整、極性の調整、沸点の調整等の目的で、焼成時に膜の平坦性を付与し得るその他の溶媒を、ワニスに使用する溶媒全体に対して１〜９０質量％、好ましくは１〜５０質量％の割合で混合することもできる。
このような溶媒としては、例えば、ブチルセロソルブ、ジエチレングリコールジエチルエーテル、ジプロピレングリコールモノメチルエーテル、エチルカルビトール、ジアセトンアルコール、γ−ブチロラクトン、乳酸エチル等が挙げられる。
【０１６０】
電荷輸送性ワニスの固形分は、ワニスを塗布する場合の操作性を考慮すると、０．００１〜５０質量％が好ましく、０．０１〜２０質量％がより好ましい。
本発明の電荷輸送性ワニスにおいては、シランモノマーよりも、数量体やオリゴマーまたはポリマーの状態で存在する方がワニスの保存安定性が良好になる場合がある。このため、本発明の電荷輸送性ワニスは、シラン化合物を加水分解・縮合させる水を含んでもよい。
その場合、用いられる水の量はワニスの全有機溶媒に対して、０．０００１〜１０質量％が好ましく、０．００１〜５質量％がより好ましい。
【０１６１】
以上で説明した電荷輸送性ワニスを基材上に塗布し、溶媒を蒸発させることで基材上に電荷輸送性薄膜を形成させることができる。
ワニスの塗布方法としては、特に限定されるものではなく、ディップ法、スピンコート法、転写印刷法、ロールコート法、刷毛塗り、インクジェット法、スプレー法等が挙げられる。
溶媒の蒸発法としては、特に限定されるものではなく、例えば、ホットプレートやオーブンを用いて、適切な雰囲気下、即ち大気、窒素等の不活性ガス、真空中等で蒸発させればよい。これにより、均一な成膜面を有する薄膜を得ることが可能である。
焼成温度は、溶媒を蒸発させることができれば特に限定されないが、４０〜２５０℃で行うことが好ましい。この場合、より高い均一成膜性を発現させたり、基材上で反応を進行させたりする目的で、２段階以上の温度変化をつけてもよい。
【０１６２】
電荷輸送性薄膜の膜厚は、特に限定されないが、有機ＥＬ素子内で電荷注入層として用いる場合、５〜２００ｎｍであることが望ましい。膜厚を変化させる方法としては、ワニス中の固形分濃度を変化させたり、塗布時の基板上の溶液量を変化させたりする等の方法がある。
【０１６３】
本発明の電荷輸送性ワニスを用いてＯＬＥＤ素子を作製する場合の使用材料や、作製方法としては、下記のようなものが挙げられるが、これらに限定されるものではない。
使用する電極基板は、洗剤、アルコール、純水等による液体洗浄を予め行って浄化しておくことが好ましく、例えば、陽極基板では使用直前にオゾン処理、酸素−プラズマ処理等の表面処理を行うことが好ましい。ただし陽極材料が有機物を主成分とする場合、表面処理を行わなくともよい。
【０１６４】
正孔輸送性ワニスをＯＬＥＤ素子に使用する場合、以下の方法を挙げることができる。
陽極基板上に当該正孔輸送性ワニスを塗布し、上記の方法により蒸発、焼成を行い、電極上に正孔輸送性薄膜を作製する。これを真空蒸着装置内に導入し、正孔輸送層、発光層、電子輸送層、電子注入層、陰極金属を順次蒸着してＯＬＥＤ素子とする。発光領域をコントロールするために任意の層間にキャリアブロック層を設けてもよい。
陽極材料としては、インジウム錫酸化物（ＩＴＯ）、インジウム亜鉛酸化物（ＩＺＯ）に代表される透明電極が挙げられ、平坦化処理を行ったものが好ましい。高電荷輸送性を有するポリチオフェン誘導体やポリアニリン誘導体を用いることもできる。
【０１６５】
正孔輸送層を形成する材料としては、（トリフェニルアミン）ダイマー誘導体（ＴＰＤ）、（α−ナフチルジフェニルアミン）ダイマー（α−ＮＰＤ）、［（トリフェニルアミン）ダイマー］スピロダイマー（Ｓｐｉｒｏ−ＴＡＤ）等のトリアリールアミン類、４，４’，４”−トリス［３−メチルフェニル（フェニル）アミノ］トリフェニルアミン（ｍ−ＭＴＤＡＴＡ）、４，４’，４”−トリス［１−ナフチル（フェニル）アミノ］トリフェニルアミン（１−ＴＮＡＴＡ）等のスターバーストアミン類、５，５”−ビス−｛４−［ビス（４−メチルフェニル）アミノ］フェニル｝−２，２’：５’，２”−ターチオフェン（ＢＭＡ−３Ｔ）等のオリゴチオフェン類を挙げることができる。
【０１６６】
発光層を形成する材料としては、トリス（８−キノリノラート）アルミニウム（ＩＩＩ）（Ａｌｑ3）、ビス（８−キノリノラート）亜鉛（ＩＩ）（Ｚｎｑ2）、ビス（２−メチル−８−キノリノラート）（ｐ−フェニルフェノラート）アルミニウム（ＩＩＩ）（ＢＡｌｑ）および４，４’−ビス（２，２−ジフェニルビニル）ビフェニル（ＤＰＶＢｉ）等が挙げられ、電子輸送材料または正孔輸送材料と発光性ドーパントとを共蒸着することによって、発光層を形成してもよい。
電子輸送材料としては、Ａｌｑ3、ＢＡｌｑ、ＤＰＶＢｉ、２−（４−ビフェニル）−５−（４−ｔ−ブチルフェニル）−１，３，４−オキサジアゾール（ＰＢＤ）、トリアゾール誘導体（ＴＡＺ）、バソクプロイン（ＢＣＰ）、シロール誘導体等が挙げられる。
【０１６７】
発光性ドーパントとしては、キナクリドン、ルブレン、クマリン５４０、４−（ジシアノメチレン）−２−メチル−６−（ｐ−ジメチルアミノスチリル）−４Ｈ−ピラン（ＤＣＭ）、トリス（２−フェニルピリジン）イリジウム（ＩＩＩ）（Ｉｒ（ｐｐｙ）3）、（１，１０−フェナントロリン）−トリス（４，４，４−トリフルオロ−１−（２−チエニル）−ブタン−１，３−ジオナート）ユーロピウム（ＩＩＩ）（Ｅｕ（ＴＴＡ）3ｐｈｅｎ）等が挙げられる。
【０１６８】
キャリアブロック層を形成する材料としては、ＰＢＤ、ＴＡＺ、ＢＣＰ等が挙げられる。
電子注入層を形成する材料としては、酸化リチウム（Ｌｉ2Ｏ）、酸化マグネシウム（ＭｇＯ）、アルミナ（Ａｌ2Ｏ3）、フッ化リチウム（ＬｉＦ）、フッ化マグネシウム（ＭｇＦ2）、フッ化ストロンチウム（ＳｒＦ2）、Ｌｉｑ、Ｌｉ（ａｃａｃ）、酢酸リチウム、安息香酸リチウム等が挙げられる。
陰極材料としては、アルミニウム、マグネシウム−銀合金、アルミニウム−リチウム合金、リチウム、ナトリウム、カリウム、セシウム等が挙げられる。
【０１６９】
また、電子輸送性ワニスをＯＬＥＤ素子に使用する場合、以下の方法を挙げることができる。
陰極基板上に当該電子輸送性ワニスを塗布して電子輸送性薄膜を作製し、これを真空蒸着装置内に導入し、上記と同様の材料を用いて電子輸送層、発光層、正孔輸送層、正孔注入層を形成した後、陽極材料をスパッタリング等の方法により成膜してＯＬＥＤ素子とする。
【０１７０】
本発明の電荷輸送性ワニスを用いたＰＬＥＤ素子の作製方法は、特に限定されないが、以下の方法が挙げられる。
上記ＯＬＥＤ素子作製において、正孔輸送層、発光層、電子輸送層、電子注入層の真空蒸着操作を行う代わりに、発光性電荷輸送性高分子層を形成することによって本発明の電荷輸送性ワニスによって形成される電荷輸送性薄膜を含むＰＬＥＤ素子を作製することができる。
具体的には、陽極基板上に、電荷輸送性ワニス（正孔輸送性ワニス）を塗布して上記の方法により正孔輸送性薄膜を作製し、その上部に発光性電荷輸送性高分子層を形成し、さらに陰極電極を蒸着してＰＬＥＤ素子とする。
あるいは、陰極基板上に、電荷輸送性ワニス（電子輸送性ワニス）を塗布して上記の方法により電子輸送性薄膜を作製し、その上部に発光性電荷輸送性高分子層を形成し、さらにスパッタリング、蒸着、スピンコート等の方法により陽極電極を作製してＰＬＥＤ素子とする。
【０１７１】
使用する陰極および陽極材料としては、上記ＯＬＥＤ素子作製時と同様の物質が使用でき、同様の洗浄処理、表面処理を行うことができる。
発光性電荷輸送性高分子層の形成法としては、発光性電荷輸送性高分子材料、またはこれに発光性ドーパントを加えた材料に溶媒を加えて溶解するか、均一に分散し、正孔注入層を形成してある電極基板に塗布した後、溶媒の蒸発により成膜する方法が挙げられる。
発光性電荷輸送性高分子材料としては、ポリ（９，９−ジアルキルフルオレン）（ＰＤＡＦ）等のポリフルオレン誘導体、ポリ（２−メトキシ−５−（２’−エチルヘキソキシ）−１，４−フェニレンビニレン）（ＭＥＨ−ＰＰＶ）等のポリフェニレンビニレン誘導体、ポリ（３−アルキルチオフェン）（ＰＡＴ）等のポリチオフェン誘導体、ポリビニルカルバゾール（ＰＶＣｚ）等を挙げることができる。
【０１７２】
溶媒としては、トルエン、キシレン、クロロホルム等を挙げることができ、溶解または均一分散法としては攪拌、加熱攪拌、超音波分散等の方法が挙げられる。
塗布方法としては、特に限定されるものではなく、インクジェット法、スプレー法、ディップ法、スピンコート法、転写印刷法、ロールコート法、刷毛塗り等が挙げられる。なお、塗布は、窒素、アルゴン等の不活性ガス下で行うことが望ましい。
溶媒の蒸発法としては、不活性ガス下または真空中、オーブンまたはホットプレートで加熱する方法を挙げることができる。
【実施例】
【０１７３】
以下、参考例、実施例および比較例を挙げて、本発明をより具体的に説明するが、本発明は下記の実施例に限定されるものではない。【０１７４】
［参考例１］
下記フェニルテトラアニリン（以下ＰＴＡと略す）は、ブレティン・オブ・ケミカル・ソサエティ・オブ・ジャパン（Bulletin of Chemical Society of Japan）、１９９４年、第６７巻、ｐ.１７４９−１７５２に従って、ｐ−ヒドロキシジフェニルアミンとｐ−フェニレンジアミンとから合成した（収率８５％）。【０１７５】
【化９】
0005413369.tif 000010
【０１７６】
［参考例２］
下記ナフタレンジスルホン酸化合物（以下ＮＳＯ−２と略す）は、国際公開第２００６／０２５３４２号パンフレットに従って、１−ナフトール−３，６−ジスルホン酸ナトリウムとパーフルオロビフェニルとから合成した（収率８１％）。【０１７７】
【化１０】
0005413369.tif 000011
【０１７８】
［参考例３］
構造物付きＩＴＯ基板は、ポジ型感光性ポリイミドを用いて作製した。２５×２５ｍｍ、厚みが０．７ｍｍのＩＴＯベタ基板上のパターンは、膜厚１．０ｎｍ、Ｌｉｎｅ（ポリイミドの幅）３０μｍ、ピクセル幅（構造物間）５０×１００μｍであった。
感光性ポリイミド構造物（構造物付きＩＴＯ基板）の形状を、株式会社小坂研究所製  高精度微細形状測定器  ＳＵＲＥＦＣＯＲＤＥＲ  ＥＴ４０００Ａを使用して測定した。測定条件は、測定範囲０．５ｍｍ、送り速さ０．０５ｍｍ／ｓｅｃ、測定力である触針圧１０μＮとした。また、共焦点レーザー顕微鏡（レーザーテック社製  リアルタイム走査型レーザー顕微鏡  １ＬＭ２１Ｄ）を用いて構造物付きＩＴＯ基板を観察した。図１に構造物付きＩＴＯ基板の共焦点レーザー顕微鏡写真を示す。図２および図３に構造物付き基材のＩＴＯ部分を測定した結果を示す。【０１７９】
［比較例１］
参考例１で合成したＰＴＡ０．１５０ｇ（０．３４０ｍｍｏｌ）と、参考例２で合成したＮＳＯ−２ ０．３０７ｇ（０．３４０ｍｍｏｌ）とを窒素雰囲気下、１，３−ジメチル−２−イミダゾリジノン（以下ＤＭＩと略す）７．５ｇに完全に溶解させた。得られた溶液に２，３−ブタンジオール（以下２，３−ＢＤと略す）１５．０ｇ、次いで酢酸ヘキシル（以下ｎＨＡｃと略す）７．５ｇを加えて攪拌し、電荷輸送性ワニスを調製した（固形分１．５質量％）。
得られたワニスは、スプレー塗布装置（株式会社藤森技術研究所製  ＮＶＤ−２００）を用いて、ＵＶ−Ｏ３処理を１分間施した参考例３で作製した構造物付きのＩＴＯ基板にスプレー塗布した。
スプレー塗布装置の塗布条件は、膜厚３０ｎｍ狙い、ＸおよびＹスキャン方向２００ｍｍ、ＸおよびＹオフセット０ｍｍ、スキャンピッチ１２ｍｍ、ギャップ１００ｍｍ、ノズル速度３００ｍｍ／ｓｅｃ、窒素量５Ｌ／ｍｉｎ、薬液量０．６ｍＬ／ｍｉｎ、塗布待機時間５ｓｅｃ、タクトタイム３０ｓｅｃとした。
塗布後、空気中、ホットプレート上で、５０℃で５分間、次いで、２３０℃で１５分間焼成を行い、電荷輸送性薄膜を作製した。
図４に構造物基板に塗布した電荷輸送性薄膜の共焦点レーザー顕微鏡の写真を示す。図５および図６に比較例１の電荷輸送性薄膜の膜厚分布を測定した結果を示す。【０１８０】
次に、基板を真空蒸着装置内に導入し、α−ＮＰＤ、Ａｌｑ3、ＬｉＦ、Ａｌを順次蒸着してＯＬＥＤ素子を得た。膜厚はそれぞれ、３０ｎｍ、５０ｎｍ、１ｎｍ、１２０ｎｍとし、それぞれ８×１０-4Ｐａ以下の圧力となってから蒸着操作を行い、蒸着レートはＬｉＦを除いて、０．３〜０．４ｎｍ／ｓとし、ＬｉＦについては、０．０２〜０．０４ｎｍ／ｓとした。蒸着操作間の移動操作は真空中で行った。得られたＯＬＥＤ素子の発光面を図７に示す。【０１８１】
［実施例１］
参考例１で合成したＰＴＡ０．１５０ｇ（０．３４０ｍｍｏｌ）と、参考例２で合成したＮＳＯ−２ ０．３０７ｇ（０．３４０ｍｍｏｌ）とを窒素雰囲気下、ＤＭＩ７．５ｇに完全に溶解させた。得られた溶液に２，３−ＢＤ１５．０ｇ、次いでｎＨＡｃ７．５ｇを加えて攪拌した。最後に、トリメトキシ（３，３，３−トリフルオロプロピル）シランとトリメトキシフェニルシランの１：２（質量比）の混合溶剤を０．０４６ｇ加え、電荷輸送性ワニスを調製した（固形分１．５質量％）。
得られたワニスを用い、比較例１と同様の方法および条件を用いて、電荷輸送性薄膜を作製した。
図８に構造物基板に塗布した電荷輸送性薄膜の共焦点レーザー顕微鏡の写真を示す。図９および図１０に実施例１の電荷輸送性薄膜の膜厚分布を測定した結果を示す。
次に、基板を真空蒸着装置内に導入し、比較例１と同様にしてα−ＮＰＤ、Ａｌｑ3、ＬｉＦ、Ａｌを順次蒸着してＯＬＥＤ素子を得た。得られたＯＬＥＤ素子の発光面を図１１に示す。
図４〜１１に示されるように、実施例１のワニスは比較例１のそれに比べて、画素内に均一に成膜可能であり、得られた素子はムラなく発光していることがわかる。
【０１８２】
［比較例２］
参考例１で合成したＰＴＡ０．０６０１ｇ（０．１３６ｍｍｏｌ）と、参考例２で合成したＮＳＯ−２ ０．１２２６ｇ（０．１３６ｍｍｏｌ）とを窒素雰囲気下、ＤＭＩ４．０ｇに完全に溶解させた。得られた溶液にシクロヘキサノール（以下ＣＨＡと略す）６．０ｇ、次いで２，３−ＢＤ２．０ｇを加えて攪拌し、電荷輸送性ワニスを調製した（固形分１．５質量％）。
このワニスを用いてＩＴＯガラス基板上へスピンコート法により約３０ｎｍの均一な薄膜を作製した後、この基板を真空蒸着装置内に導入し、比較例１と同様にしてα−ＮＰＤ、Ａｌｑ3、ＬｉＦ、Ａｌを順次蒸着してＯＬＥＤ素子を得た。【０１８３】
［実施例２］
参考例１で合成したＰＴＡ０．０６０１ｇ（０．１３６ｍｍｏｌ）と、参考例２で合成したＮＳＯ−２  ０．１２２６ｇ（０．１３６ｍｍｏｌ）とを窒素雰囲気下、ＤＭＩ４．０ｇに完全に溶解させた。得られた溶液にＣＨＡ６．０ｇ、次いで２，３−ＢＤ２．０ｇを加えて攪拌した。最後に、トリメトキシ（３，３，３−トリフルオロプロピル）シランとトリメトキシフェニルシランの１：２（質量比）の混合溶剤を０．０１８ｇ加え、電荷輸送性ワニスを調製した（固形分１．５質量％）。
このワニスを用いてＩＴＯガラス基板上へスピンコート法により約３０ｎｍの均一な薄膜を作製した後、この基板を真空蒸着装置内に導入し、比較例１と同様にしてα−ＮＰＤ、Ａｌｑ3、ＬｉＦ、Ａｌを順次蒸着してＯＬＥＤ素子を得た。
【０１８４】
上記実施例２および比較例２で得られたＯＬＥＤ素子の特性を評価した。結果を図１２、１３に示す。なお、ＯＬＥＤの特性は、有機ＥＬ発光効率測定装置（ＥＬ１００３、プレサイスゲージ（株）製）を使用して測定した。
図１２、１３に示されるように、実施例２で得られたＯＬＥＤ素子は、比較例２の素子と比べ、電圧−輝度、電圧−電流密度において特に優れていることがわかる。
【図１】
0005413369.tif 000017
【図２】
0005413369.tif 000018
【図３】
0005413369.tif 000019
【図４】
0005413369.tif 000020
【図５】
0005413369.tif 000021
【図６】
0005413369.tif 000022
【図７】
0005413369.tif 000023
【図８】
0005413369.tif 000024
【図９】
0005413369.tif 000025
【図１０】
0005413369.tif 000026
【図１１】
0005413369.tif 000027
【図１２】
0005413369.tif 000028
【図１３】
0005413369.tif 000029